(57)【特許請求の範囲】
【請求項１】
分配機器のシステムであって、
医療施設において薬物を分配するための複数の分配機器のうちの１つを備える分配機器であって、
排他的使用のために患者に割り当てられ、保管可能な薬物を特定の種類の薬物に限定するアクセス制限を有する１つ以上の患者別ビンと、
複数の患者による使用に利用可能である細目への割り当てのために各々が配分される１つ以上の細目別ビンと
によって構成される、分配機器と、
該分配機器に通信可能に連結される中央サーバコンピュータシステムであって、
該患者のための薬物発注を分析して、該薬物発注からの第１の組の薬物を該１つ以上の細目別ビンに保管される薬物として識別することであって、該第１の組の薬物は、該患者に対して排他的でない薬物である、ことと、
該薬物発注を分析して、該薬物発注からの第２の組の薬物を該１つ以上の患者別ビンにおいて該患者のために保管される薬物として識別することであって、該第２の組の薬物は、該患者に対して排他的な薬物である、ことと、
該第２の組の薬物の少なくとも一部を、特定の種類の薬物を含む一部に基づくアクセス制限情報とともに、該１つ以上の患者別ビンのうちの一つの患者別ビンに関連付けることと
を実行するように構成される、中央サーバコンピュータシステムと
を備える、システム。
【請求項２】
前記中央サーバコンピュータシステムは、
前記第１の組の薬物の一部の保管のために、前記選択された患者別ビンを自動的に識別することと、
前記複数の患者への供給に利用可能である複数の追加のユニットの前記細目の保管のために、前記１つ以上の細目別ビンのうちの選択された細目別ビンを自動的に識別することと
を実行するようにさらに構成される、請求項１に記載のシステム。
【請求項３】
前記分配機器は、前記選択された患者別ビンにおいてストックされた薬物または取り除かれた薬物の識別子を送信するようにさらに構成され、
前記中央サーバコンピュータシステムは、
該送信された識別子を受信することと、
該受信した識別子に少なくとも部分的に基づいて、該選択された患者別ビンにおける在庫を追跡することと
を実行するようにさらに構成される、請求項１に記載のシステム。
【請求項４】
前記中央サーバコンピュータシステムは、
前記患者のための前記薬物発注にアクセスすることと、
該アクセスされた薬物発注を、前記分配機器における前記１つ以上の細目別ビンにストックされる細目のリストと比較することに基づいて、前記第２の組の薬物を識別することと
を実行するようにさらに構成される、請求項１に記載のシステム。
【請求項５】
前記中央サーバコンピュータシステムは、
前記選択された患者別ビンにおける在庫を追跡することと、
該追跡された在庫に少なくとも部分的に基づいて、該選択された患者別ビンにおいて再ストックされる細目を識別する情報を送信することと
を実行するようにさらに構成される、請求項１に記載のシステム。
【請求項６】
前記選択された患者別ビンにおいて再ストックされる前記細目を識別する前記送信された情報を受信することと、
該選択された患者別ビンに配置される該細目のうち、中央分配ユニットにおいて利用可能である細目を識別するために、該受信した情報を処理することと
を実行するように構成される中央分配ユニットをさらに備える、請求項５に記載のシステム。
【請求項７】
前記分配機器は、無線通信するように構成される移動式分配機器である、請求項１に記載のシステム。
【請求項８】
前記複数の分配機器のうちの固定式分配機器であって、前記患者に割り当てられる第２の患者別ビンを含む、固定式分配機器をさらに備え、
前記中央サーバコンピュータシステムは、該第２の患者別ビンから前記選択された患者別ビンに移動される薬物を識別するようにさらに構成される、
請求項７に記載のシステム。
【請求項９】
前記分配機器は、キャビネットを備え、
前記選択された患者別ビンは、容器、機構、場所、区域、または任意のそれらの組み合わせを備える、
請求項１に記載のシステム。
【請求項１０】
医療施設において医療用品を分配するための分配機器であって、
排他的使用のために各々が患者に割り当てられ、保管可能な薬物を特定の種類の薬物に限定するアクセス制限を有する複数の患者別ビンと、
複数の患者による使用に利用可能である細目への割り当てのために各々が配分される複数の細目別ビンと、
該複数の患者別ビンおよび該複数の細目別ビンに通信可能に連結されるコンピュータであって、
該患者の薬物発注からの第１の組の薬物を、該複数の細目別ビンに保管される薬物として識別することであって、該第１の組の薬物は、該患者に対して排他的でない薬物である、ことと、
該薬物発注からの第２の組の薬物を、該複数の患者別ビンにおいて患者のために保管される薬物として識別することであって、該第２の組は第１の組を除外し、該第２の組の薬物は、該患者に対して排他的である薬物である、ことと、
該第２の組の薬物の少なくとも一部を、特定の種類の薬物を含む一部に基づくアクセス制限情報とともに、該複数の患者別ビンのうちの一つの患者別ビンに関連付けることと
を実行するように構成される、コンピュータと
を備える、分配機器。
【請求項１１】
前記コンピュータは、遠隔場所から追跡された前記選択された患者別ビンにおける在庫に少なくとも部分的に基づいて、該患者別ビンに再ストックされる細目を識別する情報を、該遠隔場所から受信するようにさらに構成される、請求項１０に記載の分配機器。
【請求項１２】
前記コンピュータに通信可能に連結され、かつ、前記選択された患者別ビンのための薬物の識別子を読み取るように構成される読み取り器と、
該コンピュータに通信可能に連結され、かつ、前記遠隔場所において指示される該識別子を送信するように構成される送信ユニットと
をさらに備える、請求項１１に記載の分配機器。
【請求項１３】
前記コンピュータは、前記複数の患者別ビンの前記患者への前記割り当てを指示するデータを受信するようにさらに構成される、請求項１０に記載の分配機器。
【請求項１４】
前記コンピュータは、
前記薬物発注が生成された後に、前記選択された患者別ビンを前記患者に割り当てることと、
該選択された患者別ビンにおける補給を追跡することと、
該追跡された補給に少なくとも部分的に基づいて、該選択された患者別ビンに再ストックされる細目を識別する情報を送信すること
を実行するようにさらに構成される、請求項１０に記載の分配機器。
【請求項１５】
前記分配機器は、遠隔の中央サーバコンピュータシステムと無線通信するように構成される移動式分配機器である、請求項１０に記載の分配機器。
【請求項１６】
前記分配機器は、固定式キャビネットを備え、
前記選択された患者別ビンは、前記患者のための複数の薬物を保持し、
該選択された患者別ビンは、該分配機器内に容器、機構、または区域を備える、
請求項１０に記載の分配機器。
【請求項１７】
医療用品を分配する方法であって、
患者に関連付けられる分配機器における複数のビンを、排他的使用のための複数の患者のうちの選択された患者への割り当てに各々が利用可能な患者別ビンとして配分することとであって、１つ以上の患者別ビンは、保管可能な薬物を特定の種類の薬物に限定するアクセス制限を有することと、
該分配機器における複数のビンを、細目への割り当てに各々が利用可能である細目別ビンとして配分することであって、各細目別ビンは、該複数の患者による使用のために複数のユニットの特定の細目を保持することに利用可能であることと、
患者のための薬物発注を分析して、薬物発注からの第１の組の薬物を、該複数の細目別ビンに保管される薬物として識別することであって、該第１の組の薬物は、該患者に対して排他的でない薬物である、ことと、
該薬物発注を分析して、該薬物発注からの第２の組の薬物を、該複数の患者別ビンにおける該患者のために保管される薬物として識別することであって、該第２の組は該第１の組を除外し、であって、該第２の組の薬物は、該患者に対して排他的である薬物である、ことと、
該第２の組の薬物の少なくとも一部を、特定の種類の薬物を含む一部に基づくアクセス制限情報とともに、該複数の患者別ビンのうちの選択された患者別ビンに関連付けることと
を含む、方法。
【請求項１８】
前記患者のための前記選択された患者別ビンに配置される前記第２の組の薬物の前記一部を決定することと、
該一部を識別するデータを送信することと
をさらに含む、請求項１７に記載の方法。
【請求項１９】
前記患者のための更新された薬物発注を受信することと、
前記分配機器のユーザから受信した入力に少なくとも部分的に基づいて、前記選択された患者別ビンにおける在庫を追跡することと、
該選択された患者別ビンに配置される前記第２の組の薬物の前記一部が、該更新された薬物発注および該追跡された在庫に基づいて再ストックまたは取り除かれるか否かを決定することと
をさらに含む、請求項１７に記載の方法。
【請求項２０】
前記選択された患者別ビンに配置される細目を識別するデータを中央サーバコンピュータシステムから無線で受信することと、
該選択された患者別ビンから除去された細目を識別するデータを無線で送信することと
をさらに含む、請求項１７に記載の方法。
【発明の詳細な説明】
【技術分野】
【０００１】
（相互参照）
本願は、次の米国仮特許出願の優先権の利益を主張する：米国特許出願第６０／９４４，９９５号（代理人整理番号第０１６１６６−００４２００ＵＳ号、２００７年６月１９日出願、名称「ＰＡＴＩＥＮＴ−ＳＰＥＣＩＦＩＣ  ＢＩＮＳ」、米国特許出願第６０／９９１，５４７号（代理人整理番号第０１６１６６−００４２１ＯＵＳ号、２００７年１１月３０日、名称「ＰＡＴＩＥＮＴ−ＳＰＥＣＩＦＩＣ  ＢＩＮ  ＳＹＳＴＥＭＳ，ＭＥＴＨＯＤＳ，ＡＮＤ  ＤＥＶＩＣＥＳ」）。本願は、また、次の米国特許出願の優先権を主張する：米国特許出願第１２／１４０，９６４号（代理人整理番号第０１６１６６−００４２２０ＵＳ号，２００８年６月１７日出願、名称「ＰＡＴＩＥＮＴ−ＳＰＥＣＩＦＩＣ  ＢＩＮ  ＳＹＳＴＥＭＳ，ＭＥＴＨＯＤＳ，ＡＮＤ  ＤＥＶＩＣＥＳ」）、米国特許出願第１２／１４０，９６６号（代理人整理番号第０１６１６６−００４２２１ＵＳ号、２００８年６月１７日出願、名称「ＳＴＡＴＵＳ  ＤＥＳＩＧＮＡＴＩＯＮ  ＦＯＲ  ＤＩＳＰＥＮＳＩＮＧ  ＤＥＶＩＣＥ  ＳＹＳＴＥＭＳ  ＡＮＤ  ＭＥＴＨＯＤＳ」）、米国特許出願第１２／１４０，９６９号（代理人整理番号第０１６１６６−００４２２２ＵＳ号、２００８年６月１７日出願、名称「ＰＡＴＩＥＮＴ−ＳＰＥＣＩＦＩＣ  ＢＩＮ  ＡＳＳＩＧＮＭＥＮＴ  ＳＹＳＴＥＭＳ，ＭＥＴＨＯＤＳ，ＡＮＤ  ＤＥＶＩＣＥ」）；米国特許出願第１２／１４０，９７０号（代理人０１６１６６−００４２２３ＵＳ号，２００８年６月１７日、名称「ＭＡＮＡＧＥＭＥＮＴ  ＯＦ  ＰＡＴＥＮＴ  ＴＲＡＮＳＦＥＲ  ＳＹＳＴＥＭＳ，ＭＥＴＨＯＤＳ，ＡＮＤ  ＤＥＶＩＣＥＳ」）；米国特許出願第１２／１４０，９７１号（代理人整理番号第０１６１６６−００４２２４ＵＳ号、２００８年６月１７日、名称「ＲＥＭＯＶＡＬ  ＯＲ  ＲＥＴＵＲＮ  ＯＦ  ＩＴＥＭＳ  ＡＳＳＯＣＩＡＴＥＤ  ＷＩＴＨ  Ａ  ＰＡＴＩＥＮＴ−ＳＰＥＣＩＦＩＣ  ＢＩＮ  ＳＹＳＴＥＭＳ  ＡＮＤ  ＭＥＴＨＯＤＳ」）；米国特許出願第１２／１４０，９７５号（代理人整理番号０１６１６６−００４２２５ＵＳ号、２００８年６月１７日、名称「ＩＤＥＮＴＩＦＹＩＮＧ  ＩＴＥＭＳ  ＦＯＲ  ＲＥＳＴＯＣＫＩＮＧ  ＯＦ  Ａ  ＤＩＳＰＥＮＳＩＮＧ  ＤＥＶＩＣＥ  ＳＹＳＴＥＭＳ  ＡＮＤ  ＭＥＴＨＯＤＳ」）；米国特許出願第１２／１４０，９７９号（代理人整理番号第０１６１６６−００４２２６ＵＳ号、２００８年６月１７日、名称「ＢＩＮ  ＡＬＬＯＣＡＴＩＯＮ  ＳＹＳＴＥＭＳ，ＭＥＴＨＯＤＳ，ＡＮＤ  ＤＥＶＩＣＥＳ」）；米国特許出願第１２／１４０，９８３号（代理人整理番号第０１６１６６−００４２２７ＵＳ号、２００８年６月１７日出願、名称「ＨＡＮＤＬＩＮＧ  ＯＦ  ＰＡＴＩＥＮＴ’Ｓ  ＯＷＮ  ＭＥＤＩＣＩＮＥ  ＳＹＳＴＥＭＳ，ＭＥＴＨＯＤＳ，ＡＮＤ  ＤＥＶＩＣＥＳ」）；および、米国特許出願第１２／１４０，９８５号（代理人整理番号第０１６１６６−００４２２８ＵＳ号、２００８年６月１７日出願、名称「ＨＡＮＤＬＦＮＧ  ＯＦ  ＭＵＬＴＩ−ＵＳＥ  ＩＴＥＭ  ＳＹＳＴＥＭＳ，ＭＥＴＨＯＤＳ，ＡＮＤ  ＤＥＶＩＣＥＳ」）。本願は、前述の出願の内容の全体をすべての目的のために本明細書に参考として援用する。
【０００２】
（発明の分野）
本発明は、概して、医療施設における薬物および他の医療用品の保管および配布の管理に関し、具体的には、患者別ビンに関する。
【背景技術】
【０００３】
多くの医療施設では、特定の場所での使用に対して細目が利用可能であることは有益であり得る。例えば、病院では、開業者は、患者が治療を受ける場所の近くに薬物（調合薬を含む）および他の細目を置くことが便利であると考え得る。看護ステーションは、このような場所の１つであり、看護師は、特定の薬物を容易に利用可能にすることがより効率的であると考え得る。分配する細目の種類、細目を使用する環境、およびその同等物に応じて、多種多様の分配キャビネットが用いられている。
【０００４】
典型的には、薬物は、分配ユニットに配置され、分配ユニットの各々は、多数の異なる患者に使用する特定の細目を保管する。しかしながら、この種類の保管構成のために、しばしば、複数の場所で細目を保管することになり、これにより、供給の非効率が生じ得る。また、この細目別保管および配布モデルによって、請求不一致および補給管理の課題が生じ得る。ゆえに、上述の問題のうちの１つ以上に対処するとともに薬物の配布管理を提供するシステム、方法、または機器を作成することが有益である。
【発明の概要】
【課題を解決するための手段】
【０００５】
薬物および医療施設における他の医療用品の保管および配布のためのシステム、方法、および機器について説明する。施設における分配機器（例えば、キャビネット）は、薬物および他の医療用品の保管のために多数のビンを含み、ビンのうちのいくつかは、患者別保管および分配機能への割り当てに利用可能である患者別ビンとして配分され得る。
【０００６】
分配機器のコンピュータと通信する中央サーバコンピュータシステムは、分配機器のビンの現在および今後の患者別使用を割り当ておよび監視し得る。患者別ビンからの細目の補給および除去の両方は、中央サーバコンピュータシステムによって管理され得る。また、中央サーバコンピュータシステムは、患者の転送または退院中に、薬物およびビンの割り当ての処理を管理し得る。また、多数回使用細目および患者により医療施設に持ち込まれた細目の管理も提供される。
【０００７】
薬局等の中央分配ユニットは、分配機器を適切なレベルに補給または再補給するために、中央サーバコンピュータシステムおよび分配機器コンピュータと通信し得る。いくつかの実施形態では、患者別ビンの割り当ておよび管理は、システムにおいて分散される機器（例えば、分配機器）によって実行され得る。
（項目１）
分配機器のシステムであって、
医療施設において薬物を分配するための複数の分配機器のうちの１つを備える分配機器であって、
排他的使用のために患者に割り当てられる１つ以上の患者別ビンと、
複数の患者による使用に利用可能である細目への割り当てのために各々が配分される１つ以上の細目別ビンと
によって構成される、分配機器と、
該分配機器に通信可能に連結される中央サーバコンピュータシステムであって、
該患者のための薬物発注を分析して、該薬物発注からの第１の組の薬物を該１つ以上の細目別ビンに保管される薬物として識別することと、
該薬物発注を分析して、該薬物発注からの第２の組の薬物を該１つ以上の患者別ビンにおいて該患者のために保管される薬物として識別することと、
該第２の組の薬物の少なくとも部分集合を、該１つ以上の患者別ビンのうちの選択された患者別ビンに関連付けることと
を実行するように構成される、中央サーバコンピュータシステムと
を備える、システム。
（項目２）
前記中央サーバコンピュータシステムは、
前記第１の組の薬物の前記部分集合の保管のために、前記選択された患者別ビンを自動的に識別することと、
前記複数の患者への供給に利用可能である複数の追加のユニットの前記細目の保管のために、前記１つ以上の細目別ビンのうちの選択された細目別ビンを自動的に識別することと
を実行するようにさらに構成される、項目１に記載のシステム。
（項目３）
前記分配機器は、前記選択された患者別ビンにおいて補給または削除された薬物の識別子を送信するようにさらに構成され、
前記中央サーバコンピュータシステムは、
該送信された識別子を受信することと、
該受信した識別子に少なくとも部分的に基づいて、該選択された患者別ビンにおける補給を追跡することと
を実行するようにさらに構成される、項目１に記載のシステム。
（項目４）
前記中央サーバコンピュータシステムは、
前記患者のための前記薬物発注にアクセスすることと、
該アクセスされた薬物を、前記分配機器における前記１つ以上の細目別ビンに保管される細目のリストと比較することに基づいて、前記第２の組の薬物を識別することと
を実行するようにさらに構成される、項目１に記載のシステム。
（項目５）
前記中央サーバコンピュータシステムは、
前記選択された患者別ビンにおける補給を追跡することと、
該追跡された補給に少なくとも部分的に基づいて、該選択された患者別ビンにおいて再補給される細目を識別する情報を送信することと
を実行するようにさらに構成される、項目１に記載のシステム。
（項目６）
前記選択された患者別ビンにおいて再補給される前記細目を識別する前記送信された情報を受信することと、
該選択された患者別ビンに配置される該細目のうち、中央分配ユニットにおいて利用可能である細目を識別するために、該受信した情報を処理することと
を実行するように構成される中央分配ユニットをさらに備える、項目５に記載のシステム。
（項目７）
前記分配機器は、無線通信するように構成される移動式分配機器である、項目１に記載のシステム。
（項目８）
前記複数の分配機器のうちの固定式分配機器であって、前記患者に割り当てられる第２の患者別ビンを含む、固定式分配機器をさらに備え、
前記中央サーバコンピュータシステムは、該第２の患者別ビンから前記選択された患者別ビンに転送される薬物を識別するようにさらに構成される、
項目７に記載のシステム。
（項目９）
前記分配機器は、キャビネットを備え、
前記選択された患者別ビンは、容器、機構、場所、区域、または任意のそれらの組み合わせを備える、
項目１に記載のシステム。
（項目１０）
医療施設において医療用品を分配するための分配機器であって、
排他的使用のために各々が患者に割り当てられる複数の患者別ビンと、
複数の患者による使用に利用可能である細目への割り当てのために各々が配分される複数の細目別ビンと、
該複数の患者別ビンおよび該複数の細目別ビンに通信可能に連結されるコンピュータであって、
該患者の薬物発注からの第１の組の薬物を、該複数の細目別ビンに保管される薬物として識別することと、
該薬物発注からの第２の組の薬物を、該複数の患者別ビンにおいて患者のために保管される薬物として識別することであって、該第２の組は第１の組を除外する、ことと、
該第２の組の薬物の少なくとも部分集合を、該複数の患者別ビンのうちの選択された患者別ビンに関連付けることと
を実行するように構成される、コンピュータと
を備える、分配機器。
（項目１１）
前記コンピュータは、遠隔場所から追跡された前記選択された患者別ビンにおける補給に少なくとも部分的に基づいて、該患者別ビンに再補給される細目を識別する情報を、該遠隔場所から受信するようにさらに構成される、項目１０に記載の分配機器。
（項目１２）
前記コンピュータに通信可能に連結され、かつ、前記選択された患者別ビンのための薬物の識別子を読み取るように構成される読み取り器と、
該コンピュータに通信可能に連結され、かつ、前記遠隔場所において指示される該識別子を送信するように構成される送信ユニットと
をさらに備える、項目１１に記載の分配機器。
（項目１３）
前記コンピュータは、前記複数の患者別ビンの前記患者への前記割り当てを指示するデータを受信するようにさらに構成される、項目１０に記載の分配機器。
（項目１４）
前記コンピュータは、
前記薬物発注が生成された後に、前記選択された患者別ビンを前記患者に割り当てることと、
該選択された患者別ビンにおける補給を追跡することと、
該追跡された補給に少なくとも部分的に基づいて、該選択された患者別ビンに再補給される細目を識別する情報を送信すること
を実行するようにさらに構成される、項目１０に記載の分配機器。
（項目１５）
前記分配機器は、遠隔の中央サーバコンピュータシステムと無線通信するように構成される移動式分配機器である、項目１０に記載の分配機器。
（項目１６）
前記分配機器は、固定式キャビネットを備え、
前記選択された患者別ビンは、前記患者のための複数の薬物を保持し、
該選択された患者別ビンは、該分配機器内に容器、機構、または区域を備える、
項目１０に記載の分配機器。
（項目１７）
医療用品を分配する方法であって、
患者に関連付けられる分配機器における複数のビンを、排他的使用のための複数の患者のうちの選択された患者への割り当てに各々が利用可能な患者別ビンとして配分することと、
該分配機器における複数のビンを、細目への割り当てに各々が利用可能である細目別ビンとして配分することであって、各細目別ビンは、該複数の患者による使用のために複数のユニットの特定の細目を保持することに利用可能であることと、
患者のための薬物発注を分析して、薬物発注からの第１の組の薬物を、該複数の細目別ビンに保管される薬物として識別することと、
該薬物発注を分析して、該薬物発注からの第２の組の薬物を、該複数の患者別ビンにおける該患者のために保管される薬物として識別することであって、該第２の組は該第１の組を除外する、ことと、
該第２の組の薬物の少なくとも部分集合を、該複数の患者別ビンのうちの選択された患者別ビンに関連付けることと
を含む、方法。
（項目１８）
前記患者のための前記選択された患者別ビンに配置される前記第２の組の薬物の前記部分集合を決定することと、
該部分集合を識別するデータを送信することと
をさらに含む、項目１７に記載の方法。
（項目１９）
前記患者のための更新された薬物発注を受信することと、
前記分配機器のユーザから受信した入力に少なくとも部分的に基づいて、前記選択された患者別ビンにおける補給を追跡することと、
該選択された患者別ビンに配置される前記第２の組の薬物の前記部分集合が、該更新された薬物発注および該追跡された補給に基づいて再補給または除去されるか否かを決定することと
をさらに含む、項目１７に記載の方法。
（項目２０）
前記選択された患者別ビンに配置される細目を識別するデータを中央サーバコンピュータシステムから無線で受信することと、
該選択された患者別ビンから除去された細目を識別するデータを無線で送信することと
をさらに含む、項目１７に記載の方法。
（項目２１）
患者別ビンを細目群に関連付ける方法であって、
患者による排他的使用のために、分配機器における患者別ビンを患者に割り当てることと、
細目群を該患者別ビンに関連付けることであって、該細目群は薬物の選択を含むことと、
該患者によって使用されるが、薬物の選択には含まれない薬物を、該割り当てられた患者別ビンに保管することを防止する、ことと
を含む、方法。
（項目２２）
ユーザを前記細目群に関連付けることと、
該ユーザと該細目群との間の該関連付けに基づいて、前記割り当てられた患者別ビンへの前記ユーザアクセスを許可することと
をさらに含む、項目２１に記載の方法。
（項目２３）
前記ユーザが前記細目群に関連付けられないことを理由に、前記割り当てられた患者別ビンへのユーザアクセスを拒否することをさらに含む、項目２１に記載の方法。
（項目２４）
多様な制御レベルを、前記割り当てられた患者別ビンに関連付けることと、
患者によって使用されるが、該多様な制御レベルに含まれない薬物を該割り当てられた患者別ビンに保管することを防止することと
をさらに含む、項目２１に記載の方法。
（項目２５）
前記細目群は、呼吸薬物、冷蔵薬物、および救急薬物から成る群から選択される薬物のクラスを含む、項目２１に記載の方法。
（項目２６）
分配機器のシステムであって、
薬物のための複数の分配機器であって、該複数の分配機器のうちの少なくとも部分集合は、１つ以上の患者別ビンを含む、分配機器と、
該複数の分配機器のうちの少なくとも部分集合と通信可能に連結される中央サーバコンピュータシステムであって、
該複数の分配機器のうちの第１の分配機器を識別することであって、該第１の分配機器は、患者に関連付けられる第１の場所を担当する、ことと、
第１の状況を該第１の分配機器に指定することであって、該第１の状況は、該第１の分配機器において該患者に許可される第１の組のサービスを識別する、ことと、
該複数の分配機器のうちの第２の分配機器を識別することであって、該第２の分配機器は、該患者に関連付けられる第２の場所を担当する、ことと、
第２の状況を該第２の分配機器に指定することであって、該第２の状況は、該第２の分配機器において該患者に許可される第２の組のサービスを識別し、少なくとも該第２の組のサービスの部分集合は、該第１の組のサービスに含まれない、ことと
を実行するように構成される、中央サーバコンピュータシステムと
を備える、システム。
（項目２７）
前記第１の状況指定および前記第２の状況指定は、同時に有効である、項目２６に記載のシステム。
（項目２８）
前記中央サーバコンピュータシステムは、
前記患者が前記第２の場所に物理的に到着したことを確認する情報を受信すると、前記第１の状況指定を変更すること
を実行するようにさらに構成される、項目２６に記載のシステム。
（項目２９）
前記中央サーバコンピュータシステムは、
前記患者が前記第１の場所から物理的に出発したことを確認する情報を受信すると、前記第１の状況指定を変更すること
を実行するようにさらに構成される、項目２６に記載のシステム。
（項目３０）
前記変更された状況指定は、前記第１の分配機器における前記患者のための患者別ビンに保管された細目の除去を始動する、項目２９に記載のシステム。
（項目３１）
前記中央サーバコンピュータシステムは、
前記患者の物理的場所が変更したことを確認する情報を受信すると、前記第１の状況指定および前記第２の状況指定を変更すること
を実行するようにさらに構成される、項目２６に記載のシステム。
（項目３２）
前記第１の状況は、前記第１の場所に関連付けられる進行中状況であり、前記第１の場所は、前記患者のために割り当てられる現在の病室を含み、
前記第２の状況は、前記第２の場所に関連付けられる暫定的状況であり、前記第２の場所は、該患者のために割り当てられた前の病室を含む、
項目２６に記載のシステム。
（項目３３）
前記患者は、前記第２の場所に物理的に位置するが、前記第１の場所は、前記第１の状況を有し、前記第２の場所は、前記第２の状況を有する、項目３２に記載のシステム。
（項目３４）
前記第１の状況指定は、前記第１の分配機器おいて前記患者を担当する使用者の挙動を制限する、項目２６に記載のシステム。
（項目３５）
前記制限は、細目の除去および返却に関する制限を含む、項目３４に記載のシステム。
（項目３６）
前記第１の状況指定は、前記第１の分配機器が移動式分配機器であることを表示し、それによって、該第１の分配機器における再補給動作を制限する、項目２６に記載のシステム。
（項目３７）
前記第１の分配機器は、固定式キャビネットを備え、
前記第２の分配機器は、医療施設における医療処置中の一時的な使用のためのキャビネットを備え、
前記複数のビンは、容器、機構、場所、区域、または任意のそれらの組み合わせを備える、
項目２６に記載のシステム。
（項目３８）
前記中央サーバコンピュータシステムは、
前記第２の分配機器における患者別ビンを前記患者に割り当てるようにさらに構成され、前記第２の状況指定は、該割り当てられた患者別ビンにおいて前記患者に許可されるサービスを制御する、
項目２６に記載のシステム。
（項目３９）
薬物を分配する方法であって、
患者に関連付けられる第１の場所を担当する第１の分配機器を識別することと、
第１の状況を該第１の分配機器に指定することであって、該第１の状況は、該第１の分配機器において該患者に許可される第１の組のサービスを識別する、ことと、
該患者に関連付けられる第２の場所を担当する第２の分配機器を識別することと、
第２の状況を該第２の分配機器に指定することであって、該第２の状況は、該第２の分配機器において該患者に許可される第２の組のサービスを識別し、少なくとも該第２の組のサービスの部分集合は、第１の組のサービスに含まれない、ことと
を含む、方法。
（項目４０）
前記第１の状況指定および前記第２の状況指定は、同時に有効である、項目３９に記載の方法。
（項目４１）
前記患者が前記第２の場所に物理的に到着したことを確認する情報を受信すると、前記第１の状況指定を変更することをさらに含む、項目３９に記載の方法。
（項目４２）
前記患者が前記第１の場所から物理的に出発したことを確認する情報を受信すると、前記第１の状況指定を変更することをさらに含む、項目３９に記載の方法。
（項目４３）
前記変更した第１の状況指定は、前記第１の分配機器において前記患者のために患者別ビンに保管された細目の除去を始動させる、項目４２に記載の方法。
（項目４４）
前記患者の物理的場所が変更したことを確認する情報を受信すると、前記第１の状況指定および前記第２の状況指定を変更することをさらに含む、項目３９に記載の方法。
（項目４５）
前記患者のための再補給リストが、前記第１の状況指定に少なくとも部分的に基づいて送信されるべき場所を決定することをさらに含む、項目３９に記載の方法。
（項目４６）
前記第１の状況指定に少なくとも部分的に基づいて、前記第１の分配機器において前記患者を担当する使用者に許可される動作を制限することをさらに含む、項目３９に記載の方法。
（項目４７）
前記第１の分配機器における患者別ビンを前記患者に割り当てることであって、前記第１の状況指定は、該割り当てられた患者別ビンにおいて該患者に許可されるサービスを限定することをさらに含む、項目３９に記載の方法。
（項目４８）
薬物を分配するためのシステムであって、
１つ以上の患者別ビンを含む薬物のための分配機器と、
該分配機器に通信可能に連結される中央サーバコンピュータシステムであって、
患者に関連付けられる第１の場所を担当する分配機器として、該分配機器を識別することと、
該分配機器において該患者に許可されるサービスの組を限定する、該分配機器に対する状況を指定することと、
該患者による物理的場所変更を確認する情報を受信することに少なくとも部分的に基づいて、該分配機器のための該指定された状況を変更することと
を実行するように構成される、中央サーバコンピュータシステムと
を備える、システム。
（項目４９）
前記物理的場所変更を確認する前記情報は、前記患者が前記第１の場所から物理的に出発したことか、または第２の場所に物理的に到着したことを確認する情報を受信することを含む、項目４８に記載のシステム。
（項目５０）
前記状況は、
前記患者が居ると推定される場所に対する分配機器の状況を含む進行中状況と、
該患者が前に位置していた場所に対する分配機器の状況を含む暫定的状況であって、該患者が物理的に移動したという確認を受信するまで不変である、暫定的状況と、
患者の前の位置に対する分配機器の状況を含む非進行中状況と、
医療施設における医療処置中の一時的使用のための状況を含む一時的状況と、
移動式分配機器に対する状況とを含む移動式状況と
から成る群からの選択を含み得る、項目４８に記載のシステム。
（項目５１）
再発注される薬物発注からの選択された細目を決定するためのシステムであって、
医療施設における複数の分配機器のうちの分配機器であって、
排他的使用のために複数の患者のうちの一人の患者に割り当てられる１つ以上の患者別ビンと、
該複数の患者による使用に利用可能である細目のために各々が配分される１つ以上の細目別ビンと
を含む、分配機器と、
該分配機器に通信可能に連結される中央サーバコンピュータシステムであって、
該一人の患者のための薬物発注を受信することと、
該薬物発注を、該分配機器における該１つ以上の細目別ビンに保管される薬物のリストと比較して、該機器における該１つ以上の患者別ビンに保管される該薬物発注の細目の部分集合を決定することと、
該部分集合の該細目のうちの少なくとも１つについて、それぞれの細目の再発注を始動させる再発注レベルを自動的に識別することと、
該細目のうちの該少なくとも１つの各々について、該機器における該患者のための該１つ以上の患者別ビンが、該識別された再発注レベル以下であるか否かを決定することと
を実行するように構成される、中央サーバコンピュータシステムと
を備える、システム。
（項目５２）
前記中央コンピュータシステムは、前記薬物発注の細目の前記部分集合に対する現在の供給レベルを識別するデータを前記分配機器から受信するようにさらに構成され、該受信したデータは、該機器における前記患者のための前記患者別ビンが、前記識別された再発注レベル以下であるか否かに関する決定において使用される、項目５１に記載のシステム。
（項目５３）
前記中央コンピュータシステムは、前記分配機器において前記識別された再発注レベル以下であると決定された１つ以上の細目の各々について、該分配機器における前記患者のための再発注量を識別するようにさらに構成される、項目５１に記載のシステム。
（項目５４）
前記中央コンピュータシステムは、
前記再発注量を送信することと、
更新された薬物発注に少なくとも部分的に基づいて該再発注量を修正することと、
該修正された再発注量を送信することと
を実行するようにさらに構成される、項目５３に記載のシステム。
（項目５５）
前記中央コンピュータシステムは、前記分配機器において前記識別された再発注レベル以下であると決定された１つ以上の細目について、該分配機器の再補給の際に、前記患者のための該１つ以上の細目の各々提供する標的レベルを識別するようにさらに構成される、項目５１に記載のシステム。
（項目５６）
前記中央コンピュータシステムは、前記分配機器において前記識別された再発注レベル以下であると決定された１つ以上の細目の各々について、前記標的レベルを現在の供給レベルと比較することによって、該分配機器における前記患者のための再発注量を識別するようにさらに構成される、項目５５に記載のシステム。
（項目５７）
前記中央コンピュータシステムは、前記薬物発注を利用して、前記細目の部分集合のうちの前記少なくとも１つに関する前記患者による使用率を決定し、該使用率を利用して前記標的レベルを識別するようにさらに構成される、項目５５に記載のシステム。
（項目５８）
前記中央コンピュータシステムは、前記分配機器において前記識別された再発注レベル以下であると決定された前記１つ以上の細目のための標的日別供給を識別し、該標的日別供給を使用して前記標的レベルを識別するようにさらに構成される、項目５５に記載のシステム。
（項目５９）
前記中央コンピュータシステムは、前記薬物発注を利用して、細目の前記部分集合のうちの前記少なくとも１つに関する前記患者による前記使用率を決定し、該使用率を利用して前記再発注レベルを識別するようにさらに構成される、項目５１に記載のシステム。
（項目６０）
前記中央コンピュータシステムは、細目の前記部分集合のうちの前記少なくとも１つに関する前記患者による使用率の変更に少なくとも部分的に基づいて、再発注レベルを修正するようにさらに構成される、項目５１に記載のシステム。
（項目６１）
前記１つ以上の患者別ビンは、一時的使用のために前記患者に割り当てられ、前記薬物発注は、今後の薬物発注である、項目５１に記載のシステム。
（項目６２）
再発注される薬物発注からの選択された細目を決定する方法であって、
分配機器に関連付けられる患者のための薬物発注を受信することと、
該薬物発注を、該分配機器における細目別ビンに保管される薬物のリストと比較して、該機器における患者別ビンに保管される該薬物発注の細目の部分集合を決定することと、
該部分集合の該細目のうちの少なくとも１つについて、それぞれの細目の再発注を始動させる再発注レベルを自動的に識別することと、
該細目のうちの該少なくとも１つの各々について、該機器における該患者のための該患者別ビンが、該識別された再発注レベル以下であることを決定することと
を含む、方法。
（項目６３）
前記薬物発注の細目の前記部分集合に対する現在の供給レベルを識別するデータを前記分配機器から受信することであって、該受信したデータは、該機器における前記患者のための前記患者別ビンが、前記識別された再発注レベル以下であるか否かに関する決定において使用される、ことをさらに含む、項目６２に記載の方法。
（項目６４）
前記分配機器において前記識別された再発注レベル以下であると決定された１つ以上の細目の各々について、該分配機器における前記患者の再発注量を識別することをさらに含む、項目６２に記載の方法。
（項目６５）
前記分配機器において前記識別された再発注レベル以下であると決定された１つ以上の細目について、該分配機器の再補給の際に、前記患者のための前記１つ以上の細目の各々を提供する標的レベルを識別することをさらに含む、項目６２に記載の方法。
（項目６６）
前記分配機器において前記識別された再発注レベル以下であると決定された１つ以上の細目の各々について、前記標的レベルを現在の供給レベルと比較することによって、該分配機器における前記患者のための再発注量を識別することをさらに含む、項目６５に記載の方法。
（項目６７）
前記薬物発注を利用して、前記細目の部分集合のうちの前記少なくとも１つに関する前記患者による使用率を決定することであって、該使用率が利用されて前記標的レベルを識別する、ことをさらに含む、項目６５に記載の方法。
（項目６８）
前記分配機器において前記識別された再発注レベル以下であると決定された前記１つ以上の細目のための標的日別供給を識別することであって、該標的日別供給が使用されて前記標的レベルを識別することをさらに含む、項目６５に記載の方法。
（項目６９）
前記分配機器における前記患者のための前記１つ以上の細目の各々に関する供給レベルが前記標的レベルを上回るか否かを決定することをさらに含む、項目６５に記載の方法。
（項目７０）
前記薬物発注を利用して、前記標的レベルを上回る前記細目に対する残りの使用を決定することと、
該残りの使用に少なくとも部分的に基づいて、該標的レベルを上回る細目の少なくともいくつかの除去を指示するデータを送信することと
をさらに含む、項目６９に記載の方法。
（項目７１）
前記薬物発注を利用して、細目の前記部分集合のうちの前記少なくとも１つに関する前記患者による前記使用率を決定することであって、該使用率が利用されて前記再発注レベルを識別する、ことをさらに含む、項目６２に記載の方法。
（項目７２）
細目の前記部分集合のうちの前記少なくとも１つに関する前記患者による使用率の変更に少なくとも部分的に基づいて、再発注レベルを修正することをさらに含む、項目６２に記載の方法。
（項目７３）
前記部分集合の前記細目のうちの前記少なくとも１つの各々に関する最小日別供給を識別して、前記再発注レベルを識別することをさらに含む、項目６２に記載の方法。
（項目７４）
前記薬物発注は、今後の薬物発注である、項目６２に記載の方法。
（項目７５）
再発注量を決定するための機器であって、
分配機器に関連付けられる患者のための薬物発注を受信するように構成される受信ユニットと、
該受信ユニットに通信可能に連結される処理ユニットであって、
該薬物発注を該分配機器における細目別ビンに保管される薬物のリストと比較して、該機器における患者別ビンに保管される該薬物発注の細目の部分集合を決定することと、
該部分集合の該細目のうちの少なくとも１つについて、それぞれの細目の再発注を始動させる再発注レベルを自動的に識別することと、
該細目のうちの該少なくとも１つの各々について、該機器における該患者のための該患者別ビンが、該識別された再発注レベル以下であるか否かを決定することと、
該分配機器において該識別された再発注レベル以下であると決定された１つ以上の細目の各々について、該分配機器における該患者の再発注量を識別することと
を実行するように構成される、処理ユニットと、
該処理ユニットに通信可能に連結され、かつ、該再発注量を特定するデータを送信するように構成される送信ユニットと
を備える、機器。
（項目７６）
患者別ビンを患者に割り当てるためのシステムであって、
医療用品のための複数の分配機器であって、該複数の分配機器の少なくとも部分集合は、患者の割り当てに配分される１つ以上の患者別ビンを含む、分配機器と、
該複数の分配機器の各々に通信可能に連結される中央サーバコンピュータシステムであって、
該患者によって占有される場所の識別を受信することと、
該場所と該識別された分配機器との間の関連付けに少なくとも部分的に基づいて、該複数の分配機器のうちの分配機器を識別することと、
該識別された機器内の複数のビンから、１つ以上の利用可能な患者別ビンを自動的に識別することと、
該識別された患者別ビンのうちの選択された第１の患者別ビンを該患者に割り当てることと
を実行するように構成される、中央サーバコンピュータシステムと
を備える、システム。
（項目７７）
前記複数のビンは、患者への割り当てに配分される第１の組の患者別ビンと、複数の患者による使用のための細目への割り当てに配分される第２の組の細目別ビンとを含む、項目７６に記載のシステム。
（項目７８）
前記中央サーバコンピュータシステムは、
前記場所に関連付けられる前記分配機器が、前記複数のビンにおける患者別ビンとして配分される１つ以上の利用可能なビンを現在含まないことを決定すること、
該決定に少なくとも部分的に基づいて、該複数のビンのうちの１つ以上の利用可能なビンを患者別ビンとして配分することと
を実行するようにサラニ構成される、項目７７に記載のシステム。
（項目７９）
前記中央サーバコンピュータシステムは、
前記分配機器において前記患者に前に割り当てられた第２の患者別ビンが、１つ以上の患者別ビンにおいて該患者のために保管される識別された医療用品に利用可能な容量を不十分にしか有しないことを決定することと、
前記場所に関連付けられる該分配機器が、患者別ビンとして配分され、かつ、該識別された医療用品の保管に十分な容量を有するように構成される利用可能なビンを現在含まないことを決定することと、
該識別された医療用品のための十分な保管容量に関する決定に少なくとも部分的に基づいて、該複数のもののうちの１つ以上の利用可能なビンを患者別ビンとして再配分し、前記第１の割り当てられた患者別ビンは、該再配分されたビンのうちの選択されたビンを備えることと
を実行するようにさらに構成される、項目７７に記載のシステム。
（項目８０）
前記中央サーバコンピュータシステムは、
１つ以上の患者別ビンにおいて前記患者のために保管される医療用品のリストを受信することと、
該受信したリストに関連付けられる保管要件を決定することであって、１つ以上の利用可能な患者別ビンの前記自動識別は、該決定された保管要件に少なくとも部分的に基づく、
ことと
を実行するようにさらに構成される、項目７７に記載のシステム。
（項目８１）
前記保管要件には、制御レベル、追加のセキュリティ要件、細目群、保管種類要件、および保管容量要件が含まれる、項目８０に記載のシステム。
（項目８２）
前記中央サーバコンピュータシステムは、
前記分配機器における患者別保管のための現在または今後の計画に基づいて、前記細目別ビンの前記組の部分集合を、前記患者別ビンの組に自動的に再配分するようにさらに構成される、項目７７に記載のシステム。
（項目８３）
前記中央サーバコンピュータシステムは、
１つ以上の患者別ビンが、前記患者のために保管される識別された医療用品に利用可能な容量を不十分に有することを表示する情報を受信することと、
該識別された医療用品に十分な保管容量を提供するために、該患者別ビンの組のうちの１つ以上の追加の利用可能なビンを自動的に識別することと
を実行するようにさらに構成される、項目７７に記載のシステム。
（項目８４）
前記医療用品のリストは、前記患者に処方される進行中および今後の薬物を含む、項目７６に記載のシステム。
（項目８５）
前記中央サーバコンピュータシステムは、
前記患者のための医療用品のリストを受信することと、
前記細目別ビンの組を分析して、前記第２の組のビン内に保管される該リストの医療用品を識別することと、
前記１つ以上の患者別ビンに保管される該リストの医療用品を識別するデータを送信することと
を実行するようにさらに構成される、項目７６に記載のシステム。
（項目８６）
前記識別された患者別ビンのうちの前記選択された第１の患者別ビンの前記患者への前記割り当ては、自動割り当てを備える、項目７６に記載のシステム。
（項目８７）
前記中央サーバコンピュータシステムは、
前記患者のための医療用品の保管のための前記第１の割り当てられた患者別ビンを自動的に識別することと、
該自動識別を含むデータを該分配機器に送信することと
実行するようにさらに構成される、項目７６に記載のシステム。
（項目８８）
前記中央サーバコンピュータシステムは、前記分配機器を医療施設における複数の病室に関連付けるようにさらに構成され、前記患者によって占有される前記場所は、前記複数のもののうちのひとつの病室を備える、項目７６に記載のシステム。
（項目８９）
前記中央サーバコンピュータシステムは、
識別された患者別ビンが、前記患者のために保管される医療用品の保管に適格であることを決定することと、
該患者が、該識別された利用可能なビンへの割り当てに適格であることを決定することと
を実行するようにさらに構成される、項目７６に記載のシステム。
（項目９０）
前記第１の分配機器は、キャビネットを備え、
前記複数のビンは、容器、機構、場所、区域、または任意のそれらの組み合わせを備える、項目７６に記載のシステム。
（項目９１）
前記中央サーバコンピュータシステムは、
前記識別された患者別ビンの少なくとも部分集合を表示するように構成される選択可能使用者インターフェースを送信することと、
前記患者に割り当てられる該患者別ビンを選択する該選択可能使用者インターフェースを介して選択を受信することと
を実行するようにさらに構成される、項目７６に記載のシステム。
（項目９２）
患者別ビンを患者に割り当てる方法であって、
該患者によって占有される病室の識別を受信することと、
複数の分配機器のうちの分配機器を識別することであって、該病室と該識別された分配機器との間の関連付けに少なくとも部分的に基づいている、ことと、
該識別された機器内の複数のビンから、１つ以上の利用可能な患者別ビンを自動的に識別することと、
該識別された患者別ビンのうちの選択された第１の患者別ビンを該患者に割り当てることと
を含む、方法。
（項目９３）
前記複数のビンは、患者への割り当てに配分される第１の組の患者別ビンと、複数の患者による使用のための細目への割り当てに配分される第２の組の細目別ビンとを含む、項目９２に記載の方法。
（項目９４）
前記分配機器内の前記患者に前に割り当てられた第２の患者別ビンが、１つ以上の患者別ビンにおいて該患者のために保管されるべき識別された医療用品に利用可能な容量を不十分に有することを決定することと、
前記病室に関連付けられる該分配機器が、患者別ビンとして配分され、かつ、該識別された医療用品の保管に十分な容量によって構成される利用可能なビンを現在含まないことを決定することと、
該識別された医療用品のための十分な保管容量の決定に少なくとも部分的に基づいて、前記複数のもののうちの１つ以上の利用可能なビンを患者別ビンとして再配分することであって、前記第１の割り当てられた患者別ビンは、該再配分されたビンのうちの選択されたビンを備えることと
をさらに含む、項目９３に記載の方法。
（項目９５）
前記分配機器における患者別保管のための現在または今後の計画に基づいて、前記細目別ビンの前記組の部分集合を、前記患者別ビンの組に自動的に再配分することと、
利用可能な患者別ビンとして第２の患者に割り当てられる１つ以上の空の患者別ビンを自動的に再配分することと
をさらに含む、項目９３に記載の方法。
（項目９６）
１つ以上の患者別ビンにおいて前記患者のために保管される医療用品のリストを受信することと、
前記第１の割り当てられた患者別ビンが、該患者の該リストに記載の医療用品の保管容量を十分に有することを決定することと、
前記識別された患者別ビンのうちの選択された第２の患者別ビンを該患者に割り当てることと
をさらに含む、項目９２に記載の方法。
（項目９７）
前記識別された患者別ビンのうちの前記選択された第１の患者別ビンの前記患者への前記割り当ては、自動割り当てを備える、項目９２に記載の方法。
（項目９８）
前記分配機器を、医療施設の範囲を含む病室の組に関連付けることであって、該範囲は、前記患者によって占有される前記病室を含む、項目９２に記載の方法。
（項目９９）
前記識別された患者別ビンの少なくとも部分集合を表示するように構成される選択可能使用者インターフェースを送信することと、
前記患者に割り当てられる前記患者別ビンを選択する該選択可能使用者インターフェースを介して選択を受信することと
をさらに含む、項目９２に記載の方法。
（項目１００）
患者別ビンを患者に割り当てるための機器であって、
該患者によって占有される場所の識別を受信するように構成される受信ユニットと、
該受信ユニットに通信可能に連結される処理ユニットであって、
前記病室と前記識別された分配機器との間の関連付けに少なくとも部分的に基づいて、前記複数の分配機器のうちのひとつの分配機器を識別することと、
該識別された機器内の複数のビンから、１つ以上の利用可能な患者別ビンを自動的に識別することと、
該識別された患者別ビンのうちの選択された患者別ビンを該患者に割り当てることと
を実行するように構成される、処理ユニットと、
該受信ユニットに通信可能に連結され、かつ、該割り当てを該分配機器に送信するように構成される送信ユニットと
を備える、機器。
（項目１０１）
患者転送を管理するためのシステムであって、
医療施設の複数の分配機器であって、患者のための薬物の排他的保管のために該患者への割り当てに配分される１つ以上の患者別ビンを各々が有する第１の分配機器および第２の分配機器を備える複数の分配機器と、
該複数の分配機器のうちの少なくとも部分集合に通信可能に連結される中央サーバコンピュータシステムであって、
該第１の分配機器に関連付けられる第１の場所から該第２の分配機器に関連付けられる第２の場所まで、該患者が転送されるべきことを表示する転送データの組を受信することと、
該第１の分配機器において該患者に割り当てられる患者別ビンの構成を識別するビン構成データの組を格納することと、
該格納されたビン構成データを該第１の分配機器から該第２の分配機器に適用することと
を実行するように構成される、中央サーバコンピュータシステムと
を備える、システム。
（項目１０２）
前記中央サーバコンピュータシステムは、
前記受信した転送データの組に応答して、前記第１の分配機器から除去する前記患者に対して中断された薬物を自動的に識別するようにさらに構成され、
前記格納された組のビン構成データは、該識別された中断された薬物のみを保管するビンを除外する、項目１０１に記載のシステム。
（項目１０３）
前記中央サーバコンピュータシステムは、
前記患者のための前記第１の分配機器から前記第２の分配機器に転送される薬物を自動的に識別するようにさらに構成され、
前記格納された組のビン構成データは、転送される該識別された薬物を保管するビンを備える、項目１０１に記載のシステム。
（項目１０４）
前記中央サーバコンピュータシステムは、前記第１の分配機器において前記患者に割り当てられる前記患者別ビンの構成に基づいて、前記第２の分配機器のためのビン構成を自動的に識別することによって、前記格納された組のビン構成データを適用するように構成される、項目１０１に記載のシステム。
（項目１０５）
前記第２の分配機器のための前記ビン構成は、前記第１の分配機器において前記患者に割り当てられる患者別ビンの前記構成と同一である、項目１０４に記載のシステム。
（項目１０６）
前記中央サーバコンピュータシステムは、
前記第１の分配機器における前記患者に割り当てられる前記患者別ビンの構成を決定するために、前記第１の分配機器およびその患者別ビンにおける該患者のために保管される前記薬物の記録を監査するようにさらに構成される、項目１０１に記載のシステム。
（項目１０７）
前記ビン構成データの組が格納される際に、前記患者は、前記第１の場所に位置する、項目１０１に記載のシステム。
（項目１０８）
前記患者が第１の場所から物理的に転送された後に、前記ビン構成データの組が格納される、項目１０１に記載のシステム。
（項目１０９）
前記中央サーバコンピュータシステムは、
前記第１の分配機器において前記患者に割り当てられる前記患者別ビンの構成のビンの少なくとも部分集合の各々に使用される容量の割合を決定するようにさらに構成され、
容量の閾値割合を超えて使用する前記格納されたビン構成のビンは、前記第２の分配機器に適用される、項目１０１に記載のシステム。
（項目１１０）
前記中央サーバコンピュータシステムは、
前記格納されたビン構成を前記第２の分配機器に適用する際に、細目別ビンから患者別ビンにビンを再配分すること、
または、
該格納されたビン構成を該第２の分配機器に適用する際に、第２の患者に割り当てられる１つ以上の空の患者別ビンを利用可能な患者別ビンとして再配分すること
を実行するようにさらに構成される、項目１０１に記載のシステム。
（項目１１１）
前記中央サーバコンピュータシステムは、
前記転送データの組を受信することに応答して、前記第２の分配機器に関連付けられる状況を変更するようにさらに構成され、
該変更された状況は、前記第１の機器から該第２の分配機器への前記格納されたビン構成データの前記適用を始動させる、項目１０１に記載のシステム。
（項目１１２）
前記中央サーバコンピュータシステムは、
前記第２の分配機器に転送されるべき薬物のリストを送信することと、
構成データの組を該第２の分配機器に送信することであって、該構成データは、該薬物のリストの前記細目の各々の保管のためのビンを識別する、ことと
を実行するようにさらに構成される、項目１０１に記載のシステム。
（項目１１３）
前記中央サーバコンピュータシステムは、
前記第１の患者別ビンにおいて前記患者のために保管される薬物との相関に少なくとも部分的に基づいて、異なる分配機器に保管される薬物を識別することと、
前記格納されたビン構成を、前記第１の機器から前記異なる分配機器に適用することと
を実行するようにさらに構成される、項目１０１に記載のシステム。
（項目１１４）
前記第１および第２の分配機器の各々は、キャビネットを備え、
前記患者別ビンは、容器、機構、場所、区域、および任意のそれらの組み合わせから成る群からの選択を備え、
前記ビン構成データの組は、ビンの種類、ビンの大きさ、該キャビネット上でのビンの位置、前記患者に割り当てられる他のビンに対するビンの位置、ビンのセキュリティパラメータ、保管される薬物の種類および量、ならびに任意のそれらの組み合わせから成る群からの選択を備える、項目１０１に記載のシステム。
（項目１１５）
患者転送を管理するように構成される一体型コンピュータを有する分配機器であって、
該患者のための薬物の排他的保管のために前記患者に割り当てられる１つ以上の患者別ビンと、
該分配機器と一体型であり、かつ、該１つ以上の患者別ビンと通信可能に連結されるコンピュータであって、
異なる分配機器に関連付けられる第２の場所から、該分配機器に関連付けられる第１の場所への患者転送に関する通知を受信することと、
第２の場所に関連付けられる第２の分配機器から、該患者へ割り当てられる患者別ビンの構成を識別するビン構成データの組を受信することと、
該受信したビン構成データの組に少なくとも部分的に基づいて、該分配機器における患者別ビン構成を自動的に識別することと
を実行するように構成される、コンピュータと
を備える、分配機器。
（項目１１６）
前記コンピュータは、
前記第２の分配機器における前記患者のための患者別ビンの構成を識別する前記ビン構成データの組のための要求を送信するようにさらに構成され、
該受信された組のビン構成データは、前記異なる分配機器から送信される、項目１１５に記載の分配機器。
（項目１１７）
各々が１つ以上の患者別ビンを含む分配機器間の患者転送を管理する方法であって、
前記第１の分配機器に関連付けられる第１の場所から前記第２の分配機器に関連付けられる第２の場所へ該患者が転送されるべきことを表示する転送データの組を受信することと、
該第１の分配機器において該患者に割り当てられる患者別ビンの構成を識別するビン構成データの組を格納することと、
該格納されたビン構成データを該第１の分配機器から該第２の分配機器に適用することと
を含む、方法。
（項目１１８）
前記患者のために前記第１の分配機器から前記第２の分配機器まで転送されるべき薬物を自動的に識別することであって、該識別された薬物は中断された薬物を除外する、ことをさらに含み、
前記格納された組のビン構成データは、該転送されるべき識別された薬物を保管するビンを備える、項目１１７に記載の方法。
（項目１１９）
前記保管された組のビン構成データを適用することは、
転送されるべき薬物の少なくとも部分集合を保管するための前記第２の分配機器におけるビン構成を自動的に識別することであって、該自動識別は、前記第１の分配機器において前記患者に割り当てられる前記患者別ビンの構成に基づく、ことを含む、項目１１７に記載の方法。
（項目１２０）
前記薬物の部分集合に対して前記自動的に識別された構成は、該薬物の部分集合を保管する前記第１の分配機器における前記構成と同一である、項目１１９に記載の方法。
（項目１２１）
前記ビン構成データの組が保管される際に、前記患者は、前記第２の場所に位置するか、または前記第２の場所に移送中である、項目１１７に記載の方法。
（項目１２２）
前記第１の分配機器において前記患者に割り当てられる前記患者別ビンの構成のビンの少なくとも部分集合の各々に使用される容量の割合を決定することをさらに含み、
容量の閾値割合未満で使用する前記格納されたビン構成のビンは、前記第２の分配機器に適用されない、項目１１７に記載の方法。
（項目１２３）
前記格納されたビン構成を前記第２の分配機器に適用する際に、該第２の分配機器におけるビンを患者別ビンとして再配分することをさらに含む、項目１１７に記載の方法。
（項目１２４）
前記転送データの組を受信することに応答して、前記第１の分配機器に関連付けられる状況を変更することをさらに含み、
該変更された状況は、該第１の機器から該第２の分配機器への前記格納されたビン構成データの前記適用を始動させる、項目１１７に記載の方法。
（項目１２５）
各々が１つ以上の患者別ビンを含む分配機器間の患者転送を管理する方法であって、
前記第１の分配機器に関連付けられる第１の場所から前記第２の分配機器に関連付けられる第２の場所へ該患者が転送されるべきことを表示する転送データの組を受信することと、
該患者のための該第１の分配機器から該第２の分配機器まで転送されるべき薬物を自動的に識別することであって、該識別された薬物は中断された薬物を除外する、ことと、
該転送される薬物を保管する患者別ビンの構成を識別するビン構成データの組を保管することと、
転送されるべき薬物の少なくとも部分集合を保管するための該第２の分配機器におけるビン構成を自動的に識別することであって、該自動識別は、該保管された組のビン構成データに少なくとも部分的に基づく、ことと
を含む、方法。
（項目１２６）
中断された薬物を患者別ビンから識別するためのシステムであって、
医療施設の分配機器であって、該患者のための薬物の排他的保管のために該患者に割り当てられる１つ以上の患者別ビンを含む、分配機器と、
該分配機器に通信可能に連結される中央サーバコンピュータシステムであって、
始動事象に関する通知を含む始動データの組を受信することと、
該患者に割り当てられる該１つ以上の患者別ビンに保管される薬物を識別することと、
該患者に関連付けられる薬物発注を識別することと、
該受信した始動データの組に応答して、該薬物発注に従って中断される該識別された薬物の第１の部分集合を自動的に識別することと、
該１つ以上の患者別ビンから該識別された薬物の除去を指示するデータの組を送信することと
を実行するように構成される中央サーバコンピュータシステムと、
を備える、システム。
（項目１２７）
前記中央サーバコンピュータシステムは、
前記中断された薬物の部分集合のための１つ以上の返却場所を識別することと、
該識別された返却場所を前記分配機器に送信することと
ようにさらに構成される、項目１２６に記載のシステム。
（項目１２８）
前記中央サーバコンピュータシステムは、
前記中断された薬物の部分集合のうちの１つ以上の受領を表示するデータを、前記１つ以上の返却場所から受信することと、
該中断された薬物の部分集合のうちの該１つ以上のための場所を追跡することと
を実行するようにさらに構成される、項目１２７に記載のシステム。
（項目１２９）
前記中央サーバコンピュータシステムは、
前記受信した始動データの組に応答して、除去および転送される前記識別された薬物の第２の部分集合を自動的に識別するようにさらに構成され、該第２の部分集合は、前記第１の部分集合を除外する、項目１２６に記載のシステム。
（項目１３０）
前記中央サーバコンピュータシステムは、
第２の始動事象に関する通知を受信することであって、該第２の始動事象は、異なる分配機器における１つ以上の患者別ビンへの前記転送された薬物を補給する通知を含む、ことと、
該患者のための修正された薬物発注にアクセスすることと、
該第２の始動事象に関して該受信した通知に応答して、該修正された薬物発注に従って中断された前記転送された薬物の部分集合を自動的に識別することと
を実行するようにさらに構成される、項目１２９に記載のシステム。
（項目１３１）
前記中央サーバコンピュータシステムは、
前記患者に割り当てられた前記１つ以上の患者別ビンにおいて前記患者のために再補給される追加の組の薬物を識別することと、
前記薬物発注に従い中断される前記追加の組の薬物の部分集合を自動的に識別することと
を実行するようにさらに構成される、項目１２６に記載のシステム。
（項目１３２）
前記中央サーバコンピュータシステムは、
前記患者が退院することを決定することと、
該患者に返却される進行中の薬物を自動的に識別することと
を実行するようにさらに構成される、項目１２６に記載のシステム。
（項目１３３）
前記中央サーバコンピュータシステムは、
前記患者が追加のケアのために前記医療施設に残ることを決定するようにさらに構成され、該決定は、退院通知が該患者に現在関連付けられていないことを発見することを含む、
項目１２６に記載のシステム。
（項目１３４）
前記始動事象に関する前記通知は、前記患者に割り当てられる前記１つ以上の患者別ビンを再補給する使用者による試行に関する通知を含む、項目１２６に記載のシステム。
（項目１３５）
前記始動事象に関する前記通知は、前記患者に割り当てられる前記１つ以上の患者別ビンからの薬物の転送に関する通知を含む、項目１２６に記載のシステム。
（項目１３６）
前記始動事象に関する前記通知は、前記患者に割り当てられる前記１つ以上の患者別ビンから薬物を除去する使用者による試行に関する通知を含む、項目１２６に記載のシステム。
（項目１３７）
患者別ビンから除去される薬物を識別するように構成される一体型コンピュータを有する分配機器であって、
患者のための薬物の排他的保管のために該患者に割り当てられる１つ以上の患者別ビンと、
該分配機器と一体型であり、該１つ以上の患者別ビンと通信可能に連結されるコンピュータであって、
始動事象に関する通知を含む始動データの組を受信することと、
該患者に割り当てられる該１つ以上の患者別ビンに保管される薬物を識別することと、
該患者に関連付けられる薬物発注を識別することと、
該受信した始動データの組に応答して、該薬物発注に従って中断される該識別された薬物の部分集合を自動的に識別することと
を実行するように構成されるコンピュータと
を備える、分配機器。
（項目１３８）
前記１つ以上の患者別ビンに保管される前記識別された薬物および該識別された薬物発注は、前記分配機器と通信する中央サーバコンピュータシステムから受信される、項目１３７に記載の分配機器。
（項目１３９）
患者別ビンに割り当てられる患者に関連付けられる中断された薬物を識別する方法であって、
始動事象に関連付けられる始動データの組を受信することと、
該患者に割り当てられる１つ以上の患者別ビンに保管される第１の組の薬物を識別することと、
該患者に割り当てられる該１つ以上のビンにおいて該患者のために補給または再補給される第２の組の薬物を識別することと、
該受信した始動データの組に応答して、該第１の組の薬物および該第２の組の薬物を、該患者に関連付けられる薬物発注と比較することと、
該薬物発注に従って中断される該第１の組および第２の組の薬物の部分集合を自動的に識別することであって、該自動識別は、該比較に少なくとも部分的に基づくことと
を含む、方法。
（項目１４０）
前記中断された薬物の部分集合のための１つ以上の返却場所を識別することと、
前記患者に割り当てられる前記１つ以上の患者別ビンに関連付けられる分配機器に、前記識別された薬物の除去を指示し、かつ、前記目的場所を識別するデータの組を送信することと
をさらに含む、項目１３９に記載の方法。
（項目１４１）
前記薬物発注に従って過剰供給される前記第２の組の薬物の部分集合を自動的に識別することであって、該自動識別は、前記比較に少なくとも部分的に基づく、ことと、
過剰供給の量を識別することと
をさらに含む、項目１３９に記載の方法。
（項目１４２）
前記始動事象は、転送先の分配機器において転送された薬物を補給することを使用者が試行することを含み、前記第１の組は薬物を含まない、項目１３９に記載の方法。
（項目１４３）
前記薬物発注は、前の薬物発注からの修正を含み、
該前の薬物発注を使用して、再補給のための前記第２の組の薬物を選択し、
前記中断された部分集合は、該第２の組の薬物の少なくともいくつかを含む、項目１３９に記載の方法。
（項目１４４）
前記患者が退院することを決定することと、
該患者に返却される該患者によって前記医療施設に持ち込まれた前記第１の組の薬物を、前記１つ以上の患者別ビンから自動的に識別することと
をさらに含む、項目１３９に記載の方法。
（項目１４５）
前記患者別ビンは、キャビネットを備える分配機器に含まれ、
該患者別ビンは、容器、機構、場所、区域、および任意のそれらの組み合わせから成る群からの選択を備える、項目１３９に記載の方法。
（項目１４６）
１つ以上の患者別ビンに割り当てられる患者に返却するための薬物を識別する方法であって、
始動事象に関する通知を含む始動データの組を受信することと、
該患者に割り当てられる該１つ以上の患者別ビンに保管される第１の薬物を識別することと、
該患者が医療施設から退院することを決定することと、
該１つ以上の患者別ビンから除去される中断される薬物を自動的に識別することと、
該患者に返却される薬物を自動的に識別することと
を含む、方法。
（項目１４７）
前記患者のための前記医療施設からの退院通知を受信することであって、該受信した退院通知は前記始動データの組を含む、ことをさらに含む、項目１４６に記載の方法。
（項目１４８）
前記患者に返却される前記識別された薬物は、該患者により前記医療施設に持ち込まれた薬物に限定される、項目１４６に記載の方法。
（項目１４９）
患者別ビンから薬物を除去するためのシステムであって、
医療施設における第１の分配機器および第２の分配機器と、
該分配機器に通信可能に連結される中央サーバコンピュータシステムであって、
第１の始動事象に関する通知を含む第１の組のデータを受信することであって、該第１の始動事象は、該第１の分配機器において該患者に割り当てられた１つ以上の患者別ビンから該第２の分配機器への薬物の転送を含む、ことと、
該第１の分配機器において該患者に割り当てられた該１つ以上の患者別ビンに保管される薬物を識別することと、
１回目に、該患者に関連付けられる薬物発注を識別することと、
該受信した第１の組のデータに応答して、該薬物発注に従って中断した該識別された薬物の部分集合を自動的に識別することと、
第２の始動事象に関する通知を含む第２の組のデータを受信することであって、該第２の始動事象は、該第１の分配機器から該第２の分配機器における１つ以上の患者別ビンへの該転送された薬物の補給に関する通知を含む、ことと、
該１回目よりも遅い２回目に、該患者に関連付けられる修正された薬物発注を識別することと、
該受信した第２の組のデータに応答して、該修正された薬物発注に従って中断された該転送された薬物の部分集合を自動的に識別することと、
該修正された薬物発注に従って中断された該部分集合を除外する該転送された薬物の該補給を指示することと
を実行するように構成される、中央サーバコンピュータシステムと
を備える、システム。
（項目１５０）
前記中央サーバコンピュータシステムは、
前記薬物発注に従って中断された前記識別された薬物の前記部分集合の除去を指示するデータを送信することと、
前記修正された薬物発注に従って中断された前記転送された薬物の前記部分集合の返却を指示するデータを送信することと
を実行するようにさらに構成される、項目１４９に記載のシステム。
（項目１５１）
患者自身の薬物として細目を指定するためのシステムであって、
薬物のための複数の分配機器と、
該複数の分配機器の少なくとも部分集合に通信可能に連結される中央サーバコンピュータシステムであって、
患者により医療施設に持ち込まれた薬物を識別するデータの組を受信することと、
該薬物を該患者自身の薬物として指定することと、
該医療施設における第１の場所から第２の場所に該患者が転送される場合に、該薬物の該指定を自動的に保持することと、
該患者が該医療施設から退院する場合に、該患者に返却される細目として該薬物を自動的に識別することであって、該識別は該指定に少なくとも部分的に基づく、ことと
を実行するように構成される、中央サーバコンピュータシステムと
を備える、システム。
（項目１５２）
前記患者が転送される場合に、前記薬物は、前記複数の分配機器のうちの第１の分配機器から、該複数の分配機器のうちの第２の分配機器へ移動させられ、前記指定は、該移動中に自動的に保持される、項目１５１に記載のシステム。
（項目１５３）
前記中央サーバコンピュータシステムは、
前記患者自身の薬物として指定された細目を、該細目を使い果たすまで再補給から除外するようにさらに構成される、項目１５１に記載のシステム。
（項目１５４）
前記中央サーバコンピュータシステムは、
前記患者自身の薬物として指定された前記薬物の供給を使い果たしたことを決定することと、
該決定に少なくとも部分的に基づいて該薬物の再補給を指示することと、
該薬物から該指定を除去することと
を実行するようにさらに構成される、項目１５１に記載のシステム。
（項目１５５）
前記中央サーバコンピュータシステムは、
前記指定された薬物が、進行中の薬物発注に基づいて前記患者のために処方されることを決定するようにさらに構成され、前記自動識別は、該決定に少なくとも部分的に基づく、項目１５１に記載のシステム。
（項目１５６）
前記中央サーバコンピュータシステムは、
進行中または今後の薬物発注に基づいて、前記第２の薬物が前記患者に処方されないことを決定することと、
前記退院後に該第２の薬物を保持するように使用者に指示することと
を実行するようにさらに構成される、項目１５１に記載のシステム。
（項目１５７）
前記中央サーバコンピュータシステムは、
前記複数の分配機器のうちの選択された分配機器を前記患者に関連付けることであって、該選択された分配機器は、前記医療施設から補給された薬物のための該患者の排他的使用のための第１の組の１つ以上の患者別ビンを含む、ことと、
該選択された分配機器における第２の組の１つ以上のビンを、前記指定された薬物のために該患者に割り当て、該第２の組は、該第１の組とは異なる、
ようにさらに構成される、項目１５１に記載のシステム。
（項目１５８）
前記中央サーバコンピュータシステムは、
前記医療施設から補給された薬物のための第１の組の再補給規則を適用することと、
前記指定された薬物のための第２の組の規則を適用することと、
を実行するようにさらに構成される、項目１５７に記載のシステム。
（項目１５９）
前記中央サーバコンピュータシステムは、
前記医療施設から補給された前記薬物と前記指定された薬物との両方に対して同一組の追加の規則を適用することであって、該追加の規則は、アレルギー規則、禁忌規則、保管セキュリティ要件規則、および任意のそれらの組み合わせから成る群からの選択を含む、ことを実行するように構成される、項目１５８に記載のシステム。
（項目１６０）
前記中央サーバコンピュータシステムは、
前記患者自身の薬物として指定された細目を識別することと、
前記医療施設から補給された薬物のために割り当てられたビンへの、該識別された細目の割り当てを防止することと
を実行するようにさらに構成される、項目１５７に記載のシステム。
（項目１６１）
前記医療施設から補給された前記薬物および前記患者自身の薬物として指定された前記薬物は、同一の種類の薬物である、項目１５７に記載のシステム。
（項目１６２）
前記中央サーバコンピュータシステムは、
前記患者自身の薬物を使い果たすまで、前記医療施設から補給された前記薬物の使用を指示することを回避するようにさらに構成される、項目１６１に記載のシステム。
（項目１６３）
患者自身の薬物を管理する方法であって、
前記患者によって医療施設に持ち込まれた薬物を識別するデータの組を受信することと、
該薬物を該患者自身の薬物として指定することと、
該医療施設における複数の分配機器のうちの第１の分配機器から該複数の分配機器のうちの第２の分配機器に該患者が転送される場合に、該薬物の該指定を自動的に保持することと、
該患者が該医療施設から退院する場合に、該患者に返却される細目として該指定された薬物を自動的に識別することであって、該識別は、該指定に少なくとも部分的に基づく、ことと
を含む、方法。
（項目１６４）
前記指定された薬物が移動する場合に、前記患者は、第１の場所から第２の場所に転送され、前記指定は、該転送中に自動的に保持される、項目１６３に記載の方法。
（項目１６５）
前記細目を使い果たすまで、前記患者自身の薬物として指定された前記薬物の再補給を防止することと、
該指定された薬物を使い果たしたという前記決定に少なくとも部分的に基づいて、該薬物の再補給を指示することと、
該薬物から該指定を除去することと
をさらに含む、項目１６３に記載の方法。
（項目１６６）
前記指定された薬物が、現在の薬物発注に基づいて前記患者のために処方されることを決定することであって、前記自動識別は、該決定に少なくとも部分的に基づく、ことをさらに含む、項目１６３に記載の方法。
（項目１６７）
前記複数の分配機器のうちの選択された分配機器を前記患者に関連付けることであって、該選択された分配機器は、前記医療施設から補給された薬物のための該患者の排他的使用のための第１の組の１つ以上の患者別ビンを含む、ことと、
該選択された分配機器における第２の組の１つ以上のビンを、該指定された薬物のために該患者に割り当てることであって、該第２の組は、該第１の組とは異なる、ことと
をさらに含む、項目１６３に記載の方法。
（項目１６８）
前記指定された薬物とは異なる再補給規則を、前記医療施設から補給された薬物に提供することをさらに含む、項目１６３に記載の方法。
（項目１６９）
前記医療施設から補給された前記薬物と前記指定された薬物との両方に対して同一組の規則を適用することであって、該組の規則は、安全性規則、保管セキュリティ要件規則、および任意のそれらの組み合わせから成る群からの選択を含む、ことを含む、項目１６３に記載の方法。
（項目１７０）
前記患者自身の薬物として指定された細目を識別することと、
前記医療施設から補給された薬物のために割り当てられたビンへの、該識別された細目の割り当てを防止することとをさらに含む、項目１６３に記載の方法。
（項目１７１）
前記患者自身の薬物を使い果たすまで、前記医療施設から補給された前記薬物の使用を中断することであって、該医療施設から補給された該薬物と該患者自身の薬物として指定された前記薬物とは、同一の種類の薬物である、こととをさらに含む、項目１６３に記載の方法。
（項目１７２）
患者自身の薬物を管理する方法であって、
該患者によって医療施設に持ち込まれた薬物を識別するデータの組を受信することと、
該薬物を該患者自身の薬物として指定することと、
該医療施設における第１の場所から第２の場所への患者転送に関する通知を受信することと、
該通知に応答して、該第１の場所に関連付けられる第１の分配機器から、該第２の場所に関連付けられる第２の分配機器への該指定された薬物の該移動を指示するデータを転送することと、
該移動中に、該指定された薬物の該指定を自動的に保持することと
を含む、方法。
（項目１７３）
前記患者が前記医療施設から退院するという通知を受信することと、
該通知に応答して、前記指定された薬物の該患者への返却を指示するデータを送信することと
をさらに含む、項目１７２に記載の方法。
（項目１７４）
患者自身の薬物を管理する方法であって、
前記患者によって医療施設に持ち込まれた薬物を識別するデータの組を受信することと、
複数の分配機器のうちの選択された分配機器に該患者を関連付けることであって、前記選択された分配機器は、該医療施設から補給された薬物のための該患者の排他的使用のために割り当てられた第１の組の１つ以上の患者別ビンを含む、ことと、
該医療施設からの患者の退院に関する通知を受信することと、
該通知に応答して、前記指定された薬物の該患者への返却を指示するデータを、該選択された分配機器に送信することと
を含む、方法。
（項目１７５）
前記通知に応答して、前記第１の組の１つ以上の患者別ビンにおける薬物の保持を指示するデータを、前記選択された分配機器に送信することをさらに含む、項目１７４に記載の方法。
（項目１７６）
医療施設における複数の分配機器のための多数回使用細目を指定するためのシステムであって、
該薬物のための複数の分配機器であって、各々の分配機器は、薬物の保管のための複数のビンを含む、分配機器と、
該複数の分配機器の少なくとも部分集合に通信可能に連結される中央サーバコンピュータシステムであって、
未使用の薬物の分配器を識別するデータの組を受信することであって、該薬物の分配器は、同一患者に対する複数回投与のために構成される、ことと、
該薬物の分配器が多数回使用細目であることを表示する指定に、該薬物の分配器を関連付けることと、
該部分集合の分配機器の細目別ビンにおける該薬物の分配器の保管を指示する第１の組の命令データを送信することであって、該細目別ビンは、各々が複数の患者に利用可能である１つ以上の細目を保管するように構成される、ことと、
該薬物の分配器の最初の患者による使用を表示する使用データの組を受信すること、
該受信した組の使用データに応答して、該分配機器において該最初の患者に割り当てられた患者別ビンにおける使用済みの薬物の分配器の保管を指示する第２の組の命令データを送信することと
を実行するように構成される中央サーバコンピュータシステムと
を備える、システム。
（項目１７７）
前記中央サーバコンピュータシステムは、
前記使用データの組の受信に応答して、排他的使用のために、前記薬物を前記最初の患者に割り当てるようにさらに構成される、項目１７６に記載のシステム。
（項目１７８）
前記中央サーバコンピュータシステムは、
前記使用データの組を受信した後に、前記患者別ビンを前記患者に割り当てるようにさらに構成される、項目１７６に記載のシステム。
（項目１７９）
前記中央サーバコンピュータシステムは、
前記薬物を使い果たすまで、前記使用済みの薬物分配器のための多数回使用細目としての前記指定を保持するようにさらに構成される、項目１７６に記載のシステム。
（項目１８０）
前記中央サーバコンピュータシステムは、
前記最初の患者への投与のための前記薬物を入手する要求を含む要求データの組を、前記分配機器における使用者から受信することと、
該受信した要求データの組に応答して、前記未使用の薬物の分配器を保持する前記細目別ビンを自動的に識別することと
を実行するようにさらに構成される、項目１７６に記載のシステム。
（項目１８１）
前記中央サーバコンピュータシステムは、
前記最初の患者への投与のための前記薬物を入手する要求を含む要求データの組を受信することと、
該受信した要求データの組に応答して、前記未使用の薬物を保持する前記患者別ビンを自動的に識別することと
を実行するようにさらに構成される、項目１７６に記載のシステム。
（項目１８２）
前記中央サーバコンピュータシステムは、
前記薬物を使い果たしたことを決定することと、
該決定の後に、該薬物の追加の未使用の分配器を保管する細目別ビンを自動的に識別することと
を実行するようにさらに構成される、項目１７６に記載のシステム。
（項目１８３）
前記中央サーバコンピュータシステムは、
前記使用済みの薬物の分配器を使い果たした後まで、前記分配機器における前記最初の患者のための患者別ビンにおける再補給から該薬物を除外するようにさらに構成される、項目１７６に記載のシステム。
（項目１８４）
前記中央サーバコンピュータシステムは、
前記使用済みの薬物の分配器の前記最初の患者による使用を追跡することと、
再補給始動を生成するために、該追跡された使用が閾値を上回る時を識別することと、
該再補給始動に応答して、該分配機器において利用可能な細目別ビンにおける前記未使用の薬物の追加の分配器の再補給を指示することと
を実行するようにさらに構成される、項目１７６に記載のシステム。
（項目１８５）
前記使用済みの薬物の分配器が使い果たされていない場合には、前記閾値は超えられている、項目１８４に記載のシステム。
（項目１８６）
前記中央サーバコンピュータシステムは、
前記分配機器における前記薬物の追加の分配器の複数の患者による使用を追跡することと、
再補給始動を生成するために、該追跡された使用が閾値を超えられるときを識別することと、
該再補給始動に応答して、該分配機器の前記細目別ビンおける前記未使用の薬物の１つ以上の追加の分配器の再補給を指示することと
を実行するようにさらに構成される、項目１７６に記載のシステム。
（項目１８７）
前記中央サーバコンピュータシステムは、
前記最初の患者が前記医療施設から退院することを表示する通知データの組を受信することと、
進行中の薬物発注に基づいて前記薬物が残ることを決定することと、
該決定に少なくとも部分的に基づいて、退院時に、前記使用済みの薬物の分配器を該最初の患者に提供するように前記使用者に指示することと
を実行するようにさらに構成される、項目１７６に記載のシステム。
（項目１８８）
前記中央サーバコンピュータシステムは、
前記医療施設から補給された単一回使用の薬物のために、前記患者の排他的使用のための追加の組の１つ以上の患者別ビンを割り当てるようにさらに構成され、該追加の組は、前記薬物の分配器に割り当てられる前記患者別ビンとは異なる、項目１７６に記載のシステム。
（項目１８９）
前記薬物の分配器は、前記薬物と、前記患者のための該薬物を分配するように構成される容器とを備え、該薬物は、塗り薬、点眼薬、および吸入器から成る群からの選択を備える、項目１７６に記載のシステム。
（項目１９０）
多数回使用の細目を管理するように構成される一体型コンピュータを有する分配機器であって、
割り当てに配分され、かつ患者のための薬物の保管のために構成される１つ以上のビンと、
該分配機器と一体型であり、該１つ以上の患者別ビンに通信可能に連結されるコンピュータであって、
同一患者に対する複数回投与のための未使用の細目の分配器を識別するデータの組を処理することと、
該薬物の分配器を、該薬物の分配器が多数回使用細目であることを表示する指定に関連付けることと、
該１つ以上のビンのうちの細目別ビンにおける該薬物の分配器の保管を指示することであって、該細目別ビンは、各々が複数の患者に利用可能である１つ以上の細目を保管するように構成される、ことと、
最初の患者による該薬物の分配器の使用を表示する使用データの組を処理することと、
該分配機器における該最初の患者に割り当てられる患者別ビンにおいて、該使用済みの薬物の分配器の保管を指示することと
を実行するように構成されるコンピュータと
を備える、分配機器。
（項目１９１）
前記分配機器は、中央サーバコンピュータシステムと通信し、かつ
同一患者に対する複数回投与のための未使用の薬物の分配器を識別する前記データの組を該中央サーバコンピュータシステムに送信することと、
前記１つ以上のビンのうちの前記細目別ビンにおける該薬物の分配器の保管を指示する第１の組の命令データを受信することと、
最初の患者による該薬物の分配器の使用を表示する該使用データの組を送信することと、
該患者別ビンにおける該使用済みの薬物の分配器の保管を指示する第２の組の命令データを受信することと
を実行するようにさらに構成される、項目１９０に記載の分配機器。
（項目１９２）
多数回使用の細目を指定するための方法であって、
同一患者に対する複数回投与のため未使用の薬物の分配器を識別するデータの組を受信することと、
該薬物の分配器が多数回使用の細目であることを表示する指定に、該薬物の分配器のための格納された入力を関連付けることと、
部分集合の分配機器の細目別ビンにおける該薬物の分配器の保管を指示する第１の組の命令データを送信することと、
該薬物の分配器の最初の患者による使用を表示する使用データの組を受信することと、
該分配機器において該最初の患者に割り当てられる患者別ビンにおける該使用済みの薬物の分配器の保管を指示する第２の組の命令データを送信することと
を含む、方法。
（項目１９３）
前記使用データの組を受信することに応答して、排他的使用のために、前記薬物を前記最初の患者に割り当てることをさらに含む、項目１９２に記載の方法。
（項目１９４）
前記薬物の分配器が分配機器間で転送される間、前記使用済みの薬物分配器のための多数回使用の細目としての前記指定を保持することをさらに含む、項目１９２に記載の方法。
（項目１９５）
前記最初の患者への投与のための前記薬物を入手する要求を含む要求データの組を、前記分配機器における使用者から受信することと、
該受信した要求データの組に応答して、前記未使用の薬物の分配器を保持する前記細目別ビンまたは前記使用済みの薬物の分配器を保持する前記患者別ビンを自動的に識別することと
をさらに含む、項目１９２に記載の方法。
（項目１９６）
前記薬物を使い果たしたことを決定することと、
前記最初の患者への投与のための前記薬物を入手するための受信した要求に応答して、該薬物の追加の未使用の分配器を保管する細目別ビンを自動的に識別することであって、該自動識別は、前記決定に少なくとも部分的に基づくこととをさらに含む、項目１９２に記載の方法。
（項目１９７）
前記使用済みの薬物の分配器を使い果たした後まで、前記分配機器における前記最初の患者のための患者別ビンにおける再補給から、該薬物の未使用の追加の分配器を除外することをさらに含む、項目１９２に記載の方法。
（項目１９８）
前記使用済みの薬物の分配器の前記最初の患者による使用を追跡することと、
再補給始動を生成するために、前記追跡された使用が閾値を上回る時を識別することと、
前記再補給始動に応答して、前記分配機器において利用可能な細目別ビンにおける前記未使用の薬物の追加の分配器の再補給を指示することと
をさらに含む、項目１９２に記載の方法。
（項目１９９）
前記医療施設から補給された単一回使用の薬物のために、前記患者の排他的使用のために割り当てられる患者別ビンへの、前記指定された多数回使用の細目の割り当てを防止することをさらに含む、項目１９２に記載の方法。
（項目２００）
多数回使用の薬物を管理するための方法であって、
多数回使用の薬物として指定され、かつ分配機器において複数の患者に利用可能である細目別ビンに保管される未使用の薬物の分配器を識別することと、
前に未使用の薬物の分配器の患者による最初の使用に関する表示を受信することと、
該患者の排他的使用のために該分配機器における患者別ビンへの該使用済みの分配器の返却を指示することと
を含む、方法。
（項目２０１）
ビンの配分を管理するためのシステムであって、
医療施設において薬物を分配するための分配機器であって、
複数の患者のうちの患者に対する排他的使用のために配分される１つ以上の患者別ビンと、
該複数の患者による使用に利用可能な細目のために各々が配分される１つ以上の細目別ビンと
を含む、分配機器と、
該分配機器に通信可能に連結される中央サーバコンピュータシステムであって、
患者別ビンとして配分されるビンと細目別ビンとして配分されるビンとを識別することによって、該分配機器における現在のビン配分を識別することと、
該分配機器における該１つ以上の患者別ビンおよび該１つ以上の細目別ビンに関連付けられる占有率を決定することと、
該１つ以上の細目別ビンの部分集合の患者別ビンとしての再配分を指示する再配分メッセージを自動的に送信することであって、該自動送信は、該識別された現在のビン配分および該決定された占有率に少なくとも部分的に基づいて始動させられる、ことと
を実行するように構成される、中央サーバコンピュータシステムと
を備える、システム。
（項目２０２）
前記中央サーバコンピュータシステムは、
前記１つ以上の患者別ビンに関連付けられる前記決定された占有率が閾値を超過する場合に、前記自動送信を始動させるようにさらに構成される、項目２０１に記載のシステム。
（項目２０３）
前記中央サーバコンピュータシステムは、
前記決定された占有率に対して、使用者が前記分配機器の患者別ビンにおいて薬物を保管不可能である推定拒否率を分析するようにさらに構成され、
前記指示された再配分は、該拒否率に少なくとも部分的に基づき、前記自動送信は、該拒否率に少なくとも部分的に基づいて始動させられる、項目２０１に記載のシステム。
（項目２０４）
前記占有率の決定において、前記中央サーバコンピュータシステムは、
複数の種類の患者別ビンの各々の占有率を決定するように構成される、項目２０１に記載のシステム。
（項目２０５）
前記中央サーバコンピュータシステムは、
前記１つ以上の患者別ビンのうちの選択された種類の占有率が前記選択された種類の閾値を超過する場合に、前記自動送信を始動するように構成され、
前記指示された再配分は、該選択された種類の患者別ビンへの再配分である、項目２０４に記載のシステム。
（項目２０６）
前記占有率の決定において、前記中央サーバコンピュータシステムは、
複数の前の期間の過去の占有率を分析して、平均占有率を決定するように構成され、
前記指示された再配分は、該平均占有率に少なくとも部分的に基づく再配分である、
項目２０１に記載のシステム。
（項目２０７）
前記占有率の決定において、前記中央サーバコンピュータシステムは、
複数の前の期間に対する過去の占有率を分析して、占有率の変動を決定するように構成され、
前記指示された再配分は、該占有率の変動に少なくとも部分的に基づく再配分である、項目２０１に記載のシステム。
（項目２０８）
前記占有率の決定において、前記中央サーバコンピュータシステムは、
前記患者別ビンのための現在の占有率を決定するように構成され、
前記指示された再配分は、該現在の占有率に少なくとも部分的に基づく再配分であり、
該指示された再配分は、再配分のための使用者に対する勧告を含む、
項目２０１に記載のシステム。
（項目２０９）
前記中央サーバコンピュータシステムは、
今後の期間中に前記分配機器が担当する患者を識別することと、
該今後の期間中に該識別された患者のために進行中である薬物発注を識別することと
を実行するようにさらに構成され、
前記決定された占有率が該今後の期間に対するものであり、該識別された薬物発注からの薬物の保管を含む、項目２０１に記載のシステム。
（項目２１０）
前記中央サーバコンピュータシステムは、
今後の期間中に前記分配機器が担当する患者を識別することであって、該患者は、１人以上の新しい患者および１人以上の転送患者を含む、ことと、
該今後の期間中に該識別された患者のための患者別保管を推定する、ことと
を実行するようにさらに構成され、
前記決定された占有率は、該今後の期間に対するであり、該推定された患者別保管の必要性を含む、項目２０１に記載のシステム。
（項目２１１）
前記指示された再配分は、今後の時間に開始する無限期間の間に発生するように予定される、項目２０１に記載のシステム。
（項目２１２）
前記分配機器は、キャビネットを備え、
該患者別ビンは、容器、機構、場所、区域、および任意のそれらの組み合わせから成る群からの選択を備え、
ビンは、患者への割り当て時または細目への割り当て時に占有され、
前記決定された占有率は、過去、現在、および予定される未来の占有に基づき、
前記中央サーバコンピュータシステムは、前記自動的に送信された再配分メッセージを受信し、該受信された再配分メッセージに応答して、前記指示された再配分を自動的に実行する、項目２０１に記載のシステム。
（項目２１３）
ビンの配分を管理するように構成される一体型コンピュータを有する分配機器であって、
患者のための薬物の排他的保管のための該患者への割り当てに配分される１つ以上の患者別ビンと、
該分配機器に一体型であり、１つ以上の患者別ビンに連結可能に通信可能であるコンピュータであって、
該分配機器における該１つ以上の患者別ビンおよび他のビンとして配分されるビンを識別することと、
該分配機器における該患者別ビンおよび該他のビンの少なくとも部分集合に関連付けられる占有率を決定することと、
患者別ビンとして該他のビンの部分集合を自動的に再配分することであって、該自動的再配分は、該識別されたビン配分および該決定された占有率に少なくとも部分的に基づく、ことと
を実行するコンピュータと
を備える、分配機器。
（項目２１４）
ビンの配分を管理するための方法であって、
患者の排他的使用のために患者別ビンとして配分される医療施設における分配機器のビンを識別することと、
該患者別ビンの少なくとも部分集合に関連付けられる占有率を決定することと、
該分配機器における他のビンを患者別ビンとして自動的に再配分することであって、該自動的再配分は、識別されたビンおよび該決定された占有率に少なくとも部分的に基づくことと
を含む、方法。
（項目２１５）
使用者が前記分配機器の患者別ビンにおいて薬物を保管不可能である推定拒否率を、前記占有率について分析することと、
該閾値は、該推定拒否率に少なくとも部分的に基づくことと
をさらに含む、項目２１４に記載の方法。
（項目２１６）
複数の種類の患者別ビンの各々の占有率を決定することと、
該複数の種類の患者別ビンの各々のための前記自動的再補給を始動させる閾値占有率を識別することであって、該閾値は、該複数の種類の少なくとも部分集合によって異なることと
をさらに含む、項目２１４に記載の方法。
（項目２１７）
前記占有率を決定することは、
過去の占有率を分析して、過去の期間における平均占有率を決定することを含み、
前記自動的再配分は、該平均占有率に少なくとも部分的に基づく再配分である、項目２１４に記載の方法。
（項目２１８）
前記占有率を決定することは、
過去の占有率を分析して、過去の期間における占有率の変動を決定することを含み、
前記自動的再配分は、該占有率の変動に少なくとも部分的に基づく再配分である、項目２１４に記載の方法。
（項目２１９）
前記占有率を決定することは、
前記患者別ビンのための現在の占有率を決定することを含み、
前記自動的再配分は、該現在の占有率に少なくとも部分的に基づく再配分である、項目２１４に記載の方法。
（項目２２０）
前記占有率を決定することは、
今後の期間中に前記分配機器が担当する患者を識別することであって、該患者は、１人以上の新しい患者および１人以上の転送患者を含む、ことを含み、
前記決定された占有率は、該今後の期間のためのものであり、該識別された患者のための推定された保管必要性に少なくとも部分的に基づく、項目２１４に記載の方法。
（項目２２１）
前記占有率を決定することは、
今後の期間中の今後の患者のための患者別保管を推定すること、
を含み、
前記決定された占有率は、該推定された患者別保管必要性に少なくとも部分的に基づく、項目２１４に記載の方法。
（項目２２２）
前記再配分は、複数の今後の時間に発生するように予定される、項目２１４に記載の方法。
（項目２２３）
ビンの配分を管理するための方法であって、
分配機器における患者の排他的使用のための患者別ビンと、細目別ビンとの現在の配分を識別することと、
患者別ビンと細目別ビンとの過去の配分の占有率を分析することと、
１つ以上の細目別ビンの部分集合を患者別ビンとして自動的に再配分することであって、該自動的再配分は、該識別された現在の配分および該過去の占有率の分析に少なくとも部分的に基づく、ことと
を含む、方法。
（項目２２４）
分配機器におけるビンの配分を管理するための方法であって、
該分配機器における患者の排他的使用のための異なる種類の患者別ビンとして配分されたビンを識別することと、
該分配機器における該患者別ビンとして配分されない残りのビンの各々を識別することと、
選択された種類の患者別ビンとしてビンを自動的に再配分することであって、該自動的再配分は、該識別された現在のビン配分および占有率の分析に少なくとも部分的に基づくことと
を含む、方法。
（項目２２５）
前記再配分されたビンは、前記識別された残りのビンから再配分される、項目２２４に記載の方法。
【図面の簡単な説明】
【０００８】
本発明の本質および利点に関するさらなる理解は、以下の図面を参照することによって実現され得る。添付の図面において、類似の構成要素または特徴は、同一の参照表示を有し得る。さらに、同一の型の種々の構成要素は、ダッシュおよび類似の構成要素を区別する第２の表示が参照表示に後続することによって区別され得る。第１の参照表示のみを明細書において使用する場合、説明は、第２の参照表示にかかわらず、同一の第１の表示を有する類似の構成要素のいずれかに適用可能である。
【図１】図１Ａ〜１Ｂは、本発明の種々の実施形態に従い構成される患者別ビンを含む種々の医療用品保管および配布システムを示すブロック図である。
【図２】図２は、本発明の種々の実施形態に従い構成される患者別ビンを備える代替の医療用品保管および配布システムを示すブロック図である。
【図３】図３は、本発明の種々の実施形態に従うキャビネット分配機器の前部斜視図を示す。
【図４】図４は、本発明の種々の実施形態に従う患者別ビンおよび細目別ビンを含むキャビネット分配機器の引き出しを示す。
【図５】図５は、本発明の種々の実施形態に従う代替キャビネット分配機器の前部斜視図を示す。
【図６】図６は、本発明の種々の実施形態に従うキャビネット分配機器の引き出しの斜視図を示す。
【図７】図７は、本発明の種々の実施形態に従うキャビネット分配機器の引き出しのライナーの斜視図を示す。
【図８】図８は、本発明の種々の実施形態に従う分配機器のためのビンを割り当てる方法を示すフロー図である。
【図９】図９は、本発明の種々の実施形態に従う分配機器における状況指定のためのシステムを示すブロック図である。
【図１０】図１０は、本発明の種々の実施形態に従う分配機器における状況指定のための代替システムを示すブロック図である。
【図１１】図１１は、本発明の種々の実施形態に従う分配機器に対する状況指定の方法を示すフロー図である。
【図１２】図１２は、本発明の種々の実施形態に従う分配機器に対する状況指定の代替方法を示すフロー図である。
【図１３】図１３は、本発明の種々の実施形態に従う分配機器に対する状況指定のさらに別の代替方法を示すフロー図である。
【図１４】図１４は、本発明の種々の実施形態に従い、分配機器の患者別ビンにおいて患者のために保管される細目の再発注レベルおよび標的レベルを示す図である。
【図１５】図１５は、本発明の種々の実施形態に従い、患者のために再発注される薬物発注の細目を識別する方法を示すフロー図である。
【図１６】図１６は、本発明の種々の実施形態に従い、患者のために再発注される薬物発注の細目を識別する代替方法を示すフロー図である。
【図１７】図１７は、本発明の種々の実施形態に従い、１つ以上のキャビネットのための再補給リストを生成する代替方法を示すフロー図である。
【図１８】図１８は、本発明の種々の実施形態に従い再発注量を決定する代替方法を示すフロー図である。
【図１９】図１９は、本発明の種々の実施形態に従う患者別ビン割り当ての方法を示すフロー図である。
【図２０】図２０は、本発明の種々の実施形態に従うビン割り当ての方法を示すフロー図である。
【図２１】図２１は、本発明の種々の実施形態に従う患者別ビン割り当ての代替方法を示すフロー図である。
【図２２】図２２は、本発明の種々の実施形態に従う患者別ビン割り当てのためのビンを識別する方法を示すフロー図である。
【図２３】図２３は、本発明の種々の実施形態に従い、異なる分配機器が担当する病室間の患者転送中に薬物を管理するためのシステムを示すブロック図である。
【図２４】図２４は、本発明の種々の実施形態に従い、格納、分析、および送信され得るビン構成データの表の図である。
【図２５】図２５は、本発明の種々の実施形態に従い、患者転送を管理する方法を示すフロー図である。
【図２６】図２６は、本発明の種々の実施形態に従い、患者の転送先に関連付けられる分配機器において患者別ビンを割り当てる方法を示すフロー図である。
【図２７】図２７は、本発明の種々の実施形態に従い、患者の転送先に関連付けられる分配機器において患者別ビンを割り当てる代替方法を示すフロー図である。
【図２８】図２８は、本発明の種々の実施形態に従い、患者の転送先に関連付けられる分配機器に患者別ビンを適用する方法を示すフロー図である。
【図２９】図２９は、本発明の種々の実施形態に従い、患者別ビンを含む分配機器に保管されるか、または保管される用意のある薬物を除去および／または返却するためのシステムを示すブロック図である。
【図３０】図３０は、本発明の種々の実施形態に従い、患者に割り当てられたＰＳＢから中断された細目を識別する方法を示すフロー図である。
【図３１】図３１は、本発明の種々の実施形態に従い、患者に割り当てられたＰＳＢから中断された細目を識別する代替方法を示すフロー図である。
【図３２】図３２は、本発明の種々の実施形態に従い、患者に割り当てられたＰＳＢから除去する細目を識別する方法を示すフロー図である。
【図３３】図３３は、本発明の種々の実施形態に従い、患者に割り当てられたＰＳＢから除去する細目または返却する細目を識別する方法を示すフロー図である。
【図３４】図３４は、本発明の種々の実施形態に従い、患者別ビンを含む分配機器に保管される患者自身の薬物として細目を識別するためのシステムを示すブロック図である。
【図３５】図３５は、本発明の種々の実施形態に従い、患者自身の薬物として薬物を指定する方法を示すフロー図である。
【図３６】図３６は、本発明の種々の実施形態に従い、患者に返却される薬物を指定する方法を示すフロー図である。
【図３７】図３７は、本発明の種々の実施形態に従い、患者別ビンの割り当てにおいて特定の薬物を区別する方法を示すフロー図である。
【図３８】図３８は、本発明の種々の実施形態に従い、患者自身の薬物として薬物を割り当てる代替方法を示すフロー図である。
【図３９】図３９は、本発明の種々の実施形態に従い、患者自身の薬物として指定される薬物を管理する方法を示すフロー図である。
【図４０】図４０は、本発明の種々の実施形態に従い、多数回使用の細目の保管を管理する方法を示すフロー図である。
【図４１】図４１は、本発明の種々の実施形態に従い、多数回使用細目を指定および保管する方法を示すフロー図である。
【図４２】図４３は、本発明の種々の実施形態に従い、多数回使用細目を区別および保管する方法を示すフロー図である。
【図４３】図４３は、本発明の種々の実施形態に従い、患者ライフサイクルによる多数回使用指定を有する薬物を管理する方法を示すフロー図である。
【図４４】図４４は、本発明の種々の実施形態に従いビンを再配分するためのシステムを示すブロック図である。
【図４５】図４５は、本発明の種々の実施形態に従い分配機器においてビンを配分する方法を示すフロー図である。
【図４６】図４６は、本発明の種々の実施形態に従い、現在の占有率に基づいて分配機器においてビンを配分する方法を示すフロー図である。
【図４７】図４７は、本発明の種々の実施形態に従い、過去の占有率に基づいて分配機器においてビンを配分する方法を示すフロー図である。
【図４８】図４８は、本発明の種々の実施形態に従い、今後の占有率に基づいて分配機器においてビンを配分する方法を示すフロー図である。
【図４９】図４９は、本発明の種々の実施形態に従い、過去、現在、または今後の占有率の組み合わせに基づいて、分配機器においてビンを配分する方法を示すフロー図である。
【図５０】図５０は、本発明の種々の実施形態において使用され得る代表的な機器構造を示す略図である。
【発明を実施するための形態】
【０００９】
薬物を保管し、かつ患者別ビンを含む分配機器から薬物を配布するためのシステム、方法、および機器について説明する。キャビネット等の分配機器は、薬物を保管および分配するための多数のビンを含む。ビンのうちのいくつかは、患者による排他的使用のために患者に割り当てられるように配分され、これらのビンは、本明細書において患者別ビンと呼ばれ得る。対照的に、分配機器の細目別ビンは、特定の患者に対する関係にかかわらず、１つ以上のユニットの薬物の保管のために配分されるビンである。このようなビンに保管される薬物は、多数の患者によって使用可能であり得る。
【００１０】
以下の説明は、例示的実施形態を提供するだけであり、本発明の範囲、適用性、または構成を限定するように意図されない。むしろ、実施形態に関する後続の説明は、本発明の実施形態を実装するための実現説明を当業者に提供する。添付の請求項に記載の本発明の精神および範囲から逸脱することなく要素の機能および配置に種々の変更を加えてもよい。
【００１１】
したがって、種々の実施形態は、必要に応じて、種々の手順または構成要素を省略、置換、または付加し得る。例えば、代替実施形態では、説明する順番とは異なる順番で方法を実行してもよく、また、種々のステップを付加、省略、または組み合わせてもよいことを理解されたい。また、特定の実施形態に関して説明する特徴を、種々の他の実施形態において組み合わせてもよい。実施形態の異なる側面および要素を、類似の方式で組み合わせてもよい。
【００１２】
また、以下のシステム、方法、機器、およびソフトウェアのいずれかが、より大きなシステムの構成要素であり得ることを理解されたく、この場合、他の手順が、そのアプリケーションに優先するか、またはアプリケーションを修正してもよいことも理解されたい。また、以下の実施形態の前、後、または同時に多数のステップを必要としてもよい。
【００１３】
図１Ａを参照すると、医療用品を保管し、かつＰＳＢを含む分配機器から医療用品を配布するためのシステム１００の例が図示される。システム１００は、医療用品を分配するための分配機器１２０−ａ（例えば、多数のビンを備えるキャビネット）を含む。本明細書で使用する際、医療用品には、調合薬、他の薬物、または医療施設において患者のケアもしくはサービスのために提供される他の細目が含まれる。また、システムは、データストア１１０に通信可能に接続される中央サーバコンピュータシステム１０５と、中央分配ユニット１１５と、分配機器１２０−ａとを含む。いくつかの実施形態では、これらの構成要素のうちの１つ以上を、除去するか、または他の機器と置換してもよい。
【００１４】
一実施形態では、分配機器１２０−ａは、１つ以上の患者別ビン（ｐａｔｉｅｎｔ−ｓｐｅｃｉｆｉｃ  ｂｉｎ；  ＰＳＢ）および１つ以上の細目別ビン（ｉｔｅｍ−ｓｐｅｃｉｆｉｃ  ｂｉｎ；  ＩＳＢ）を含む。ＰＳＢは、決定または未決定の期間中の排他的使用のために患者に割り当てられる。ＰＳＢは、割り当てられた患者のための薬物および他の医療用品の保管および配布のために使用され得る。ＩＳＢは、患者に対する細目の関係にかかわらず、細目に割り当てられるビンである（例えば、２人以上の患者間で使用され得る）。「分配機器」は、医療施設における患者に薬物または他の医療用品を分配するための任意のキャビネットまたは他の機器であり得る。他の実施形態では、システムの側面は、多様な他の細目を分配するために、異なる設定で使用され得る。「分配機器」は、病院の特定の範囲を担当する看護キャビネットのように固定式であり得るか、または移動式であり得る。分配機器１２０−ａは、中央サーバコンピュータシステム１０５と有線通信または無線通信し得る。
【００１５】
「ビン」は、分配機器１２０−ａまたはその中のユニットにおける任意の容器、機構、場所、または区域であってもよく、施錠および検知する引き出しにおける場所を含み得る。「ビン」は、例えば、キャビネットの引き出しまたは範囲内における１組の保管場所を含み得る。他の種類のビンには、分配器、棚、ラック等が含まれる。一実施形態では、所定の分配機器における部分集合のビンのみが、ＰＳＢに利用可能であると指定され得る。別の実施形態では、ＰＳＢとしての割り当てに利用可能であるビンが、所定のキャビネットにおけるＰＳＢまたはＩＳＢに対するビンの既存または今後の割り当てに応じて可変であり得る。
【００１６】
分配機器１２０−ａは、多数の病室を担当する看護ステーション、手術室、緊急治療室、集中治療室、または当業者に明白である多数の他の場所に位置し得る。また、分配機器１２０−ａは、移動式であってもよい。分配機器１２０−ａは、分配機器における医療用品の保管および配布を管理するように構成され、かつ中央サーバコンピュータシステム１０５と通信するようにネットワーク接続されるコンピュータおよびコンソールを含み得る。所定の分配機器１２０−ａのビン内の特定のビンのセキュリティのレベルは異なり得る。
【００１７】
分配機器１２０−ａは、機器１２０−ａ内に固定される１つ以上の分配機構から構成されてもよく、本機構は、関連のビンから細目を分配するように構成される。したがって、機構を使用して、認可された個人のみに対するビンにアクセスすることができる。分配機構は、分配する細目を各々が保持する多種多様のビンに接続して構成され得る。このような配置は、薬物、薬剤、およびその同等物等の、固定する必要のある細目に十分適切であり得る。使用者が認可されると、このような細目は、機構を使用して分配機器１２０−ａから分配され、薬物は、分配細目にアクセスするために引張され得る分配引き出しに降下し得る。特定の構成に応じて、分配機構の１つ以上のビンは、ＰＳＢまたはＩＳＢとして割り当てられ得る。
【００１８】
分配機器１２０−ａは、再構成可能な仕切りを備える分配器フレームを含み得る。このように、多種多様のビンおよび分配機構の配置が、仕切りおよび／または仕切り上の分配機構の場所を再構成することによって提供され得る。さらに、種々の型の分配機構を収容してもよい。上述のように、１つ以上のビンおよび関連機構は、ＰＳＢまたはＩＳＢとして割り当てられ得る。
【００１９】
種々の検知または検出システムを使用して、分配機器１２０−ａのコンピュータ（および中央サーバコンピュータシステム１０５）が、１つ以上の細目を特定のビンに関連付けるように、仕切りの構成および仕切り上のビンおよび分配機構のアドレスを決定してもよい。例えば、場所を再構成する場合、ボタン等の検知機構を分配機構上で押圧し、分配機構の新しい場所を表示してもよい。
【００２０】
患者分配機器１２０−ａは、中央サーバコンピュータシステム１０５に通信可能に接続される（おそらくネットワーク上で）。通信は、有線、無線、またはそれらの組み合わせであり得る。中央サーバコンピュータシステム１０５には、例えば、１つ以上のサーバコンピュータ、パーソナルコンピュータ、ワークステーション、ウェブサーバ、または他の適切なコンピューティング機器が含まれ得る。中央サーバコンピュータシステム１０５は、分配機器１２０−ａと通信するように構成され、患者割り当ておよびビン割り当てを実行および監視し得る。中央サーバコンピュータシステム１０５は、ＩＳＢまたはＰＳＢとしてビンを配分し、患者をビンまたはビンの組に割り当て得る（例えば、入院時または転送時に患者をビンに対して割り当てる）か、または患者割り当て情報を受信し得る（例えば、分配機器１２０−ａのコンピュータから）。中央サーバコンピュータシステム１０５は、補給、再補給、またはビンから除去する細目を識別してこの情報を送信し、および／または補給、再補給、または削除するまたは今後そうする細目の識別を受信し得る（例えば、分配機器１２０−ａのコンピュータから）。
【００２１】
また、中央サーバコンピュータシステム１０５は、患者の転送または退院の少なくとも一部を管理し、患者ビン割り当てを必要に応じて修正し得る。中央サーバコンピュータシステム１０５は、患者の転送または退院により、補給を減らすか、あるいは除去する細目の場所を識別し得る（例えば、ビンに返却、薬局に返却、患者に返却）。また、中央サーバコンピュータシステム１０５は、患者の転送または退院にかかわらず、ＰＳＢまたはＩＳＢからの細目の一掃または他の除去を管理するように構成され得る。
【００２２】
中央サーバコンピュータシステム１０５は、中央分配ユニット１１５および分配機器１２０−ａにおける医療用品の補給を追跡するように構成され得る。中央サーバコンピュータシステム１０５は、１つ以上の医療施設における分配機器１２０から受信したデータを集約およびフィルタリングし、それに基づいて監査報告または動作報告を生成および／または送信するように構成され得る。受信したデータを使用して、中央サーバコンピュータシステム１０５は、再補給リストを生成するように構成され得る。
【００２３】
補給リストまたは再補給リストが生成されると（例えば、中央サーバコンピュータシステム１０５によって、またはおそらく患者分配機器１２０−ａによって）、分配機器１２０−ａ（または、他のコンピューティング機器）は、リストを受信し得る。ビンまたはビンの組を分配機器１２０−ａに最初に補給するために、ボタン等の検知機構を押圧して、場所を識別してもよい。次いで、補給する細目の種類および量は、分配機器１２０−ａに関連付けられるコンピュータに入力され得る。ボタンを押圧することによって、コンピュータは、ビンまたはビンの組がアクセスされること、ならびに細目がそのアドレスに割り当てられることを検出し得る。カウントは検証され、ビンまたはビンの組は再補給され、量が入力され得る（および、おそらく中央サーバコンピュータシステム１０５に送信される）。いくつかの実施形態では、中央サーバコンピュータシステム１０５または患者分配機器１２０−ａのコンピュータは、細目を補給するＰＳＢに使用者を自動的に指向し得る。
【００２４】
再補給するために、再補給リストが生成され得る。分配機器１２０−ａのコンピュータは、種々の再補給情報をコンピュータへ（例えば、中央サーバコンピュータシステム１０５から）ダウンロード可能にするようにネットワークに連結され得る。代替として、分配機器１２０−ａ上のコンピュータは、リストを局所的に生成し得る。本情報は、コンピュータまたは必要に応じてネットワーク上でアクセスされる他の場所に格納され得る。次いで、再補給する分配場所上の光、ＬＥＤ、またはその同等物等の視覚的インジケータを作動させて、再補給の使用者または薬剤師を再補給工程によって誘導し得る。分配機構上のボタンを押圧して、再補給中の分配機器を識別し、期待量は、ディスプレイ画面上に表示され得る。カウントは検証され、分配機構は再補給され、量が入力され得る（および、おそらく中央サーバコンピュータシステム１０５に送信される）。いくつかの実施形態では、中央サーバコンピュータシステム１０５または患者分配機器１２０−ａのコンピュータは、細目を再補給するＰＳＢに使用者を自動的に指示し得る。
【００２５】
一実施形態では、中央サーバコンピュータシステム１０５は、局所メモリまたは遠隔メモリに格納されるデータストア１１０の組に通信可能に接続される（おそらく、ネットワーク上）。データストア１１０は、１つ以上の関係データベースまたは関係データベースの構成要素（例えば、テーブル）、オブジェクトデータベースまたはオブジェクトの構成要素、スプレッドシート、テキストファイル、内部ソフトウェアリスト、またはデータの格納に適切な任意の他の種類のデータ構造であり得る。したがって、データストア１１０の各々が、複数のデータストレージ（同一種類または異なる種類）であり得ること、または、他のデータストアとの共通データストレージを共有し得ることを理解されたい。中央サーバコンピュータシステム１０５は、上述の出力のいずれかを生成するために、情報に関する問い合わせをデータストア１１０に行ない得る。データストア１１０は、任意の数の分配機器の各々におけるどのビンがＰＳＢとしての配分に利用可能であるかに関する情報、ならびにどのビンが現在ＰＳＢまたはＩＳＢとして配分されているかに関する情報を格納し、また、各ビンの特徴（種類、大きさ、場所、セキュリティ等）を記載し得る。また、データストア１１０は、このようなビンに対する患者の割り当てに関する情報も格納し得る。
【００２６】
また、データストア１１０は、どの分配機器が病室または医療施設の範囲に関連付けられるかに関する情報を格納し得る。データストア１１０は、特定の割り当てられたＰＳＢ
に関する状況情報（例えば、分配機器１２０−ａが進行中のキャビネットであるか、暫定的あるいは一時的なキャビネットであるか、または非進行中のキャビネットであるか否かを識別する情報）を格納し得る。
【００２７】
データストア１１０は、特定の患者、特定の薬物発注、および患者に現在処方中の他の細目に関する情報を格納し得る。データストア１１０は、患者、患者の過去、進行中、または今後の薬物発注と、患者の割り当て病室およびＰＳＢとの間の過去、進行中、または今後の関連付けに関する情報を格納し得る（例えば、ＰＳＢにおける患者のための医療用品の補給を識別する）。一実施形態では、「進行中の薬物発注」は、過去に発生する開始日時と、今後発生する停止日時（または無限時間）とを有する薬物発注であり、「今後の薬物発注」は、今後発生する開始日時と、今後発生する停止日時（または無限時間）とを有する薬物発注であり、「中断薬物発注」は、進行中と今後のどちらでもなく非進行中であり、および／または過去に発生する停止日を有する薬物発注である。本明細書で使用する際、用語の「薬物発注」は、１つ以上の薬物に関連付けられる発注であり得る。したがって、多数の薬物発注は、機器１２０における所定の時間における特定の患者について分析され得るか、または多数の薬物を含む単一の薬物発注が分析され得る。したがって、本明細書において「薬物発注」と言及することは、多数の薬物に関連付けられる発注であってもよく、または各々が１つ以上の薬物に関連付けられる多数の発注であり得ることが想定される。
【００２８】
一実施形態では、中央サーバコンピュータシステム１０５は、１つ以上の中央分配ユニット１１５に通信可能に接続される（おそらく、ネットワーク上）。中央分配ユニット１１５は、例えば、多数の自動化側面を有する薬局の保管および取り出しシステムであり得る。したがって、中央分配ユニット１１５は、中央サーバコンピュータシステム１０５から（または、おそらく、患者分配機器１２０上のコンピュータから）補給または再補給情報を受信し、カート調合またはカート無しあるいは他の環境のための自動的または部分的に自動的に特定された薬物を分配し得る。中央分配ユニット１１５に関連付けられるコンピュータシステムは、中央サーバコンピュータシステムから独立し得るか、または種々の一体化レベルが存在し得る。中央分配ユニット１１５は、任意の自動式パッケージ化配布機器、制御式物質配布機器、自動式薬物分配機器、または薬物もしくは他の細目を患者分配機器１２０に配布する他の機器もしくは機構であり得る。したがって、中央分配ユニット１１５は、医療施設の薬局に位置する集約型薬局配布器であり得る。一実施形態では、中央分配ユニット１１５は、薬物の分配を識別および追跡するように構成される局所または遠隔コンピューティング機器であり得る。
【００２９】
次に図１Ｂを参照すると、医療用品を保管し、かつＰＳＢを含む分配機器から医療用品を配布するための代替システム１５０の例が図示される。システム１５０は、医療用品（例えば、調合薬または他の薬物）を分配するための分配機器１２０−ｂを含む。図１Ｂの分配機器１２０−ｂは、図１Ａを参照して説明する患者分配機器１２０−ａの機能を含むように実装されてもよく、したがって、一実施形態では、図１Ａのシステムにおいて実装され得る。
【００３０】
例えば、キャビネットとして構成され得る分配機器１２０−ｂは、医療用品を患者に分配するための多数のビン１５５を含む。ビン１５５のうちの１つ以上またはこのようなビン１５５の下位部分は、ＰＳＢとしての使用のために配分され、患者に割り当てられ得る。また、分配機器１２０−ｂは、コンピュータ１６０も含む。分配機器コンピュータ１６０は、図１の中央サーバコンピュータシステム１０５によって実行され得る機能（またはその部分集合）のいずれかを完了させるように構成されてもよい。ゆえに、図１の中央サーバコンピュータシステム１０５によって実行される上述の機能は、分配機器１２０−ｂに局所的なコンピュータ１６０によって全体的または部分的に実行され得る。このように、システムの全部または一部は、集約的またはより分散的に動作するように構成され得る。
【００３１】
一例として、分配機器コンピュータ１６０は、ビンをＩＳＢまたはＰＳＢとして配分するように構成され、ビンまたはビンの組１５５に患者を割り当て得るか、または患者割り当て情報を受信し得る。また、分配機器コンピュータ１６０は、患者の転送または退院の少なくとも一部を管理し、患者ビン割り当てを必要に応じて修正し得る。また、分配機器コンピュータ１６０は、転送または退院工程にかかわらず、機器１２０−ｂからの細目の一掃および他の除去を管理および指示し得る。分配機器コンピュータ１６０は、患者の転送、退院、または他の始動事象により、除去する細目の場所を識別し得る（例えば、ビンに返却、薬局に返却、患者に返却）。分配機器コンピュータ１６０は、医療用品の補給を追跡するように構成され得る。分配機器コンピュータ１６０は、その動作に関する情報を中央サーバコンピュータシステム１０５に送信し得る。
【００３２】
同様に、分配機器コンピュータ１６０は、図１Ａのデータストア１１０に格納される情報のいずれかを格納し得るメモリを含み得る。分配機器コンピュータ１６０のメモリは、関連する分配機器１２０−ｂに限定される情報を含み得るか、または他の患者分配機器に関する情報（例えば、施設全体の部分集合から構成される範囲を対象とする）を含み得る。
【００３３】
また、システム１５０は、おそらくネットワーク上で、患者分配機器１２０−ｂに通信可能に接続される中央分配ユニット１１５も含み得る。中央分配ユニット１１５は、患者分配機器１２０−ｂから補給または再補給情報を受信し、カート調合またはカート無しあるいは他の環境のための自動的または部分的に自動的に特定された薬物を分配し得る。
【００３４】
次に図２を参照すると、ブロック図は、ＰＳＢを含む分配機器からの薬物および他の医療用品を保管および配布するためのシステム２００を示す。図２のシステム２００は、図１Ａを参照して説明したシステム１００の一実施形態を示す。図２のシステム２００は、多数の患者分配機器２２０を含み、患者分配機器２２０には、集中治療機器（「ＩＣＵ」）分配機器２２０−ａ、手術室（「ＯＲ」）分配機器２２０−ｂ、および多数の看護ユニットキャビネット分配機器２２０−ｃから２２０−ｎ（以下、看護ユニットキャビネットと呼ばれ得る）が含まれる。また、これらは、カート（図示せず）等の移動式分配機器であってもよい。移動式分配機器におけるＰＳＢは、固定式機器における患者のＰＳＢに薬物を保管および送達する役割を果たし得る（例えば、カート調合を介して、または患者の転送中）。これらの患者分配機器２２０は、概して、図１Ａまたは図１Ｂの分配機器１２０について説明したように構成され得る。分配機器２２０は、ＰＳＢのみ、ＩＳＢのみ、またはＰＳＢおよびＩＳＢの組み合わせを含み得る。また、分配機器２２０は、病室、範囲、または医療施設において論理的に結びつけられる多数の個々の物理的キャビネットから構成され得る。
【００３５】
また、図２のシステム２００は、中央サーバコンピュータシステム１０５も含み、中央サーバコンピュータシステム１０５は、分配機器２２０の各々に通信可能に接続される。図２の中央サーバコンピュータシステム１０５は、分配機器２２０毎に、図１Ａを参照して説明した機能のいずれかを実行し得る。図２のシステム２００は、中央分配ユニット１１５も含み、中央分配ユニット１１５は、本実施形態では、医療施設の薬局に位置し、中央サーバコンピュータシステム１０５に通信可能に接続される。中央分配ユニット１１５は、自動式保管および読み出し機器２１５−ａならびに追加の薬局分配ユニット２１５−ｂを含む。
【００３６】
中央サーバコンピュータシステム１０５は、分配機器２２０のうちの１つ以上から受信する情報を含む監査報告を生成し、また、中央分配ユニット１１５に送信されて、そこで調合される補給リストまたは再補給リストを生成し得る。中央サーバコンピュータシステム１０５は、受信した情報を使用して、異なるカート（各々が１つ以上の分配機器２２０を担当し、異なる間隔で実行する）において補給および再補給を効率的に配分し得る。また、監査機能およびリスト生成は、特定の分配機器２２０に関連付けられるコンピュータによって実行されてもよい。
【００３７】
本実施形態では、中央サーバコンピュータシステム１０５は、局所メモリまたは遠隔メモリに格納されるデータストア１１０に通信可能に接続される（おそらく、ネットワーク上）。データストア１１０は、医療施設における病室（または、他の範囲）を識別し、かつ各病室に関連付けられる（または病室が位置する範囲に関連付けられる）１つまたは複数の分配機器２２０を識別する病室テーブル２１０−Ａを含み得る。典型的には、分配機器２２０は、病室テーブル２１０ａに記載され得る多数の病室に関連付けられ得る。また、１次関連付けおよび１つ以上の２次関連付けが存在してもよい。また、病室テーブル２１０−ａは、病室に関連付けられる患者のリストを含み、病室および／または患者に関連付けられるまたは割り当てられる任意のＰＳＢを表示し得る。
【００３８】
また、データストア１１０は、どのビンが患者の割り当てに配分され得るかに関するリストを含むビンテーブル２１０−ｂを含み得る。したがって、ビンテーブル２１０−ｂは、任意の数の分配機器２２０の各々におけるどのビンがＰＳＢとしての配分に利用可能であるかに関する情報、ならびにどのビンがＰＳＢまたはＩＳＢとして現在配分されているかに関する情報を含み、また、各ビンの特徴（種類、大きさ、場所、制御レベル、セキュリティ等）を記載し得る。また、ビンテーブル２１０−ｂは、このようなビンの各々に割り当てられる特定の患者に関する情報も格納し得る（例えば、患者が割り当てられるビンならびに任意の他のビンに割り当てられる患者についてのリスト）。
【００３９】
一実施形態では、分配機器におけるビンがＰＳＢとしての使用に配分される場合、そのビンは、細目群とも関連付けられ得る。医療施設毎に多様な異なる細目群が存在し得る。各細目群は、特定のクラス（例えば、呼吸、冷蔵、救急車等の）細目の組を含むものとして定義され得る。ＰＳＢに関連付けられる１つまたは複数の細目群に関する情報も、ビンテーブル２１０−ｂに格納され得る。一致する群に属する細目のみをＰＳＢに保管することが可能になる。多数の異なる細目群は、定義され得る（例えば、各群を１つ以上の異なる細目に関連付けるデータストア１１０における別のテーブルにおいて）。１つの細目群は、初期設定または「一般的な」群であり、他の群に関連付けられない全細目を含む。医療施設における各細目は、群に関連付けられ得る。
【００４０】
一実施形態では、使用者は、１つ以上の細目群の組へのアクセスを許可される。使用者が、ＰＳＢへのアクセスを試行する場合、制御レベルアクセスに加えて、群アクセスが実行される。細目群によっては、使用者アクセス制限は存在し得ない。分配機器１２０または中央サーバコンピュータシステム１０５は、同一の物理的アクセス範囲における全ＰＳＢが同一の群指定を有するように、ＰＳＢ群指定規則を実行し得る。
【００４１】
ゆえに、ビンテーブル２１０−ｂは、異なる保管およびアクセス制限にビンを関連付け得る。第１の種類の保管およびアクセス制限は、麻薬取締局の薬剤分類に関連し、特定のビンに保管され得る薬物の種類（制御レベル）を限定し、これらのビンへのアクセスを特定の使用者のみに限定する。第２の種類の保管およびアクセス制限は、ビンに関連付けられる細目群に関連し得る。医療施設または他の機関は、各細目群に関連付けられるビンに保管され得る薬物の種類を限定し、かつこれらのビンへのアクセスを特定の使用者（例えば、これらの群のビンへのアクセスを許可された使用者のみ）に限定する規則を確立し得る。各種類の保管およびアクセス制限に関連付けられるＰＳＢでは、使用者は、アクセス許可を受けるために、制御レベルおよび細目群アクセスを持たなくてはならない。
【００４２】
また、データストア１１０は、細目テーブル２１０−ｃも含み得る。細目テーブル２１０−ｃは、情報を格納し、かつどの細目がどのビンに割り当てられるかを追跡するように構成され得る。細目テーブル２１０−ｃは、補給レベル、制御レベル、細目群、および細目が進行中または今後の薬物発注に基づくか否かに関する情報を含み得る。薬物テーブル２１０−ｃは、ビンがＰＳＢまたはＩＳＢであるかに関する情報およびビンが患者に割り当てられるか否かに関する情報を含み得る（および、おそらく、割り当てられた患者を識別し得る）。
【００４３】
データストア１１０は、患者、患者の過去、進行中、または今後の薬物発注と、患者の過去、現在、または今後の割り当て病室およびＰＳＢとの間の現在の関連付けに関して統合された情報を格納し得る。また、データストア１１０が、特定の割り当てＰＳＢに関する状況情報（例えば、分配機器１２０−ａが進行中のキャビネットであるか、暫定的あるいは一時的なキャビネットであるか、または非進行中のキャビネットであるか否かを識別する情報）を格納し得ることに留意されたい。また、データストア１１０は、各使用者の細目群アクセス権および制御レベルアクセス権を識別する情報を格納し得る。
【００４４】
一実施形態では、中央サーバコンピュータシステム１０５は、ネットワーク２４０を介して配布器／供給器２３０に通信可能に接続される。中央サーバコンピュータシステム１０５（または、特定の分配ユニット２２０）は、データストア１１０および中央分配ユニット１１５にアクセスして、特定の医療用品に関する補給レベルならびに進行中および今後の発注を決定し、特定の補給レベルを保持するように発注レベルを配布器／供給器２３０に通信し得る。１つ以上の使用者端末２３５は、システムをプログラミングまたは管理し、監査報告もしくは再補給報告を命令もしくは要求し得る。
【００４５】
患者分配機器１２０の一例について図３に示す。本実施形態における患者分配機器は、キャビネット３１０であり、キャビネット３１０は、種々の透明パネル３１４を備えるキャビネットフレーム３１２から構築され得る。キャビネット３１０は、一連の棚３２０をキャビネット３１０内に包囲する対のドア３１６および３１８をさらに含む。これらの包囲範囲は、種々の実施形態において、温度制御され得るか、または冷蔵され得る。棚３２０は、調製可能仕切り３２２を使用して種々の保管場所に分割され得る。さらに、各保管場所は、細目ボタン３２４に関連付けられてもよく、細目ボタン３２４を押圧して、各保管場所からの細目の除去または細目の配置を各保管場所に記録し得る。また、使用者を特定の保管場所に誘導するように、光３２６が各細目ボタンに隣接して配置され得る。さらに、ラベル３２８は、各保管場所に関連付けられ、特定の保管場所に保管する細目に関する情報を含み得る。任意により、ドア３１６および３１８は施錠され、適切な識別情報をコンピュータ３３０に入力した場合にのみ開放され得る。したがって、棚３２０のうちの１つから細目を除去するために、使用者（例えば、看護師使用者または他のケア提供者使用者）は、適切な識別情報をコンピュータ３３０に入力し得る。他の実施形態では、保管場所または区域の大きさ、構成、およびセキュリティは変動し得る。場所は、ＰＳＢとして患者に割り当てるために配分されてもよく、利用可能な場所は、現在のおよび予測される使用レベルならびに占有要因に応じて調整され得る。ＰＳＢ配分および患者ビン割り当ては、コンピュータ３３０によって行なわれるか、または遠隔場所（例えば、図１Ａの中央サーバコンピュータシステム１０５）から受信され得る。
【００４６】
情報の入力を容易にするために、コンピュータ３３０は、数字キーを含む従来のキーボード３３２およびキーパッド３３３を含み得る。タッチパッド３３３ａは、キーパッド３３３の上に配置され、ディスプレイ画面３３４上のポインタを制御するために使用され得る。キーパッド３３３の下には、ディスプレイ画面３３４のコントラストを制御するため、およびスピーカ３３３ｂから発せられる音声を制御するためにキーが配置される。キーボード３３２の下には、レシートポート３３３ｃが配置され、印刷されたレシートまたはラベルがレシートポート３３３ｃを通過し得る。キーボード３３２を含むパネルは、レシートプリンタへアクセスするために下側に回転し得る。図示するコンピュータ構成は、例示目的のみのものであり、他の実施形態では、特徴の部分集合を用いてもよく、特定の実装および入力機器は変化してもよい。
【００４７】
コンピュータ３３０上の種々の入力機器の１つの使用として、除去する１つ以上の細目を使用者が選択可能にすることが挙げられる。コンピュータ３３０が生成するか、または中央サーバコンピュータシステム１０５から受信する細目リストは、ディスプレイ画面３３４上に表示され得る。さらに、ディスプレイ画面３３４は、ディスプレイ画面３３４上の細目に触れるだけで種々の細目を選択可能にするタッチスクリーンディスプレイであり得る。コンピュータ３３０は、種々の情報をコンピュータ３３０に供給可能にする（例えば、図１Ａの中央サーバコンピュータシステム１０５によって）任意の種類のコンピュータネットワークに連結され得る。例えば、補給リストまたは再補給リストは、細目の一掃または他の除去のためのリストのように、中央サーバコンピュータシステム１０５から送信され得る。
【００４８】
適切な細目が選択されると、ドア３１６および３１８は解錠され（ドア３１６および３１８が既に施錠されている場合）、適切な光３２６が点灯して、選択された細目に使用者を誘導し得る。細目が除去されると、使用者は、除去する細目の数に相当する数の回数だけ細目ボタン３２４を押圧し得る。保管場所への細目の再補給のために類似の工程を使用してもよい。
【００４９】
キャビネット３１０は、調合細目または追加のセキュリティを必要とする他の種類の細目を保持するための種々の引き出し３３８を備える薬局区画３３６をさらに含み得る。適切な情報をコンピュータ３３０に入力すると、適切な引き出し３３８は解錠され、引き出し上の光３４０は点灯して、使用者を適切なドアへ誘導し得る。引き出し３３８は、種々のビン（例えば、ＰＳＢまたはＩＳＢとして配分される）を便宜的に含み、種々のビンは、任意により、細目に対する追加のセキュリティを提供するように施錠可能な蓋を有し得る。選択された細目を有するビンに対応する蓋は解錠され、使用者は、棚３２０で説明したように、光を使用して解錠されたビンに誘導され得る。
【００５０】
一実施形態では、薬局区画３３６は、分配ユニット範囲３４２をさらに含む。簡単に言うと、分配ユニット範囲３４２は、キャビネット３１０のキャビネットフレーム３１２に挿入可能である分配ユニットフレームを含む。分配ユニットフレームは、分配器フレームへのアクセスを提供するように開放し得るドア３４６に連結される。分配機構は、典型的には、多数の患者による使用のための細目に関連付けられ得るが、分配機構に関連付けられる特定のビンは、いくつかの実施形態では、患者に割り当てられ得る。分配器フレームの下には、コンピュータ３３０において細目が選択された後に、分配機構から降下する細目を収容する分配引き出し３５２が存在する。分配引き出し３５２内のビンは、一時的またはより永続的ベースで特定の患者にＰＳＢとして割り当てられ得る。分配引き出し３５２は、分配操作中に使用者を分配引き出し３５２に誘導するために光３５４を含み得る。ハンドル３５６は、ドア３４６の開放を容易にするためにドア３４６に提供され得る。ドア３４６は、分配操作中に使用者をドア３４６に誘導するために光３５７を含み得る。
【００５１】
場合により、分配された細目をキャビネット３１０に返却する必要があり得る。場合によっては、種々の規則、規則、または施設方針により、分配された細目をキャビネット３１０に返却することが禁じられている。したがって、細目が返却ユニット３５８に配置可能になるように開放され得る摺動可能（または回転可能）なドア３６０を有する返却ユニット３５８が、キャビネット３１０に取り付けられ得る（あるいは、キャビネットに一体型であり得る）。細目を返却する場合、返却に関する情報をコンピュータ３３０に入力し得る。返却ユニット３５８上の光３６２は点灯して、細目が返却され得ることを使用者に表示し得る。返却ユニット３５８は、好ましくは、一旦細目がユニットに配置されると、再補給使用者または専門家がアクセスを認可されない限り、返却ユニット３５８から細目を取り出し不可能であるように構成され得る。例えば、再補給専門家は、内部の細目へのアクセスを可能にするように返却ユニット３５８を解錠するために、コンピュータ３３０に適切な情報を入力する必要があり得る。
【００５２】
キャビネット３１０の１つの特定の配置について説明したが、上記ＰＳＢ構成要素の任意の部分集合または組み合わせが、多種多様の分配キャビネットと使用され得ることを理解されたい。例えば、分配機構およびユニットは、単に調合薬を分配するためだけに使用されるキャビネット内に配置されてもよく、また、引き出し３３８に類似する引き出しのみを含んでもよい。別の代替として、このような機構およびユニットは、棚３２０に類似する棚のみを含むキャビネットに配置され得る。さらに、このような機構およびユニットは、垂直配置で並んで配置される複数の棚および／または引き出しを有するキャビネットにおいて使用されてもよい。また、分配キャビネットは、複数の分配ユニット範囲３４２を含んでもよい。これらは、同一の大きさであってもよく、または異なる大きさであってもよい。またさらに、場合により、このような分配キャビネットは、細目の保管を容易にするために、他の種類の棚、ラック、引き出し、およびその同等物を含んでもよい。
【００５３】
次に図４を参照すると、図３からの引き出し３３８の一実施形態が図示される。引き出し３３８を参照して説明する配分および患者割り当ては、他の実施形態において用いられ得る。一実施形態では、引き出し３３８は、多数のビン４０５を含む。患者に割り当てるように配分され得るビン４０５の第１の部分集合のビン４１５と、細目に対する割り当てに配分され得る第２の部分集合４１０のビン４０５とが存在する。一実施形態では、コンピュータ３３０（または、おそらく中央サーバコンピュータシステム１０５）は、現在および／または予測される今後の補給レベルおよび使用レベルに従って配分を変動させ得る。他の実施形態では、引き出しは、ＰＳＢのみから構成され得る。
【００５４】
他の種類の分配機器１２０に関する多数の異なる構成が存在し、図５は、このような機器のさらに別の例を示す。図示する分配機器５１０は、図１Ａのシステム１００または図１Ｂのシステム１５０を参照して説明した患者分配機器１２０の機能のうちの１つまたは全部を含み得るため、いずれかのシステムにおいて実装され得る。したがって、機器５１０は、中央サーバコンピュータシステム１０５と有線または無線通信し得る。
【００５５】
分配機器５１０は、多数の格納式引き出し５１４を有するキャビネット５１２を含む。１２個の引き出しを備えて図示されるが、引き出しの数は変動してもよい。キャビネット５１２は、医療施設において分配機器５１０を移動可能にする車輪５１６の上に存在し得る。キャビネットは、電池式であってもよく、無線通信するように（例えば、移送中の通信を可能にするように）構成されてもよい。キャビネット５１２は、種々の寸法により形成され得る。
【００５６】
分配機器５１０は、一体型コンピュータ（キャビネット５１２内に隠される）と、種々の情報をコンピュータに入力するためのキーボード５１８とをさらに含む。例えば、キーボード５１８を用いて、患者識別情報、使用者識別情報、細目補給および再補給の要求、ならびにその同等物をコンピュータに入力し得る。任意により、分配機器５１０は、コンピュータに接続され、かつ強調表示された細目の選択のために種々のリストの情報を使用者がスクロールすることを可能にする画面５２２を有する第２の入力機器５２０をさらに含んでもよい。例えば、ケア提供者は、特定の患者を選択するために、または細目除去もしくは補給要求を入力するために、患者名または細目名のリストをスクロールし得る。一実施形態では、画面は、カラータッチスクリーンであり得る。タッチスクリーンの機能性によって、使用者がその選択に直接触れることが可能になるため、キーボード、マウス、または他の従来の方法を使用して、または使用を必要とせずに、タッチスクリーンは、分配キャビネットと使用者がインタラクト可能にするように構成され得る。タッチスクリーンは、カラータッチスクリーンであってもよく、色区別によって、使用者に報告および誘導し得る（例えば、黄色が警告または警報、灰色が細目の利用不可能、緑色が次のステップ）。
【００５７】
プリンタ５２４は、コンピュータが生成する種々の報告またはラベルを印刷するために、キャビネット５１２上に提供され得る。他の実施形態では、機器５１０のコンピューティング機能性のいくつか（例えば、ディスプレイ、入力機器、読み取り器等）が、取り外し可能であってもよく、あるいは機器５１０から分離されてもよく、また、機器５１０または中央サーバコンピュータシステム１０５と無線通信し得る。
【００５８】
キャビネット５１２は、磁気、バーコード、ＲＦＩＤ、データ収集器、またはコンピュータに（直接または無線）接続される他の読み取り器５２５をさらに含み得る。このような読み取り器５２５は、本明細書に記載の分配機器１２０のいずれかにおいて用いられ得る。読み取り器５２５は、種類および関連する量またはレベルを手動または自動で走査し、次いで、データをキャビネット５１２または中央コンピュータシステム１０５に提供するように構成され得る。読み取り器５２５は、使用者、患者、または特定の薬物もしくは他の細目が識別可能になるように提供され得る。例えば、識別子（例えば、磁気、バーコード、ＲＦＩＤ、または他の識別子）が、細目の補給、再補給、または除去時に薬物容器から読み取られ得る。次いで、識別子（および量）は、中央サーバコンピュータシステム１０５に送信されるか、あるいは補給の追跡のために格納される。同様に、識別子（例えば、磁気、バーコード、ＲＦＩＤ、またはアクセスカードもしくは他の器具からの他の識別子）は、機器の使用者または機器に関連付けられる患者から読み取られ得る。また、読み取り器５２５を用いて、引き出しに関連付けられる識別機器を読み取ってもよい。
【００５９】
特定の患者の細目の取り出しまたは除去のために、使用者（例えば、看護師使用者または他のケア提供者、患者、自動化システム等）は、キーボード５１８、読み取り器５２５、または入力機器５２０を使用して、使用者識別（例えば、パスワード、ＰＩＮ、スマートカード、ＲＦＩＤ、それらの組み合わせ等）を入力し得る。次いで、使用者（または、コンピュータ３３０）は、患者を識別し得る。患者識別は、キーボード５１８、読み取り器５２５、または入力機器５２０を使用して、使用者によって入力され得る。使用者は、所望の薬物または他の医療用品を選択し得るか、またはコンピュータ（または、中央サーバコンピュータシステム１０５）は、使用者に指示し得る（例えば、光またはリストを介して）。また、使用者は、患者のために除去または取り出される選択された種類の細目の数を入力し得る。次いで、使用者は、適切な引き出しを引き込み、正確なビンに導かれる。また、キーボード５１８または入力機器５２０を介して、除去または供給した特定の種類の細目の数および残数を使用者が入力することを促すことによって、取り出された特定の細目のカウントを検証するステップも存在し得る。また、この事象の記録は、コンピュータ内に保持され得るか、または図１Ａもしくは図１Ｂの中央サーバコンピュータシステム１０５もしくは他の場所に送信され得る。また、多種多様の他の除去代替を使用してもよい。
【００６０】
分配機器５１０への細目の補給および再補給のために、薬局または他の中央分配ユニット（例えば、図１Ａまたは図１Ｂの中央分配ユニット１１５）は、パッケージまたは他の容器の組において、まとめて特定のＰＳＢまたはＰＳＢの組における特定のカート調合のための全細目を調製し得る。例えば、所定のＰＳＢのための薬物の全ては、カートに配置する前に、薬局または他の中央分配ユニットにおいて収集および統合され得る。キャビネット５１０のコンピュータまたはおそらく図１Ａもしくは図１Ｂの中央サーバコンピュータシステム１０５は、再補給リストを薬局に送信し得るか、またはリストは、薬局において局所的に処理され得る。ゆえに、特定のＰＳＢのための医療用品の収集および統合に関する工程は、分配機器５１０の代わりに、薬局または他の中央分配ユニットで行なわれ得る。これにより、よりセキュアな環境が提供され、結果として損失が減少し得る。また、看護師使用者の代わりに薬剤師がこれらのタスクを実行することがより効率的であり得る。
【００６１】
ＰＳＢに補給または再補給するために、使用者は、使用者、患者、および／またはパッケージ／容器識別（例えば、パスワード、ＰＩＮ、ラベル、シリアルナンバー、バーコード、識別機器、スマートカード、ＲＦＩＤ等）を、キーボード５１８、読み取り器５２５、または入力機器５２０を使用して入力し得る。したがって、使用者、患者、またはパッケージ／容器識別情報（または、任意のそれらの組み合わせ）の入力によって、再補給工程が始動され得る。キャビネット５１０のコンピュータ（おそらく、図１Ａまたは図１Ｂの中央サーバコンピュータシステム１０５により制御される）は、使用者に指示して（例えば、光または画面情報を介して）、適切なＰＳＢにパッケージ／容器を配置させ得る。動作は記録され、おそらく中央サーバコンピュータシステム１０５に送信され得る。
【００６２】
他の実施形態では、薬局または他の分配機関が再補給細目を統合する代わりに、分配機器５１０において、ＰＳＢまたはＩＳＢに個々の細目を細目別ベースで配置し得る。例えば、薬局または他の中央分配ユニット（例えば、図１Ａまたは図１Ｂの中央分配ユニット１１５）あるいは図１Ａまたは図１Ｂの中央サーバコンピュータシステム１０５は、分配機器に頻繁に連絡し得る。情報、具体的には、各分配機器における細目毎の手元にある現在の量に関する情報を交換し得る。一定の間隔で（例えば、毎朝）、各容器（例えば、ＰＳＢまたはＩＳＢ）における量を既定の（または、動的に計算される）平均レベルまで引き上げるように分配機器に取り出される各細目の総量について詳述する再補給リストが分配機器毎に生成され得る。
【００６３】
別の代替として、１つ以上のビンのために事前に補給したライナーが薬局、中央分配ユニット、またはその他の場所において作製され得る。交換ライナーは、ビンおよび細目の同一配置またはビンおよび細目の異なる配置を有するように構成され得る。また、多種多様の他の再補給システムを使用してもよい。図５のキャビネット５１０を参照して取り出しおよび補給について説明するが、これらの手順は、他の分配機器（例えば、図１Ａまたは図１Ｂの分配機器１２０）にも適用され得る。補給または再補給は、いくつか例を挙げると、患者が初めて入院する場合、補充の必要がある場合、または転送を管理する場合に実行され得る。
【００６４】
次に図６を参照すると、図５からの引き出し５１４のうちの１つの例についてより詳細に説明する。また、この引き出しの実施形態は、多数の代替分配機器においても用いられ得る。さらに、他の実施形態では、多種多様の異なる引き出し構成を利用してもよく、本構成は、例示目的のみのものである。図６の引き出し５１４は、ハンドル６２８と、キャビネット５１２を出入りする際にトレイを摺動可能にするトラック６３０とを有するフレーム６２６を含む。ＬＥＤ等の視覚的インジケータ６３２が、細目除去または補給要求の入力時または受信時に特定の引き出しを識別可能にするように、引き出し５１４上に設けられる。引き出し５１４は、分配する細目を保持する取り外し可能ライナー６３４を収容するように構成され得る。ライナー６３４は、多数のビン６３６（上述のように、ＰＳＢまたはＩＳＢとして配分または割り当てされ得るビン）に分割される。本実施形態におけるビンは、調整可能な横方向仕切り６３８および縦方向仕切り６５７を含む。使用者を特定のビンに誘導するために用いられる光管６４０が、仕切りの少なくとも一部に取り付けられる。ライナー６３４は、フレーム６２６内に存在するように構成され、ハンドル６４２によって、引き出し５１４からライナーを単に持ち上げることによって取り外され得る。
【００６５】
次に図７を参照すると、図６からのライナー６３４のうちの１つの例についてより詳細に説明する。他の実施形態では、多種多様の他のライナー構成を利用してもよく、本構成は、例示目的のみのものである。ライナー内において、光管６４０を収容するための多数の開口部７６８が存在する。開口部７６８は、光管６４０がライナー６３４を通過するのに十分な大きさである。多数の仕切り６３８構成における光管６４０毎に開口部７６８が存在するように、開口部７６８は２次元配列にある。一実施形態では、別々の仕切り６３８に取り付けられる２つの光管６４０（おそらく、相互に対向する）は、各ビンに関連付けられる。別の実施形態では、単一の光管は、各ビンを一意的に識別し得る。
【００６６】
次に図８を参照すると、分配機器におけるビンに薬物を関連付ける方法８００に関する一実施形態について説明する。本方法８００は、例えば、図１Ａまたは図２の中央サーバコンピュータシステム１０５によって全体的または部分的に実行され得る。代替として、方法８００は、図１Ａ、図１Ｂ、または図２の分配機器１２０または２２０に関連するコンピュータによって全体的または部分的に実行され得る。
【００６７】
ブロック８０５において、患者に関連付けられる分配機器における１つ以上のビンが、ＰＳＢ使用のために配分され、および／またはＰＳＢとしての使用のために患者に割り当てられる。ブロック８１０において、分配機器における１つ以上の異なるビンが、多数の患者による使用のための１つ以上のユニットの特定の薬物を保持するように割り当てられるＩＳＢとしての使用のために配分される。ブロック８１５において、患者のための１つ以上の薬物発注を分析して、薬物発注からの第１の組の薬物を、ＩＳＢに保管される薬物として識別する。ブロック８２０において、薬物発注を分析して、薬物発注からの第２の組の薬物を、ＰＳＢにおいて患者のために保管される薬物として識別する。薬物発注を、薬物別ビンに保管される細目のリストと比較して、第２の組の薬物を識別し得る。ブロック８２５において、第２の組の薬物の部分集合は、ＰＳＢのうちの選択されたＰＳＢに関連付けられる。選択されたＰＳＢは、自動的に識別してもよく、または使用者によって選択されてもよい。
【００６８】
患者のための薬物発注情報を、システムにおける他の機器から受信してもよい。一実施形態では、薬物発注情報を使用して、患者のために選択されたＰＳＢにどの細目を配置するかを自動的に決定してもよい。次いで、識別データを送信し得る（例えば、図１の分配機器１２０または中央分配ユニット１１５へ）。選択されたＰＳＢにおける補給は、補給および除去を監視することによって追跡され得る（例えば、中央サーバコンピュータシステム１０５が、分配機器１２０から送信される補給および除去情報を受信する場合に）。選択されたＰＳＢにおいて再補給される細目は、受信した薬物発注情報および追跡された補給に部分的に基づいて識別され得る。
【００６９】
前述の説明は、ＰＳＢを含むシステムの多様な新規側面の一般化された説明を提供する。具体的な実施形態では、追加の新規側面は、第Ｉ章−第ＸＩＩＩ章に説明される。図１のシステム１００は、本発明の特定の実施形態の以下の説明において直接的または間接的に言及されるが、全ての図示する構成要素を使用する必要がないことを強調されたい。同様に、図１のシステム１００に図示されない構成要素を、特定の実施形態において使用してもよい。例えば、図２のシステム２００の類似の構成要素（例えば、中央サーバコンピュータシステム１０５）を使用してもよい。ゆえに、図１に関連する任意の説明が、例示目的のみのものであることを認識されたい。さらに、機能の多くは、中央サーバコンピュータシステム１０５によりを実行されるように説明され得るが、説明する機能（または、その任意の部分集合）は、図１Ａまたは図１Ｂの患者分配機器１２０または図２の分配機器２２０のコンピュータによって実行されてもよい。
【００７０】
以下の説明では、分配される細目は、しばしば薬物として説明される。しかしながら、これは、記載の原理が他の医療用品の保管にも適用され得るため、例示目的のみのものである。後述の多数の実施形態では、システム１００は、ＰＳＢとしての患者への割り当てに配分されるビンの部分集合を備える患者分配機器１２０−ａ（例えば、看護ユニットキャビネット）を含む。各事例において留意され得ないが、多数の患者により使用される特定の種類の細目への割り当てに利用可能なＩＳＢも存在し得る。本願において、用語の「ＰＳＢ」は、用語の「患者別ビン」と交換可能に使用され、用語の「ＩＳＢ」は、用語の「細目別ビン」とし交換可能に使用される。
【００７１】
（Ｉ．分配機器の状況指定）：１組の実施形態では、患者は、２つの異なる物理的場所における分配機器に、同時に関連付けられ得る。まず、図１のシステム１００に戻って参照すると、システム１００は、患者の物理的場所が医療施設内において移動式または移送式である場合の事例を対処するように構成され得る。各分配機器１２０は、それぞれの機器に提供されるサービスを規定する異なる指定状況を有し得る。ゆえに、システム１００は、異なる場所において、ならびに患者に関連付けられる場所（例えば、病室または範囲）が今後、過去、一時的、または移動式の場所である場合に、異なる場所において患者の必要性に対処するように柔軟性を有するように構成され得る。また、状況指定は、患者の実際の場所が不確定または未知である状況に対処し得る。
【００７２】
ゆえに、一実施形態では、図１Ａの中央サーバコンピュータシステム１０５は、異なる状況を、患者に関連付けられる２つ以上の分配機器１２０に関連付ける。その際、分配機器におけるＰＳＢが患者に割り当てられる場合、分配機器１２０の状況指定は、ＰＳＢの状況も規定し得る。したがって、状況指定は、特定の分配機器１２０またはＰＳＢに起因し得る。状況指定は、所定の場所においてどのサービスが患者に提供されるかを表示し得る。
【００７３】
図９を参照すると、患者別ビンを含む分配機器の状況を指定するためのシステム１０００の例が図示される。図示するシステム１０００は、２つの分配機器、つまり分配機器−ａ  １０１０−ａおよび分配機器−ｂ  １０１０−ｂを含む。各機器は、例えば、図１Ａ、図１Ｂ、または図２の分配機器１２０または２２０であり得るため、医療用品（例えば、調合薬、他の薬物、または医療施設における患者のための他の医療用品）を分配するための多数のビンを備えるキャビネットであり得る。また、システム１０００は、各分配機器１０１０に通信可能に接続される中央サーバコンピュータシステム１００５も含む。中央サーバコンピュータシステム１００５は、図１Ａ、図１Ｂ、または図２の中央サーバコンピュータシステム１０５であり得る。システムは、任意の他の数の接続された分配機器（図示せず）を含んでもよいため、図示する実施形態は、例示目的のみのものである。
【００７４】
分配機器−ａ  １０１０−ａは、場所−ａ  １０１５−ａに関連付けられ得る。この関連付けは、分配機器−ａ  １０１０−ａが、場所−ａ  １０１５−ａを含む病室の組を担当する看護ステーションにおけるキャビネットであることを表示し得る。患者は、場所−ａ  １０１５−ａの病室のうちの１つの内部に物理的に位置してもよく、中央サーバコンピュータシステム１００５は、この関連付けを反映し得る。しかしながら、いくつかの実施形態では、場所−ａ  １０１５−ａは、患者のための過去または今後の場所、あるいは別の種類の病室または場所（例えば、手術室、緊急治療室、２つの場所間の移送場所等）であり得る。
【００７５】
分配機器−ｂ  １０１０−ｂは、場所−ｂ  １０１５−ｂに関連付けられ得る。この関連付けも、分配機器−ｂ  １０１０−ｂが、場所−ｂ  １０１５−ｂを含む病室の組を担当する看護ステーションにおけるキャビネットであることを表示し得る。前述のように、患者は、場所−ｂ  １０１５−ｂが、実際または中央サーバコンピュータシステム１００５により表されるように、患者のための過去、現在、または今後の場所であり得るため、場所−ｂ  １０１５−ｂに関連付けられ得る。
【００７６】
ゆえに、患者が、２つの異なる場所１０１５−ａおよび１０１５−ｂにおいて分配機器１０１０に関連付けら得ることから、  患者の薬物および他の医療用品の必要性は、各場所から提示され得る。しかしながら、一実施形態では、各分配機器１０１０−ａおよび１０１０−ｂに関連付けられる異なる状況が存在し、その状況は、各機器１０１０において（ひいては、その内部の１つ以上のＰＳＢにおいて）提供されるように許可される（または、必要とされる）サービスの表示を提供する。異なる状況指定が同時に効力を有し得る。ゆえに、各状況指定子は、所定の時間に各場所に提供され得るサービスに関する異なる制限および／または要件を提供し得る（例えば、使用者挙動は、一方の機器１０１０−ａにおいて第１の状況指定に基づいて制限され得るが、異なる指定を含む別の機器１０１０−ｂにおいて制限され得ない）。
【００７７】
中央サーバコンピュータシステム１００５（または、おそらく、機器１０１０毎のコンピュータ）は、機器１０１０毎に関連付けられる状況を指定、変更、および格納し得る。状況指定は、相互に排他的であり得るか、または、システムは、異なる機器間で指定を共有するように構成され得る。
【００７８】
所定のシステム１０００に利用可能である任意の数の状況指定が存在し得る。以下の指定が可能であるが、当業者が多様な可能性を認識するように、これらは例示目的のみのものである。
【００７９】
−進行中：病室テーブルにおける患者の病室に関連付けられる分配機器１０１０に指定されるが、必ずしも患者が物理的に位置する場所であるとは限らない。
【００８０】
−暫定的：新しいキャビネットが進行中のキャビネットとして指定される前に患者が位置していた病室に関連付けられる分配機器１０１０に指定される。しかしながら、暫定的キャビネットは、必ずしも患者が物理的に位置する場所である必要はない。
【００８１】
−非進行中：前に進行中の機器１０１０から患者が物理的に移動し、および／または機器における患者の薬物および他の医療用品が物理的に除去されたという確認を受信した後に分配機器１０１０に指定される。
【００８２】
−一時的：患者が一時的に（例えば、４時間以下、６時間以下等）だけ占有する病室または場所における分配機器１０１０に指定される。手術室または他の一時的処置範囲（例えば、Ｘ線または治療室）は、この指定を有し得る。
【００８３】
−移送中：移動中（例えば、医療施設間または医療施設内）の患者に関連付けられる分配機器１０１０に指定される。または、
−送達：薬物の送達のために使用され、かつ患者に関連付けられる移動式分配機器１０１０に指定される。
【００８４】
状況指定毎に、異なる組のサービスの許可、禁止、要求等を行ない得る。例えば、ある状況は、特定のサービスを提供することを必要とし、および／または特定の使用者へ提供されるサービスを限定し得る。所定の状況に関連付けられるサービスの組は、設定され得るか、またはこれらは、管理者によってプログラミングまたは修正され得る。特定の使用者は、所定の状況の機器において強制または許可されるサービスの組を無効にする能力を与えられ得る。
【００８５】
一実施形態では、以下の機能の全部または任意の部分集合は、所定の状況指定、つまり、細目除去、細目返却、返却場所、細目補給減少、ＰＳＢ制御レベル、ＰＳＢ属性修正、再補給および／または再補給供給レベル、補足再補給および補足再補給供給レベル、細目割り当てまたは割り当て解除、患者ビン割り当てまたは割り当て解除、ＰＳＢ指定または再配分、患者薬物の転送、患者薬物の受領、期限切れ追跡、細目バーコード確認、量検証、証人要件、ならびに／あるいは患者自身の薬物の受領または除去に基づいて、機器１２０またはＰＳＢにおいて制限または強制され得る。一例として、ある場所における状況指定は、再補給リストを送信する場所、どの細目をそれぞれの場所に再補給するか、どの量（日々の供給）を再補給するか、いつキャビネットを一掃すべきか、どの細目を除去すべきか、除去した細目をどこに配置すべきか、患者が転送または退院されるか否か、どの患者ケアサービスがその場所で提供されるか等を指示し得る。
【００８６】
状況指定は、使用者によって入力され得るか、または自動的に入力もしくは修正され得る（例えば、中央サーバコンピュータシステム１００５または機器１０１０のコンピュータによって）。例えば、場所−ａ  １０１５−ａから場所−ｂ  １０１５−ｂに移動１０２０する患者の例について考察する。第１の機器１０１０−ａの状況指定は、患者が場所−ｂ  １０１５−ｂに物理的に到着したことを確認する情報を受信すると、自動的に変更され得る。第１の機器１０１０−ａの状況指定は、患者が場所−ａ  １０１５−ａから物理的に出発したこと、または患者の物理的場所が変更したことを確認する情報を受信すると、自動的に変更され得る。したがって、状況指定変更は、物理的場所変更（出発、到着、他の変更）の確認によって自動的に始動され得る。変更された状況指定は、分配機器−ａ  １０１０−ａにおける患者のためのＰＳＢに保管される細目の除去を始動し得る（例えば、即時除去を始動させる、または単に使用者が次に機器１０１０−ａを使用する場合のみ）。
【００８７】
次に図１０を参照すると、ＰＳＢを含む分配機器の状況を指定するためのシステム１１００が図示される。図示するシステム１１００は、３つのこのような分配機器、つまり、分配機器−ａ  １１１０−ａ、分配機器−ｂ  １１１０−ｂ、および分配機器−ｃ  １１１０−ｃを含む。各機器は、例えば、図１Ａ、図１Ｂ、または図２の分配機器１２０または２２０であり得るため、医療用品（例えば、調合薬、他の薬物、または医療施設における患者のための他の医療用品）を分配するための多数のビンを備えるキャビネットであり得る。また、システム１１００は、各分配機器１１１０に通信可能に接続される中央サーバコンピュータシステム１１０５も含む。中央サーバコンピュータシステム１１０５は、図１Ａ、図１Ｂ、または図２の中央サーバコンピュータシステム１０５であり得る。中央サーバコンピュータシステム１１０５は、任意の他の数の通信可能に接続された分配機器（図示せず）を含んでもよいため、図示する実施形態は、例示目的のみのものである。
【００８８】
分配機器−ａ  １１１０−ａは、病室１  １１１５−ａ（例えば、図２の病室テーブル２１０−ａにおける）に関連付けられる。この関連付けは、分配機器−ａ  １１１０−ａ
が、病室１  １１１５ａを含む病室の組を担当する看護ステーションにおけるキャビネットであることを表示し得る。本例では、患者は、最初に、病室１  １１１５−ａ内に物理的に位置し、中央サーバコンピュータシステム１１０５は、この関連付けを反映する。現在の例において、分配機器−ａ  １１１０−ａは、分配機器が完全な機能性を患者に提供することを表示する進行中状況により指定される。
【００８９】
分配機器−ｂ  １１１０−ｂは、手術室１１１５−ｂ（例えば、図２の病室テーブル２１０−ａにおける）に関連付けられる。この関連付けは、分配機器−ｂ  １１１０−ｂ  が、手術室１１１５−ｂにおけるか、または病室場所１１１５ｂを担当する看護ステーションにおけるキャビネットであることを表示し得る。患者が、手術室１１１５−ｂで実行する処置を受けるために移動１１２５する場合、中央サーバコンピュータシステム１１０５は、この関連付けを反映し得る（例えば、今後の手術のため、または手術の発生時）。分配機器−ｂ  １１１０−ｂは、余裕を加えた予定の手術時間中にのみ分配機器が機能性（例えば、再補給）を患者に提供することを表示する一時的状況により指定され得る。これは、再補給の量が制限されること、および／またはその特定の種類の再補給リストが進行中の分配機器１１１０−ａだけに送られるべきであることを意味し得る。また、他の制限または必要性も、一時的状況に関連付けられる。患者が手術室１１１５−ｂを物理的に出たこと１１３０か、または手術後に病室１  １１１５−ａに戻ったこと１１３０が確認されると、分配機器−ｂ  １１１０−ｂは、非進行中状況により指定され、分配機器−ｂ
１１１０−ｂの一掃を始動させる。
【００９０】
分配機器−ｃ  １１１０−ｃは、病室２  １１１５−ｃ（例えば、図２の病室テーブル２１０−ａにおける）に関連付けられる。この関連付けは、分配機器−ｃ  １１１０−ｃが、病室場所２  １１１５ｃを含む病室の組を担当する看護ステーションにおけるキャビネットであることを表示し得る。中央サーバコンピュータシステム１１０５は、患者が病室２  １１１５−ｃに転送１１３５されるという情報を受信し、この関連付けを反映し得る。分配機器−ｃ  １１１０−ｃは、分配機器が完全な機能性を患者に提供することを表示する進行中状況により指定される。病室１  １１１０−ａから患者が退去したという確認がまだ得られない場合がある。ゆえに、暫定的状況が、分配機器−ａ  １１１０−ａ（つまり、患者が転送される前に位置した病室）に指定され得る。暫定的ＰＳＢにおいて補給する細目が転送されず、患者が依然として物理的に転送されていないことに留意されたい。暫定的状況の分配機器は、進行中状況の機器が提供する機能性のいくつかの部分集合を提供し得る。患者および／または患者の薬物ならびに分配機器−ａ  １０１０−ａにおける他の医療用品が物理的に転送されたという確認を受信すると（例えば、中央サーバコンピュータシステム１０５により受信する確認）、分配機器−ａ  １０１０−ａは、患者の非進行的状況により指定され得る。
【００９１】
次に図１１を参照すると、分配機器に対して状況を指定する方法１２００の一実施形態が図示される。本方法１２００は、例えば、図１Ａまたは図２の中央サーバコンピュータシステム１０５によって全体的または部分的に実行され得る。代替として、方法１２００は、図１Ａ、図１Ｂ、または図２の分配機器１２０または２２０に関連するコンピュータによって全体的または部分的に実行され得る。この実施形態において、分配機器１２０はキャビネットである。
【００９２】
ブロック１２０５において、患者に関連付けられる第１の場所を担当する第１の分配機器が識別される。これは、例えば、患者に現在割り当てられる病室を含む範囲を担当するキャビネットであり得る。代替として、患者が病室を出たという確認をシステムが得ていない場合、これは、患者に前に割り当てられた病室を含む範囲を担当するキャビネットであり得る。また、これは、移送中（例えば、医療施設内または医療施設内外）の患者を担当する移動式キャビネット、一時的キャビネット（例えば、処置中に割り当てられる）、または今後割り当てられるキャビネットであり得る。ブロック１２１０において、第１の状況が、第１の分配機器に指定され、第１の状況は、機器において患者に許容される第１の組のサービスを識別する。
【００９３】
ブロック１２１５において、患者に関連付けられる第２の場所を担当する第２の分配機器が識別される。これは、例えば、患者に現在割り当てられるか、もしくは前に割り当てられた病室を含む範囲を担当するキャビネットであり得るか、または移動式、一時的、または今後のキャビネットであり得る。ブロック１２２０において、第２の状況が、第２の分配機器に指定され、第２の状況は、機器において患者に許容される第２の組のサービスを識別する。第２の組のサービスの少なくとも部分集合は、第１の組のサービスに存在しない。一実施形態では、ゆえに、異なる状況指定は、機器に許容される異なるサービスを特定し得る。
【００９４】
次に図１２を参照すると、分配機器に対して状況を指定する方法１３００の代替実施形態が図示される。本方法１３００は、例えば、中央サーバコンピュータシステム１０５、分配機器１２０もしくは２２０に関連するコンピュータ、または任意のそれらの組み合わせによって全体的または部分的に実行され得る。各ステップは、自動的に（使用者または操作者が動作または関与せずに）実行され得るか、あるいは適用可能なコンピューティング機器に使用者が入力を提供することによって、全体的または部分的に起動および／または実行され得る。本実施形態では、分配機器１２０はキャビネットである。
【００９５】
ブロック１３０５において、第１の分配機器が、患者に割り当てられる病室を担当するものとして識別される。ブロック１３１０において、第１の分配機器におけるＰＳＢが、患者に割り当てられる。ブロック１３１５において、第１の状況が、第１の分配機器に指定され、第１の状況は、機器におけるＰＳＢに許容されるサービスの組を識別する。許容サービスは、間接的に識別され得る（例えば、中央サーバコンピュータシステム１０５に格納する許容サービスのリスト、状況に対応するリストを介して）。
【００９６】
ブロック１３２０において、第２の分配機器が、患者に割り当てられる第２の場所を担当するものとして識別される。ブロック１３２５において、第１の状況が、第２の分配機器に指定され、第１の状況は、前述のように、機器におけるＰＳＢに許容される第１の組のサービスを識別する。ブロック１３３０において、第１の分配機器の指定は、第２の状況に変更され、変更は、第２の分配機器における状況指定によって始動させられる。一実施形態では、状況指定子の少なくとも一部は、相互に排他的であり、他の実施形態では、状況指定子は、共有され得る。ブロック１３４０において、再補給制限が第１の分配機器に指示され、再補給制限は、第２の状況に少なくとも部分的に基づく。「再補給制限」は、特定の細目のみおよび／または所定の細目のより少ない量のみが機器に再補給されることを意味し得る。
【００９７】
ブロック１３４５において、患者の物理的場所が変更したこと（例えば、患者が第１の場所を出たこと、または患者が第２の場所に到着したこと）を確認する情報を受信する。ブロック１３５０において、第１の分配機器の指定は、第３の状況に変更され、変更は、確認情報によって始動させられる。ブロック１３５５において、再補給リストが、第２の状況指定に少なくとも部分的に基づいて第２の分配機器に送られる。ブロック１３６０において、割り当てられたＰＳＢの一掃命令が、第１の分配機器に送られ、一掃命令は、第３の指定により始動させられる。
【００９８】
次に図１３を参照すると、分配機器に対して状況を指定する方法１４００の一実施形態が図示される。本方法１４００は、例えば、中央サーバコンピュータシステム１０５、分配機器１２０もしくは２２０に関連するコンピュータ、または任意のそれらの組み合わせによって全体的または部分的に実行され得る。本実施形態では、分配機器１２０はキャビネットである。
【００９９】
ブロック１４０５において、新しく割り当てられた患者場所に関連付けられるキャビネットが識別される（例えば、図２の病室テーブル２１０−ａを介して）。ブロック１４１０において、識別されたキャビネットは、「進行中」キャビネットとして識別されるため、完全なＰＳＢ機能性を患者に提供することが可能である。ブロック１４１５において、前に「進行中」のキャビネットが、「暫定」として指定されるため、患者が物理的に新しく割り当てられた場所に移動するまで、ＰＳＢ機能性（完全な機能性またはおそらく特定の細目もしくは量に制限される）を引き続き提供することが可能である。したがって、特定の実施形態では、暫定的キャビネットから実行され得る動作は、「暫定的」指定により制限され得る。
【０１００】
新しく割り当てられた場所に患者が物理的に移動すると、ブロック１４２０において、患者が物理的に移動したことを表示する情報を受信する。ブロック１４２５において、暫定的キャビネットの指定は、患者のためのＰＳＢ使用が利用不可能になるように、「非進行中」に変更される。この指定は、例えば、非進行中のキャビネットの一掃を始動し得る。
【０１０１】
（ＩＩ．分配機器の再補給のための細目の識別）：別の組の実施形態では、再発注される薬物発注における細目を識別するための種々のシステム、方法、および機器について説明する。１つ以上の薬物発注からの細目は、患者のためのＰＳＢに保管される細目を識別するために、分配機器における共通補給（例えば、ＩＳＢにおける）の細目と比較され得る。図１Ａ、図１Ｂ、または図２の分配機器１２０または２２０のために再補給リストが生成されるように、ＰＳＢに保管されるこれらの細目の中から再発注レベル以下の細目が識別され得る。
【０１０２】
次に、ある組の例示的実施形態について、図２を参照して説明する。しかしながら、説明する機能が、図１Ａまたは図２の中央サーバコンピュータシステム１０５、図１Ａ、図１Ｂ、または図２の分配機器１２０または２２０に関連するコンピュータ、あるいは任意のそれらの組み合わせによって実行され得ることに留意されたい。システム２００は、医療施設における中央サーバコンピュータシステム１０５と通信する多数の分配機器２２０を含む。各分配機器２２０は、１つ以上の病室または範囲に関連付けられ得る。患者に病室が割り当てられるため、看護ユニットキャビネット２２０−ｃは、患者が割り当てられる病室に関連付けられ得る（例えば、病室テーブル２１０−ａを介して）。他の実施形態では、多様な他の種類の分配機器１２０または２２０を使用してもよい。
【０１０３】
一実施形態では、看護ユニットキャビネット２２０−ｃは、複数の患者のうちのある患者に対して排他的使用のために割り当てられる１つ以上のＰＳＢと、複数の患者による使用に利用可能である細目に各々が割り当てられる１つ以上のＩＳＢとを含む。ＩＳＢは、患者に対する細目の関係にかかわらず、細目に割り当てられるビンである（例えば、２人以上の患者間で使用され得る）。中央サーバコンピュータシステム１０５は、患者別使用または細目別使用のためにビンを動的に配分し得るか、または配分は固定的であり得る。
【０１０４】
一実施形態では、薬物発注は、中央サーバコンピュータシステム１０５によって生成または受信される。発注は、現在または今後の必要性に基づいて（例えば、薬物発注は、進行中または今後の発注であり得る）、患者に投与するか、あるいは患者が使用する１つまたは複数の薬物を識別し得る。薬物発注は、内部で（中央サーバコンピュータシステム１０５または分配機器１２０のコンピュータによって）生成され得るが、代替として、薬物発注は、外部ソース（例えば、患者情報および薬物発注の外部ソース）から受信されてもよい。薬物発注は、看護キャビネット２２０−ｃにおける１つ以上のＩＳＢ（例えば、共通補給）に保管される薬物のリストと比較され、キャビネット２２０−ｃにおける１つ以上のＰＳＢに保管される薬物発注の薬物（例えば、共通補給にない薬物発注における薬物）を決定し得る。キャビネット２２０−ｃにおいて共通補給ではなく、かつＰＳＢに保管されていない細目（例えば、除外細目）が存在する場合がある。ＰＳＢに保管される細目が、既に患者のために補給されている場合があるか、または前に補給していなかった新しい細目である場合がある。
【０１０５】
中央サーバコンピュータシステム１０５は、キャビネット２２０−ｃにおいてＰＳＢに保管される細目のうちの１つ以上の再発注レベルを識別してもよく、再発注レベルは、それぞれの細目の再発注を始動させる。次いで、中央サーバコンピュータシステム１０５は、キャビネット２２０−ｃにおける患者のための１つ以上のＰＳＢが、識別された再発注レベル以下であるか否かを決定し得る。中央サーバコンピュータシステムは、キャビネット２２０−ｃまたは他の場所から、ＰＳＢに保管される薬物発注の細目の現在の供給レベルを識別するデータを受信し得る。したがって、中央サーバコンピュータシステム１０５（または、分配機器１２０のコンピュータ）は、更新情報を提供するために、ＰＳＢおよびＩＳＢの両方における実際の利用および手元にある実際の量を監視し得る。一実施形態では、データは、機器における患者のためのＰＳＢが、識別された再発注レベル以下であるか否かに関する決定に使用される。特定の薬物発注が、１つ以上の薬物に関連付けられ得ることに留意されたい。したがって、機器２２０において所定の時間における特定の患者のための多数の薬物発注を分析してもよく、または多数の薬物を含む単一の薬物発注を分析してもよい。
【０１０６】
中央サーバコンピュータシステム１０５は、識別された再発注レベル以下であると決定された細目について、分配機器における患者のための再発注量を識別するようにさらに構成され得る。中央サーバコンピュータシステム１０５は、分配機器を再補給する際に患者に細目を供給する標的レベルを識別し得る。したがって、中央サーバコンピュータシステム１０５は、標的レベルを現在の供給レベルと比較することによって、細目毎の患者のための再発注量を識別し得る。
【０１０７】
次に図１４を参照すると、例示図２０００は、分配機器（例えば、図１Ａの分配機器１２０、または図２のキャビネット２２０−ｃ）のＰＳＢにおける患者のために保管される細目のための再発注レベル２００５および標的レベル２０１０を図示する。以下の機能性は、例えば、中央サーバコンピュータシステム１０５によって行なわれ得る。特定の時間において（例えば、毎日１回または２回）、１つ以上の薬物発注を分析して、分配機器のＰＳＢにおいて補給する細目のための患者の使用必要性を決定する。
【０１０８】
例えば、消費率および最小供給量（例えば、時間で測定される）に基づいて、再発注レベル２００５が識別され得る。再発注レベルは、再発注を始動させる供給レベルであり得る。また、ＰＳＢにおける細目の現在の供給レベルについても識別され得る。薬物発注の処理時に、ＰＳＢにおける細目の現在の量が、再発注レベル２００５よりも低いレベル２０１５にある場合、細目の再発注が始動させられる。例えば、消費率および所望の再供給量（例えば、時間で測定される）に基づいて、標的レベル２０１０が識別され得る。標的レベル２０１０は、再補給時に量を提供する供給レベルであり得る。再発注量は、現在の供給レベルと標的レベル２０１０との差異であり得る。薬物発注の処理時に、ビンにおける細目の量が、再発注レベル２００５よりも高いレベル２０２０にある場合、再発注は始動されない。薬物発注が変更し、現在の細目供給が標的レベル２０１０よりも高いレベル２０２５にある場合、分配機器１２０は、過剰量および患者による細目の推定残使用量に応じて（例えば、現在または今後の薬物発注に記載の通り）、細目を除去する（例えば、一掃中または他の時間に）ように指示され得る（または、指示され得ない）。当業者は、このようなシステムの多数の実装オプションを認識するであろう。
【０１０９】
薬物発注または他の消費情報（例えば、患者または同様の患者の過去の使用率を使用する推定に基づく）を使用して、細目毎の患者による使用率を決定してもよく、また、使用率を使用して、再発注レベルおよび／または標的レベルを識別してもよい。中央サーバコンピュータシステム１０５は、例えば、分配機器１２０における１つ以上の細目のための再発注日別供給および標的日別供給を識別し得る。標的日別供給を消費情報と併用して、標的レベルを識別してもよい。同様に、再発注日別供給を消費情報と併用して、再発注レベルを識別してもよい。さらに、再発注レベルまたは標的レベルは、使用率の修正によって日別供給の数が変更するため（所定の供給レベルについて）、使用率が変更する場合に修正され得る。
【０１１０】
表１は、日別供給計算に基づく再発注レベルおよび標的レベルの例を示す。表１は、薬剤Ａのための表であり、薬物発注は、薬剤Ａが１日当たり３回（午前９：００、午後１：００、および午後８：００）、１０日間投与されることを表示する。再発注時間は、午前８：００である。再発注レベルは、１日分供給であり、標的レベルは、４日分供給である。上記薬物発注（１日当たり３回投与することを記載する）では、再発注レベルは３つの細目（１日×３細目）であり、標的レベルは１２個の細目（４日×３細目）である。システムは、再発注量を分析する際に現在のレベルを識別可能であり得るため、いつ投与を省略したか（例えば、第３日）を識別し得る。
【０１１１】
【表１】
0005577244.tif 000002
ゆえに、表１は、再発注レベルおよび標的レベルが使用日数の観点から測定され得る実施形態の例を示す。実際の再発注レベルおよび標的レベルは、使用率および残りの薬物発注の量に応じて変動し得る。例えば、薬物発注が変更する場合、再発注レベルおよび標的レベルは、それに応じて変更し得る。
【０１１２】
本明細書に説明する再発注工程は、進行中の薬物発注および今後の薬物発注の両方を含み得る。表２は、薬剤Ｂのための進行中および今後の一連の薬物発注の例を示す。また、日別供給（標的または再発注）に起因する量が経時的に変動し得る方式を示す。薬剤Ｂは、量を減少させて１日当たり１回（午前９：００）、６日間投与される。
【０１１３】
【表２】
0005577244.tif 000003
１０／１／０７における標的レベルを決定するために、薬物発注１、２、および３について考慮する。１０／２／０７における標的レベルを決定するために、薬物発注２、３、および４について考慮する。１０／５／０７における標的レベルを決定するために、薬物発注５および６について考慮する。ゆえに、表２も、利用率の変動について示し、終了日は、日別供給計算に影響を及ぼし得る。
【０１１４】
一実施形態では、再発注量は、識別された再発注量が分配機器に送達される前に更新され得る。本例では、図１Ａを参照し、第１の薬物発注が中央サーバコンピュータシステム１０５によって処理される事例について考察する。標的レベルまで医療用品を提供する再発注量が、識別および送信される（例えば、図２の中央分配ユニット１１５へ）。本例において、細目が分配および表示されているが、キャビネットに送達されていないと想定する（例えば、依然として中央分配ユニット１１５に位置する）。
【０１１５】
次いで、第２の薬物発注が、キャビネット２２０−ｃの再補給の前に受信され得る。特定の状況では、再発注量は、第２の薬物発注の処理による再補給の前に変更され得る。一実施形態では、第１の薬物発注からの再発注量を加えたキャビネットにおける現在の医療用品が、再発注レベル未満である場合、修正された再発注量が識別および送信される。しかしながら、第１の薬物発注からの再発注量を加えたキャビネットにおける現在の医療用品が、再発注レベルを上回り、かつ標的レベルを下回る場合、再発注量は変更されない。第１の薬物発注からの再発注量を加えたキャビネットにおける現在の医療用品が、標的レベルを上回る場合、再発注量は、補給の細目を患者が使用しない場合にのみ変更および送信される。また、多数の他の再発注シナリオも可能である。例えば、薬物発注は、中断されてもよく、または、キャビネットが再補給される前ではなく、最初の発注リストが中央分配ユニット１１５において回収された後に患者が退院してもよい。本シナリオでは、再補給更新により、薬物発注中断および患者退院のための細目を、キャビネットに進む前に再補給リストから除去するように使用者は指示され得る。
【０１１６】
外部システムによって生成され、かつ外部システムから受信される再補給リストでは、このようなリストを処理する際に特定の追加のステップが存在し得る。外部ソースからリストを受信する場合、細目および患者は、リスト上の患者または細目の任意の部分集合が対処不可能であるか否かを確認するために認証され得る。外部リストがこのようにフィルタリングされると、上述のステップのいずれかを実行して、細目および再補給する量の再補給リストを生成し得る。
【０１１７】
次に図１５を参照すると、フロー図は、患者のために再発注される薬物発注の細目を識別する方法２１００の実施形態を示す。本方法２１００は、例えば、図１Ａまたは図２の中央サーバコンピュータシステム１０５によって全体的または部分的に実行され得る。代替として、方法２１００は、図１Ａ、図１Ｂ、または図２の分配機器１２０または２２０に関連するコンピュータによって全体的または部分的に実行され得る。
【０１１８】
ブロック２１０５において、患者のための薬物発注が受信される。ブロック２１１０において、薬物発注を、分配機器におけるＩＳＢに保管される薬物のリストと比較して、機器における患者のためのＰＳＢに保管される薬物発注の細目の部分集合を決定し得る。ブロック２１１５において、それぞれの細目の再発注を始動させる再発注レベルが、自動的に識別される。ブロック２１２０において、機器における患者のための１つ以上のＰＳＢが、識別された再発注レベル以下であるか否かに関して、細目のために決定が行なわれる。
【０１１９】
次に図１６を参照すると、患者のために再発注される薬物発注の細目を識別する方法２２００に関する別の実施形態が示される。本方法２２００は、例えば、中央サーバコンピュータシステム１０５、分配機器１２０または２２０に関連するコンピュータ、あるいは任意のそれらの組み合わせによって全体的または部分的に実行され得る。
【０１２０】
ブロック２２０５において、患者のための薬物発注が受信される（例えば、データを受信するように構成される中央サーバコンピュータシステムの受信ユニットによって）。ブロック２２１０において、薬物発注を、分配機器におけるＩＳＢに保管される薬物のリストと比較して、機器における患者のためのＰＳＢに保管される薬物発注の細目の部分集合を決定する。ブロック２２１５において、それぞれの細目の再発注を始動させる再発注レベルが、自動的に識別される。ブロック２２２０において、機器における患者のための１つ以上のＰＳＢが、識別された再発注レベル以下であるか否かに関して、細目について決定が行なわれる。ブロック２２２５において、識別された再発注レベル以下であると決定された細目について、分配機器における患者のための再発注量が決定される。
【０１２１】
ブロック２２３０において、再発注量を特定するデータが送信され得る（例えば、中央サーバコンピュータシステムの送信ユニットによって）。例えば、再発注量を特定するデータは、再補給リストを生成するために薬局に送信されてもよく、または再補給リストの形式で送信されてもよい。
【０１２２】
次に図１７を参照すると、１つ以上のキャビネットのための再補給リストを生成する方法２３００に関する実施形態について説明する。本方法２３００は、例えば、中央サーバコンピュータシステム１０５、分配機器１２０または２２０に関連するコンピュータ、あるいは中央分配ユニット１１５によって全体的または部分的に実行され得る。本実施形態では、分配機器は、キャビネットである。
【０１２３】
ブロック２３０５において、１つ以上のキャビネットのための再補給リストを生成するための要求が受信される。ブロック２３１０において、各キャビネットに関連付けられる患者が識別される（例えば、病室テーブル２１０−ａを使用して）。ブロック２３１５において、患者毎に必要とされるが、患者に関連付けられるキャビネットにおけるＩＳＢに補給されていない薬物が識別される。ブロック２３２０において、細目毎の標的レベルが、薬物発注のスケジュールおよび投与ならびに標的日別供給のに基づいて決定される。ブロック２３２５において、患者毎の細目量が、患者のためのＰＳＢにおける正確な量および標的レベルに基づいて決定される。
【０１２４】
次に図１８を参照すると、再発注量を決定する方法２４００に関する実施形態について説明する。本方法２４００は、例えば、中央サーバコンピュータシステム１０５、分配機器１２０または２２０に関連するコンピュータ、あるいは任意のそれらの組み合わせによって全体的または部分的に実行され得る。
【０１２５】
ブロック２４０５において、患者のための薬物発注が受信される。ブロック２４１０において、患者に関連付けられる分配機器が識別される（例えば、病室と分配機器との間の関連付けに基づいて）。ブロック２４１５において、受信した薬物発注を、分配機器におけるＩＳＢに保管される薬物のリストと比較して、機器における患者のためのＰＳＢに保管される薬物発注のこれらの細目を決定し得る。
【０１２６】
ブロック２４２０において、それぞれの細目の再発注を始動させる再発注レベルが自動的に識別される。ブロック２４２５において、分配機器の患者のＰＳＢにおけるそれぞれの細目のための現在の供給レベルが識別される（例えば、機器からの送信を介して）。ブロック２４３０において、現在のレベルを再発注レベルと比較して、それぞれの細目の各々が再発注されるか否かを決定する。
【０１２７】
ブロック２４３５において、標的レベルが識別され、標的レベルは、機器の再補給時に各それぞれの細目の供給を患者に提供するレベルを表示する。ブロック２４４０において、現在のレベルを標的レベルと比較して、それぞれの再発注量を識別する。ブロック２４４５において、再発注量を特定するデータが送信される。ブロック２４５０において、更新された薬物発注が受信され（例えば、再補給が実際に発生する前に）、発注は、再発注レベルおよび標的レベルを修正する。ブロック２４５５において、修正された標的レベルを有する薬物の部分集合のみのための変更された再発注量を特定するデータが送信される。
【０１２８】
（ＩＩＩ．患者別ビン割り当て）：分配機器におけるＰＳＢを患者に割り当てるための種々の方法について説明する。一実施形態では、患者が占有する病室または範囲は、分配機器に関連付けられる（例えば、病室テーブル２１０−ａを介して）。分配機器における１つ以上の利用可能なＰＳＢは、１つ以上の薬物が患者のために保管される場合に、自動的に識別される。次いで、分配機器において利用可能なＰＳＢは、患者に割り当てられる。
【０１２９】
次に、ある組の例示的実施形態について、図２を参照して説明する。しかしながら、説明する機能が、図１Ａまたは図２の中央サーバコンピュータシステム１０５、図１Ａ、図１Ｂ、または図２の分配機器１２０または２２０に関連するコンピュータ、あるいは任意のそれらの組み合わせによって実行され得ることに留意されたい。システム２００は、医療施設における中央サーバコンピュータシステム１０５と通信する多数の分配機器２２０を含む。各分配機器２２０は、１つ以上の病室または範囲に関連付けられ、患者（医療施設における多数の患者のうちの）には、病室の１つが割り当てられる。特定の看護ユニットキャビネット２２０−ｃは、患者が割り当てられる病室に関連付けられる（例えば、病室テーブル２１０−ａを介して）。他の実施形態では、医療施設における範囲または他の病室群に薬物を分配するように構成される多様な他の種類の分配機器１２０または２２０を使用してもよい。
【０１３０】
一実施形態では、患者に関連付けられる看護ユニットキャビネット２２０−ｃは、患者に対して排他的使用のために割り当てられる１つ以上のＰＳＢと、複数の患者による使用に利用可能である細目に各々が割り当てられる１つ以上のＩＳＢとを含む。ＩＳＢは、患者に対する細目の関係にかかわらず、細目に割り当てられ得るビンである（例えば、２人以上の患者間で使用され得る）。中央サーバコンピュータシステム１０５は、患者別使用または細目別使用のためにビンを動的に再配分し得るか、または配分は固定的であり得る。
【０１３１】
中央サーバコンピュータシステム１０５は、キャビネット２２０−ｃ内のビンから１つ以上の利用可能なＰＳＢを自動的に識別し得る。そうするためには、中央サーバコンピュータシステム１０５は、キャビネット２２０−ｃまたは他の場所から、特定のＰＳＢが現在割り当て中であるか否かを識別するデータを受信し得る。したがって、中央サーバコンピュータシステム１０５またはキャビネット２２０−ｃのコンピュータは、割り当ておよび利用を監視し得る。中央サーバコンピュータシステム１０５は、利用可能なＰＳＢのうちの１つ以上を患者に割り当て得る。
【０１３２】
一実施形態では、患者に対するＰＳＢの割り当ては、キャビネット２２０−ｃにおけるグラフィックまたは他のインターフェースを介する使用者による多数の利用可能なＰＳＢからの選択に基づく。中央サーバコンピュータシステム１０５は、識別されたＰＳＢを表示するように構成される選択可能な使用者インターフェースを送信し、選択可能な使用者インターフェース（例えば、キャビネット２２０−ｃから送信された）を介して選択を受信し得る。代替実施形態では、利用可能なＰＳＢの患者に対する割り当ては、自動的に行なわれ、キャビネット２２０−ｃまたは使用者に送信される。
【０１３３】
割り当てられると、中央サーバコンピュータシステム１０５は、割り当てられたＰＳＢに、薬物の保管に利用可能な容量が不十分であることを表示する情報（例えば、キャビネット２２０−ｃから送信された）を受信するように構成され得る。システム１０５は、識別された薬物の十分な保管容量を提供するために、１つ以上の追加の利用可能なビンを自動的に識別するように構成され得る。
【０１３４】
一実施形態では、中央サーバコンピュータシステム１０５は、病室に関連付けられたキャビネット２２０−ｃが、ＰＳＢとして配分される１つ以上の利用可能なビンを現在含まないことを決定し得る。本事例において、システム１０５は、１つ以上の利用可能なビンを配分し得る（例えば、決定に基づくＰＳＢとして）。したがって、中央サーバコンピュータシステム１０５は、ビンのこの配分からもＰＳＢを割り当ててもよい。
【０１３５】
中央サーバコンピュータシステム１０５は、１つ以上のＰＳＢにおいて患者のために保管される薬物のリストを受信し得る（おそらく薬物発注または再補給リストから）。このようなリストは、現在または今後の発注に基づき得る。ＰＳＢに保管されるリストの薬物を識別するために、ＩＳＢにおいて保管される（例えば、共通補給として）キャビネット２２０−ｃにおける薬物のリストとの比較が行なわれ得る。中央サーバコンピュータシステムは、１つ以上のＰＳＢに保管されるリストの薬物を識別するデータを送信し得る。
【０１３６】
中央サーバコンピュータシステム１０５は、受信した細目リストに関連付けられる保管要件を決定し得る。保管要件には、例えば、制御レベル制限、使用者レベル制御アクセス要件、他の物理的または技術的セキュリティ要件、保管種類要件（例えば、冷蔵、物理的構成等）、保管制限（例えば、呼吸または他の細目群制限）、および保管容量要件が含まれ得る。利用可能なＰＳＢの自動的識別は、決定された保管要件に基づき得る（例えば、利用可能なＰＳＢの特徴を、受信したリストの保管要件に一致させる）。したがって、特定の実施形態では、特定の保管要件を満たすこれらの利用可能なＰＳＢのみが、利用可能なものとして識別される。
【０１３７】
また、中央サーバコンピュータシステム１０５は、識別されたＰＳＢが、患者のために保管される特定の薬物を保管するのに適格であるか否かを決定し、また、反対に、患者が、識別された利用可能なビンの割り当てに適格であるか否かを決定し得る。この適格性は、患者のための状況発行に基づき得る（例えば、進行中、暫定的、または非進行中状況に関連付けられる割り当て制限）。したがって、特定の実施形態では、特定の適格性基準を満たすこれらの利用可能なＰＳＢのみが、患者に利用可能なものとして識別される。
【０１３８】
別の実施形態では、中央サーバコンピュータシステム１０５は、キャビネット２２０−ｃにおける患者に割り当てられたＰＳＢに、識別された薬物に利用可能な容量が不十分であることを決定し得る。また、システムは、病室に関連付けられたキャビネット２２０−ｃが、ＰＳＢとして配分され、かつ識別された薬物を保管する容量を十分備えて構成される利用可能なビンを現在含まないことを決定し得る。このような問題により、キャビネット２２０−ｃにおける１つ以上の利用可能なビンは、ＰＳＢとして再配分され得る。この再配分は、再配分されるビンにおける十分な保管容量の決定に基づき得る。他の実施形態では、ビンは、キャビネット２２０−ｃまたはより広範な群の分配機器２２０における患者別保管のための現在または今後の計画に基づいて、自動的に再配分され得る（ＩＳＢからＰＳＢへ、またはその逆も同様）。
【０１３９】
使用者がキャビネット２２０−ｃに補給する用意ができると、使用者は、ログインし得るか、あるいはキャビネット２２０−ｃに登録し得る。代替として、使用者は、ＰＳＢの識別を必要とする動作（例えば、再補給、または多数回使用細目の最初の使用）を開始し得る。次いで、中央サーバコンピュータシステム１０５は、患者のための薬物の保管のために既に割り当てられたＰＳＢを自動的に識別し、識別をキャビネットに送信し得る。同様に、キャビネット２２０−ｃにおけるコンピュータは、自動的に使用者を指示するようにも構成され得る。
【０１４０】
次に図１９を参照すると、ビンを患者に割り当てる方法３０００に関する一実施形態について図示される。本方法３０００は、例えば、図１Ａまたは図２の中央サーバコンピュータシステム１０５によって全体的または部分的に実行され得る。代替として、方法３０００は、図１Ａ、図１Ｂ、または図２の分配機器１２０または２２０に関連するコンピュータによって全体的または部分的に実行され得る。
【０１４１】
ブロック３００５において、患者が占有する病室の識別が受信される。ブロック３０１０において、病室に関連付けられる分配機器が識別される。ブロック３０１５おいて、分配機器における１つ以上の利用可能なＰＳＢが、自動的に識別される。ブロック３０２０おいて、患者が、利用可能なＰＳＢのうちの選択されたＰＳＢに割り当てられる。
【０１４２】
次に図２０を参照すると、ビンを割り当てる方法３１００に関する別の実施形態について図示される。本方法３１００は、例えば、中央サーバコンピュータシステム１０５、分配機器１２０または２２０に関連するコンピュータ、あるいは任意のそれらの組み合わせによって全体的または部分的に実行され得る。
【０１４３】
ブロック３１０５おいて、患者の病室に関連付けられる分配機器が識別され、分配機器は、ＰＳＢおよびＩＳＢを含む。ブロック３１１０おいて、１つ以上のＰＳＢにおいて患者のために補給される薬物のリストが受信される。ブロック３１１５おいて、リストに記載の薬物毎の制御、セキュリティ、保管種類、および保管容量の要件が識別される。ブロック３１２０おいて、要件に適応可能であるＰＳＢが自動的に識別される。いくつかの実施形態では、所定の細目群に関連付けられるＰＳＢのみが、その細目群からの細目を保管し得る。ブロック３１２５おいて、リストに記載の各薬物は、自動的に識別されたＰＳＢであって、患者に割り当てられたＰＳＢのうちの１つ以上に関連付けられる。
【０１４４】
図２１を参照すると、ＰＳＢを割り当てる方法３２００に関する代替実施形態について図示される。本方法３２００は、例えば、中央サーバコンピュータシステム１０５、分配機器１２０または２２０に関連するコンピュータ、あるいは任意のそれらの組み合わせによって全体的または部分的に実行され得る。
【０１４５】
ブロック３２０５おいて、患者が占有する病室の識別が受信される。ブロック３２１０において、病室に関連付けられる分配機器が識別され、分配機器は、ＰＳＢおよびＩＳＢを含む。ブロック３２１５おいて、１つ以上のＰＳＢにおいて患者のために補給される薬物のリストが受信される。ブロック３２２０おいて、患者に現在割り当て中のＰＳＢが、リストのうちの１つ以上の細目の保管に適格であるか否か、および十分な保管容量を有して構成されるか否かに関する決定が行なわれる。十分な保管容量を有して構成される場合、工程は、ブロック３２４５まで移動し、患者に割り当てられた１つ以上のＰＳＢであって、適格でありかつ十分な容量を有して構成されるＰＳＢの優先リストとのインターフェースを生成する。
【０１４６】
患者に現在割り当て中のＰＳＢが不十分である場合、ブロック３２２５において、リストに記載の細目の保管に適格でありかつ十分な容量を有して構成される利用可能なＰＳＢが存在するか否かに関する決定が行なわれる。このようなビンが利用不可能である場合、工程は、ブロック３２３０において継続し、本ブロックにおいて、リストに記載の薬物の保管に適格でありかつ十分な保管容量を有して構成される１つ以上の利用可能なＩＳＢがＰＳＢとして再配分される（または、別の実施形態では、他の患者に割り当てられる空のＰＳＢが識別されて、利用可能なＰＳＢに変換され得る）。ブロック３２２５またはブロック３２３０から、工程は、ブロック３２３５において継続し、本ブロックにおいて、利用可能なＰＳＢのうちの１つ以上が、リストに記載の薬物の保管に適格でありかつ十分な保管容量を有して構成されるものとして識別される。ブロック３２４０おいて、ブロック３２３５において識別されたＰＳＢのうちの少なくとも１つが、患者に自動的に割り当てられる。ブロック３２４０から、工程はブロック３２４５に進み、患者に割り当てられ、かつ十分な容量を有して構成された１つ以上の適格なＰＳＢの優先リストとのインターフェースを生成する。
【０１４７】
ブロック３２４５から（ブロック３２４５まで到達した方式にかかわらず）、本方法は、ブロック３２５０に進み、本ブロックにおいて、ＰＳＢへの細目割り当ての選択が、インターフェースを介して受信される。ブロック３２５５おいて、細目は、選択されたＰＳＢに割り当てられる。他の実施形態では、ＰＳＢへの細目の選択および割り当ては、自動的であり得る。
【０１４８】
次に図２２を参照すると、ＰＳＢを割り当てる方法３３００に関する実施形態について図示される。上述のように、本方法３３００は、例えば、中央サーバコンピュータシステム１０５、分配機器１２０または２２０に関連するコンピュータ、あるいは任意のそれらの組み合わせによって全体的または部分的に実行され得る。
【０１４９】
ブロック３３０５おいて、患者が占有する病室の識別が受信される。ブロック３３１０おいて、患者の病室に関連付けられる分配機器が識別され、分配機器は、ＰＳＢおよびＩＳＢを含む。ブロック３３１５おいて、１つ以上のＰＳＢにおいて患者のために補給される薬物のリストが受信される。
【０１５０】
ブロック３３２０おいて、ＰＳＢが分配機器において利用可能であるかに関する決定が行なわれる。利用可能である場合、ブロック３３２５おいて、ＰＳＢが十分な容量を有して構成されるか否かに関する決定が行なわれる。十分な容量を有して構成される場合、ブロック３３４５おいて、ＰＳＢが識別され、識別は、薬物のリストのうちの細目の保管により適合する構成を優先する。
【０１５１】
ＰＳＢ（例えば、割り当て済みまたは非割り当てのいずれか）が利用不可能である場合、またはこれらの利用可能なＰＳＢが十分な容量を有して構成されない場合、ブロック３３３０において、利用可能なＩＳＢが、分配機器において識別される。ブロック３３３５おいて、十分な保管容量を有するこれらの利用可能なＩＳＢが識別される。ブロック３３４０おいて、１つ以上の識別される利用可能なＩＳＢは、ＰＳＢとしての使用に配分される。ブロック３３４０から、新しく配分されたＰＳＢのうちの１つが、ブロック３３４５において識別され、識別は、薬物のリストにより適合する構成を優先する。
【０１５２】
ブロック３３４５から（ブロック３３４５まで到達した方式にかかわらず）、ＰＳＢは、ブロック３３５０において患者に割り当てられる。ブロック３３５５において、割り当て情報が、ＰＳＢに送信される。ブロック３３６０において、分配機器におけるビンは、今後の予定（例えば、推定される今後の使用に基づく計画）に基づいて自動的に再配分される。
【０１５３】
（ＩＶ．患者転送の管理）：患者の新しい場所への転送に関連付けられる薬物の場所を管理するための種々のシステム、方法、および機器構成が存在する。このような転送の管理に関して説明する機能は、図１Ａ、図１Ｂまたは図２の中央サーバコンピュータシステム１０５、図１Ａの分配機器１２０または２２０のコンピュータ、あるいはそれらの組み合わせによって実行され得る。ステップは、転送元の場所または転送先の場所に関連する分配機器１２０または２２０のコンピュータによって実行され得る。
【０１５４】
一実施形態では、第１のキャビネットが担当する現在の病室から患者が転送されることを表示する情報を受信すると、工程が開始する。識別は、第１のキャビネットに保管され、かつ転送される患者に割り当てられる薬物から構成される。第１のキャビネットにおけるこのような薬物のビン構成は、識別および保管される。次いで、保管されたビンの構成データが、ビンの割り当て目的のために第２のキャビネット（第１のキャビネットからの１つ以上のＰＳＢ属性を引き継ぐ第２のキャビネット）に適用されることによって、第１のキャビネットにおいて実行される同調を活用する。
【０１５５】
一実施形態では、異なる分配機器１２０が担当する新しい病室または範囲に患者が転送されるという情報を受信すると（例えば、中央サーバコンピュータシステム１０５において）、工程が始動させられる。これは、過去に発生したか、今後発生するか、または現在進行中（例えば、患者が転送途中）の患者転送であり得る。特定の構成要素は、患者の物理的場所に関するリアルタイムデータを有するが、必須ではない。一例として、中央サーバコンピュータシステム１０５は、転送通知として生成されるデータの組（例えば、分配機器１２０における使用者動作によって自動的に生成され、かつ中央サーバコンピュータシステム１０５に送信される）を受信し得る。
【０１５６】
中央サーバコンピュータシステム１０５は、転送元分配機器における患者に割り当てられた１つ以上のＰＳＢに保管される薬物を識別し、ビン構成を識別するデータの組を格納し得る。この識別を実行するために、中央サーバコンピュータシステム１０５は、患者の第１の転送元機器から転送先分配機器へ転送される薬物を自動的に識別し得る（例えば、転送通知に応答して）。ビン構成データは、転送される薬物を保管するビンに限定され得る。また、中央サーバコンピュータシステム１０５は、除去および返却され得る患者の中断薬物も自動的に識別し得る。中断薬物のみを含有するビンは、格納されるビン構成データから除外され得る。
【０１５７】
このビン構成データは、識別された細目を保管する各ＰＳＢの特徴（ビンの種類、ビンの大きさ、ビンの位置、セキュリティ等）を含み得る。ビン構成データは、それぞれのＰＳＢに保管する細目のリスト、保管する各細目の特徴（量、制御レベル、セキュリティ要件、冷蔵要件、保管必要性等）、および任意の他の容量利用データ（例えば、使用する容量の割合）を含み得る。ビン構成データは、データストア１１０または中央分配ユニット１１５における患者または分配機器に関する情報にアクセスするか、あるいはその情報を監査することによって（例えば、進行中または今後の薬物オーダにアクセスすることによって）収集され得る。上述のように、識別およびビン構成は、転送通知の受信によって開始され得るか、または転送通知の受信前または受信後に発生し得る。一実施形態では、ビンの状況の変化（例えば、進行中から暫定的）は、実際の患者転送の前または後に、薬物の識別およびビン構成データの格納を始動し得る。
【０１５８】
次いで、ビン構成は、転送元場所において実行される同調が転送されるように、転送場所に関連付けられる分配機器に適用され得る。例えば、中央サーバコンピュータシステム１０５は、転送元分配機器において患者に割り当てられた特定のＰＳＢの構成に基づいて、第２の分配機器のビン構成を自動的に識別することによって、格納されるビン構成データの組を適用するように構成され得る。転送場所における分配機器のビンの割り当て時に、ビン構成データの全部または一部だけを使用してもよい。例えば、転送元機器における異なるＰＳＢにおける細目が、転送場所における単一のビンに混合されてもよく、一方、異なる制御レベルを有する細目が、別々のビンに置かれてもよい。したがって、元々のＰＳＢ構成は、その構成が同一であり得るか、特定の部分だけ反映され得るか、またはより制限的に使用する側面を有するだけであり得るように、様々な度合いで影響され得る。
【０１５９】
ビン構成データが転送先分配機器１２０に適用される方法を決定する際に多数の要因が存在する。転送先機器１２０は、異なる構成を有し得るため、場合によっては、元々のビン構成の特定の側面のみが転送可能であり得る。転送先機器１２０は、同一の構成の使用を防止または阻止する場所において薬物を既に保管し得る。場合によっては、転送元のビン構成の側面が転送先機器１２０に転送可能になるように、または他の目的のために、ビンをＰＳＢに再配分し得る（例えば、ＩＳＢまたは他のビンの種類から）。
【０１６０】
一実施形態では、転送元機器１２０における特定のビンまたはビンの組に使用される容量の割合が決定され得る。ビン構成データの転送先機器１２０への適用は、容量の特定の割合を超えて使用するビンまたはビンの組のみに限定され得る（例えば、５０％を完全に超えるビンのみを適用し、残りの薬物を統合する）。したがって、容量の閾値割合を超えて調合されるビンのみが第２の分配機器に適用されることを規定する規則が存在し得る。先行する実施形態は、同調が異なる程度で活用され得る例のみを表す。
【０１６１】
転送される薬物のリストおよび構成データは、転送先分配機器１２０に送信され得る（例えば、中央サーバコンピュータシステム１０５によって）。送信された構成データは、薬物のリストからの薬物の各々の保管のための特定のビンを識別し得る。転送先機器１２０は、転送元分配機器の特定の属性を引き継ぐＰＳＢであり得るか、または別の方式（例えば、保管必要性を識別する）で情報を使用する非ＰＳＢキャビネットであり得る。
【０１６２】
また、転送先機器１２０に加えて他の機器にビン構成データを適用してもよいことに留意されたい。例えば、異なる分配機器に保管される薬物を識別する例について考察する。これらの薬物の全部または一部は、転送元機器１２０に保管される薬物に類似し（例えば、その機器において患者のために保管される薬物との閾値相関を超える）、転送元機器１２０からの保管ビン構成データは、異なる分配機器に適用され得る。このように、特定の薬物に実行される同調は、転送先機器１２０以外に活用され得る。
【０１６３】
図２３を参照すると、異なる分配機器が担当する病室間の患者の転送中に薬物を管理するためのシステム４０００の例が図示される。図示するシステム４０００は、２つの分配機器つまり、分配機器−ａ  ４１１０−ａおよび分配機器−ｂ  ４１１０−ｂを含む。各機器は、例えば、図１Ａ、図１Ｂ、または図２の分配機器１２０または２２０であり得るため、医療用品（例えば、調合薬、他の薬物、または医療施設における患者のための他の医療用品）を分配するための多数のビンを備えるキャビネットであり得る。例において、転送される細目が薬物であることが想定される。
【０１６４】
また、システム４０００は、各分配機器４０１０に通信可能に接続される中央サーバコンピュータシステム４００５も含む。中央サーバコンピュータシステム４００５は、図１Ａまたは図２の中央サーバコンピュータシステム１０５であり得る。また、システムは、図１Ａ、図１Ｂ、または図２の中央分配ユニット１１５であり得る薬局分配ユニット４０２０も含む。また、薬局分配ユニット４０２０は、中央サーバコンピュータシステム４００５に通信可能に接続される。システムは、任意の他の数の接続された分配機器（図示せず）を含んでもよいため、図示する実施形態は、例示目的のみのものである。さらに、以下は、例示目的のみのための機能を示し、多くの他のシナリオが可能である。
【０１６５】
分配機器−ａ  ４０１０−ａは、場所−ａ  ４０１５−ａに関連付けられ得る。この関連付けは、分配機器−ａ  ４０１０−ａが、場所−ａ  ４０１５−ａを含む病室の組を担当する看護ステーションにおけるキャビネットであることを表示し得る。本例において、医療施設における患者が、場所−ａ  ４０１５−ａ内の病室に最初に位置し、また、中央サーバコンピュータシステム４００５が、この関連付けを反映し得ることが想定される。しかしながら、他の実施形態では、場所−ａ  ４０１５−ａは、患者のための過去または今後の場所、あるいは別の種類の病室または場所（例えば、手術室、緊急治療室、２つの場所間の移送場所等）であり得る。
【０１６６】
薬物発注が患者のために生成され、薬局分配ユニット４０２０に送られ得る。次いで、発注に特定された薬物は、分配機器−ａ  ４０１０−ａへの送達４０３０のために、薬局分配ユニット４０２０においてカートに配置され得る。次いで、薬物は、分配機器−ａ  ４０１０−ａにおける１つ以上のＰＳＢにおいて患者のために補給および／または再補給される。
【０１６７】
次いで、患者は、場所−ａ  ４０１５−ａから場所−ｂ  ４０１５−ｂへ転送４０２５されることになる。患者の物理的転送および／または特定の薬物の転送前、転送中、または転送後のいずれかに、分配機器−ａ  ４０１０−ａにおける患者のＰＳＢのビン構成データが保管される。ビン構成情報は、転送される薬物を保持し、かつおそらく他の基準（前述のような基準）を満たすＰＳＢに限定され得る。分配機器−ａ  ４０１０−ａにおけるＰＳＢに保管される少なくともいくつかの薬物は、新しい場所に関連付けられる新しい分配機器（より具体的には、場所−ｂ  ４０１５−ｂにおける転送病室に関連付けられる分配機器−ｂ  ４０１０−ｂ）に転送４０３５される。
【０１６８】
次いで、分配機器−ａ  ４０１０−ａからのビン構成データは、分配機器−ｂ  ４０１０−ｂにおいて転送された薬物を保持するためのＰＳＢを割り当てる際に、異なる程度で適用され得る。分配機器−ａ  ４０１０−ａにおいて実行される同調を分析して、分配機器−ｂ  ４０１０−ｂにおいてどの側面を適用すべきかを決定し得る。上述のように、ビン構成は、そのまま反映され得るか、または特定の側面のみが適用され得る。
【０１６９】
格納および分析され得るビン構成データの例について図２４に示す。本実施形態では、ビン構成データは、表４１００として格納される。ビン構成データは、図１Ａまたは図２の中央サーバコンピュータシステム１０５あるいは図１Ａ、図１Ｂ、または図２の分配機器１２０または２２０のコンピュータによって格納され、および／またはそこからまたはそこに送信され得る。
【０１７０】
ビン構成データは、ビンの種類４１０５、ビンの保管空間４１１０、ビンのセキュリティ４１１５、およびキャビネット４１２０におけるビンの位置に関する情報を含む。他の実施形態では、ビンの特徴が増減してもよい。また、ビン構成データは、保管薬物の種類４１２５、量４１３０、およびセキュリティ要件４１３５も含み得る。他の実施形態では、薬物の特徴が増減してもよい。また、容量利用情報４１４０は、ビン毎またはビンの組毎に含まれてもよい。
【０１７１】
次に図２５を参照すると、患者転送を管理する方法４２００に関する一実施形態について図示される。本方法４２００は、例えば、中央サーバコンピュータシステム１０５、分配機器１２０または２２０に関連するコンピュータ、あるいは任意のそれらの組み合わせによって全体的または部分的に実行され得る。また、本実施形態および他の実施形態では、種々のステップを排除してもよく、また順番を変更してもよいことに留意されたい。
【０１７２】
ブロック４２０５において、第１の分配機器に関連付けられる転送元の場所から第２の分配機器に関連付けられる転送場所に患者が転送されることを表示する転送データが受信される。ブロック４２１０において、第１の分配機器において患者に割り当てられたＰＳＢの構成を識別するビン構成データが格納される。ブロック４２１５において、第１の分配機器からの格納されたビン構成データが、第２の分配機器に適用される。
【０１７３】
次に図２６を参照すると、患者の転送先に関連付けられる分配機器においてＰＳＢを割り当てる方法４３００の例が示される。本実施形態では、分配機器は、キャビネットである。本方法４３００は、例えば、中央サーバコンピュータシステム１０５、分配機器１２０または２２０に関連するコンピュータ、あるいは任意のそれらの組み合わせによって全体的または部分的に実行され得る。
【０１７４】
ブロック４３０５において、ＰＳＢを割り当てられた患者が、新しい患者場所の通知前に、新しい場所に物理的に移動する。割り当てられたＰＳＢは、患者の前の場所に関連付けられたキャビネットに存在し得るため、そのキャビネットは、患者が物理的に移動した後であっても、現在進行中のキャビネットのままであり得る。ブロック４３１０において、患者の前の場所に関連付けられたキャビネットにおけるビン構成が受信され得る（例えば、現在進行中のキャビネットから中央サーバコンピュータシステム１０５によって）。このビン構成情報は、転送される細目のリストを含み得る。
【０１７５】
ブロック４３１５において、患者が新しい場所に物理的に移動したという情報が受信される。新しい場所は、受信した情報により識別され得る。ブロック４３２０において、新しい場所に関連付けられる新しいキャビネットのＰＳＢが、受信したビン構成および新しいキャビネットにおける利用可能なビンに少なくとも部分的に基づいて、自動的に割り当てられる。このように、受信したビン構成情報は、新しいキャビネットに適用され得る。ブロック４３２５において、ＰＳＢ割り当てが新しいキャビネットに送信される。
【０１７６】
次に図２７を参照すると、患者の転送先に関連付けられる分配機器においてＰＳＢを割り当てる代替方法４４００の例が示される。本実施形態では、分配機器は、前述のように、キャビネットである。本方法４４００は、例えば、中央サーバコンピュータシステム１０５、分配機器１２０または２２０のコンピュータ、あるいは任意のそれらの組み合わせによって実行され得る。
【０１７７】
ブロック４４０５において、新しい場所への物理的移動前に、ＰＳＢを有する患者が新しい場所に割り当てられたという情報が受信される。割り当てられたＰＳＢは、一時的場所ではなく患者の現在の場所に関連付けられるキャビネットに存在し得る。これは、任意の形式の転送通知であり得る。それによって、新しい場所に関連付けられたキャビネットは、患者が依然として患者の現在の場所から退去しなければならないという事実にもかかわらず、進行中キャビネットになり得る。
【０１７８】
ブロック４４１０において、前に進行中のキャビネット（例えば、患者および患者のＰＳＢが位置する場所に関連付けられる）が、患者が物理的に移動するまで機能性の継続を可能にするように、暫定的キャビネットとして指定される。ブロック４４１５において、患者が新しい場所に物理的に移動したという情報が受信され、暫定的キャビネットからの細目の除去が始動させられる。除去されると、非進行中の細目が識別され（おそらく、中央サーバコンピュータシステム１０５によって）、返却され得る（例えば、薬局または返却ビンに）。転送される細目のリストは、中央サーバコンピュータシステム１０５によって保持され得るか、または暫定的キャビネット（次に非進行中になり得る）から受信し得る。
【０１７９】
ブロック４４２０において、ビン構成情報（転送される細目のリストを含む）が、新しく進行中のキャビネットに送信される（例えば、中央サーバコンピュータシステム１０５によって）。この進行中キャビネットのコンピュータは、ＰＳＢを患者に割り当て、転送先のビン構成に基づいて、細目の配置を自動的に指示し得る。このように、ビン構成情報が、進行中キャビネットにおけるコンピュータによって新しいキャビネットに適用され得る。ブロック４４２５において、新しいＰＳＢ割り当ておよび細目場所が、進行中キャビネットから受信される（例えば、中央サーバコンピュータ１０５によって）。
【０１８０】
次に図２８を参照すると、患者の転送先に関連付けられる分配機器にビン構成データを適用する代替方法４５００の例が示される。本実施形態では、分配機器は、前述のように、キャビネットである。本方法４５００は、例えば、中央サーバコンピュータシステム１０５、分配機器１２０または２２０のコンピュータ、あるいは任意のそれらの組み合わせによって実行され得る。
【０１８１】
ブロック４５０５において、第１の分配機器に関連付けられる転送元の場所から第２の分配機器に関連付けられる転送場所に患者が転送されること（過去または今後）を表示する転送データが受信される。ブロック４５１０において、第１の分配機器から除去される患者のための中断薬物が識別される。これは、中断する薬物を識別するために、進行中の薬物発注を、ＰＳＢに保管する薬物のリストと比較することによって実行され得る。ブロック４５１５において、第１の分配機器から第２の分配機器に転送される患者のための薬物が識別され、薬物は、中断薬物を除外して転送される。
【０１８２】
ブロック４５２０において、転送される薬物を保管する第１の分配機器における患者のＰＳＢの構成を識別するビン構成データが編集され、構成データは、種類、大きさ、位置、およびセキュリティのパラメータを含む。この編集は、転送される薬物およびこのような薬物を保管するＰＳＢの記録（例えば、ビンテーブル２１０−ｂおよび／または細目テーブル２１０−ｃ）を監査することによって実行され得る。ブロック４５２５において、第１の分配機器における患者のＰＳＢ毎に使用する容量の割合が、転送される識別された薬物（またはその容器）の物理的特徴と構成データとを相関させることによって決定される。容量利用は、薬物および／またはその中に保管される容器の物理的寸法を考慮してビンの大きさを分析することによって決定され得る。
【０１８３】
ブロック４５３０において、閾値利用レベルを上回る容量利用を有する第１の分配機器における患者のこれらのビンが識別される（例えば、７０％を上回る使用可能な空間利用）。ブロック４５３５において、閾値利用レベルを上回るビンに一致する第２の分配機器における第１の組の利用可能なＰＳＢが識別される。しかしながら、本実施形態では、閾値利用レベルを上回る第１の分配機器からのビンの全てに一致する適切な大きさ／特徴の利用可能なＰＳＢが十分存在しないことが想定される。
【０１８４】
ゆえに、ブロック４５４０において、第２の分配機器における他の利用可能なビン（例えば、利用可能なＩＳＢまたは現在患者に割り当てられるが使用されていないＰＳＢ）であって、閾値利用レベルを上回る任意の残りの非一致ビンに一致するビンが識別される。ブロック４５４５において、第２の分配機器において他の識別された利用可能なビンは、利用可能なＰＳＢとして再配分される。ブロック４５５０において、第２の機器における第２の組の利用可能なＰＳＢが、閾値利用レベル未満の第１の分配機器におけるビンから、転送された薬物を保管するために識別される。ブロック４５５５において、第１の分配機器からの保管されたビン構成データが、第１および第２の組の識別されたＰＳＢおよびＰＳＢとして患者に再配分されたビンを割り当てることによって、第２の分配機器に適用される。
【０１８５】
（Ｖ．患者別ビンに関連付けられた細目の除去または返却）：他の実施形態では、特定の患者に配分または割り当てられた薬物の除去および返却のための機能性について説明する。ＰＳＢから細目を除去するための種々の手順について記載する。また、ＰＳＢに補給または再補給する準備および用意のある細目の返却のための手順についても説明する（例えば、カートにおける薬物は、ＰＳＢに配置する用意がある）。このような薬物の除去および返却は一掃と呼ばれ得る。
【０１８６】
特定の実施形態では、薬物発注の中断または変更、あるいはＰＳＢにおける余剰薬物が存在することから、細目は、除去されるか、または中央分配ユニット（例えば、薬局）に返却される。また、除去または返却は、転送または退院によっても開始され得る。本明細書に説明する一掃機能性は、図１Ａまたは図２の中央サーバコンピュータシステム１０５、図１Ａ、図１Ｂ、または図２の分配機器１２０または２２０コンピュータ、あるいはそれらの組み合わせによって実行され得る。
【０１８７】
一掃を始動し得る多種多様の動作が存在する。例えば、一掃は、分配機器１２０における患者のＰＳＢに補給または再補給するための使用者の入力要求によって始動され得る。また、新しい進行中の分配機器１２０へ細目を転送するための使用者による試行も、転送元の場所または転送場所における一掃を始動し得る。患者がすぐに退院するという通知または退院時に患者自身の薬物を患者に返却する試行は、一掃を始動し得る。また、薬物発注に対する変更（例えば、薬物の中断または投与量の変更）も一掃を始動し得る。一掃は、定期的な一掃の一部として始動され得る。また、中央サーバコンピュータシステム１０５または分配機器１２０のコンピュータも、多種多様の他の動作が一掃を始動させるように構成され得る。
【０１８８】
一例として、中央サーバコンピュータシステム１０５は、患者のための始動事象の通知として生成されるデータの組（例えば、分配機器１２０における使用者動作によって自動的に生成され、かつ中央サーバコンピュータシステム１０５に送信される）を受信し得る。中央サーバコンピュータシステム１０５は、患者に割り当てられた１つ以上のＰＳＢに保管される薬物（または、その中に補給または再補給される使用者の所有する薬物）を識別し、また、患者に関連付けられる薬物発注を識別し得る。これらの識別は、例えば、データストア１１０または中央分配ユニット１１５において患者または分配機器に関する情報にアクセスすることによって行なわれ得る。識別は、始動データの受信によって開始され得るか、または始動データの受信の前に発生し得る。
【０１８９】
一掃が始動させられると、患者が退院するか否かに関する決定が行なわれ得る。退院する場合、薬物およびＰＳＢに保管される患者の他の細目が識別され、その除去先が特定される（例えば、薬局へ返却、患者へ返却等）。また、患者が医療施設内で転送されるか否かに関する決定も行なわれ得る。転送される場合、進行中の薬物発注を含まないＰＳＢに保管される細目（例えば、中断薬物）が、除去先とともに識別され得る。この識別は、患者のためのＰＳＢに保管される細目のリストを薬物発注と比較することによって実行され得る。転送される残りの細目および現在のビン構成は、格納および／または送信される（例えば、新しい分配機器に送信される）。
【０１９０】
中央サーバコンピュータシステム１０５は、患者が転送または退院されないことを決定し得る（例えば、退院通知が患者に現在関連付けられていないため、患者が医療施設に留まることが決定される）。退院または転送しない場合、一掃は、概して、補給、再補給、または特定の患者、患者の組、またはキャビネットのＰＳＢの定期的な一掃中に始動され得る。いずれの場合においても、中断されたＰＳＢにおける細目および他の余剰細目は、除去先とともに識別され得る。同様に、分配機器１２０に補給または再補給されるカートにおける細目は、中断のため、または余剰があるために識別および再送され得る。中断細目または余剰細目のこのような識別は、患者のためのＰＳＢに保管される細目のリストを薬物発注と比較することによって実行され得る。
【０１９１】
したがって、中央サーバコンピュータシステム１０５は、受信した始動データの組に応答して、薬物発注に従い中断されたＰＳＢに保管する薬物の部分集合を自動的に識別し得る。したがって、分配機器１２０に既に保管されるか、または機器において補給または再補給するように現在設定される中断薬物が識別され得る。同様に、細目が過剰供給される場合（例えば、薬物発注の変更により）、過剰供給の量が識別され、使用者は、細目の一部を除去するように指示され得る。
【０１９２】
また、中央サーバコンピュータシステム１０５は、中断薬物の返却場所も識別し得る（例えば、適切な返却場所に関するデータストア１１０に格納される規則の組にアクセスすることによって）。また、中央サーバコンピュータシステム１０５は、患者に関連付けられた分配機器に、薬物の除去および返却を指示し、かつ返却場所を識別するデータを送信し得る。
【０１９３】
除去および／または返却される細目毎に、中央サーバコンピュータシステム１０５は、細目を自動的に追跡し、情報を収集し、かつその情報をデータストア１１０に格納するように構成され得る。中央サーバコンピュータシステム１０５は、特定の細目が特定の目的地に到達したという情報を受信し得る（例えば、細目のための識別子が、転送場所、返却場所、または他の場所において読み取られ、中央サーバコンピュータシステム１０５に送信され得る）。一掃中に除去された細目は、継続的に追跡され得るか、本情報は、定期的に収集され得る。したがって、その目的地に到達していない除去細目は、リアルタイムまたは定期的に追跡され得る。
【０１９４】
図２９を参照すると、ＰＳＢを含む分配機器において保管される（または、保管する用意のある）薬物を除去および／または返却するためのシステム５０００の例が図示される。図示するシステム５０００は、２つの分配機器、つまり分配機器−ａ  ５０１０−ａおよび分配機器−ｂ  ５０１０−ｂを含む。各機器は、例えば、図１Ａ、図１Ｂ、または図２の分配機器１２０、２２０であり得るため、医療用品（例えば、調合薬、他の薬物、または医療施設における患者のための他の医療用品）を分配するための多数のビンを備えるキャビネットであり得る。例において、除去および／または返却される細目が薬物であることが想定される。
【０１９５】
また、システム５０００は、各分配機器５０１０に通信可能に接続される中央サーバコンピュータシステム５００５も含む。中央サーバコンピュータシステム５００５は、図１Ａ、図１Ｂ、または図２の中央サーバコンピュータシステム１０５であり得る。また、システムは、図１Ａ、図１Ｂ、または図２の中央分配ユニット１１５であり得る薬局分配ユニット５０２０を含み得る。また、薬局分配ユニット５０２０は、中央サーバコンピュータシステム５００５に通信可能に接続される。システムは、任意の他の数の接続された分配機器（図示せず）を含んでもよいため、図示する実施形態は、例示目的のみのものである。さらに、以下は、例示目的のみのために機能性を示し、多くの他のシナリオが可能である。
【０１９６】
分配機器−ａ  ５０１０−ａは、場所−ａ  ５０１５−ａに関連付けられ得る。この関連付けは、分配機器−ａ  ５０１０−ａが、場所−ａ  ５０１５−ａを含む病室の組を担当する看護ステーションにおけるキャビネットであることを表示し得る。本例において、患者が医療施設に到着し、場所−ａ  ５０１５−ａの病室のうちの１つに物理的に移動５０２５し、また、中央サーバコンピュータシステム５００５が、この関連付けを反映し得ることが想定される。しかしながら、他の実施形態では、場所−ａ  ５０１５−ａは、患者のための過去または今後の場所、あるいは別の種類の病室または場所（例えば、手術室、緊急治療室、２つの場所間の移送場所等）であり得る。
【０１９７】
場所−ａ  ５１０５−ａにおける患者の到着後のある時点において、患者自身の薬物が、分配機器−ａ  ５０１０−ａにおけるＰＳＢにおいて患者のために補給され得る。１つまたは複数の薬物発注が患者のために生成され、薬局分配ユニット５０２０に送られ得る。次いで、発注に特定される１つまたは複数の薬物が、分配機器−ａ  ５０１０−ａへの送達５０３０のために、薬局分配ユニット５０２０においてカートに配置され得る。次いで、薬物発注が、薬物の送達途中に変更し、特定の薬物を中断する（例えば、薬物発注が中断され得るか、またはその中の細目の部分集合が中断され得る）。使用者が機器への補給を試行すると、一掃が始動され、送達中の中断薬物が代わりに返却のために識別される（例えば、薬局分配ユニット５０２０に返却５０３０される）。
【０１９８】
患者は場所−ａに留まるが、新しい薬物発注が患者のために生成され、薬局分配ユニット５０２０に送られる。前述のように、用語の「薬物発注」は、１つ以上の薬物に関連付けられ得る発注であり得る。したがって、多数の薬物発注は、機器５０１０における所定の時間における特定の患者について生成され得るか、または多数の薬物を含む単一の薬物発注が分析され得る。したがって、「薬物発注」と言及することは、多数の薬物に関連付けられる発注であってもよく、または各々が１つ以上の薬物に関連付けられる多数の発注であり得ることが想定され得る。新しい薬物発注は、特定の新しい薬物を追加し、他の薬物を中断する。次いで、発注に特定される新しい薬物ならびに再補給される薬物は、分配機器−ａ  ５０１０−ａへの送達５０３０のために薬局分配ユニット５０２０におけるカートに配置され得る。使用者が、機器の再補給を試行すると、前述のように一掃が始動され、中断薬物が、除去および返却のために識別される（例えば、中央分配ユニット５０２０に返却５０３０される）。
【０１９９】
次いで、患者は、場所−ａ  ５０１５−ａから場所−ｂ  ５０１５−ｂに転送５０３５されることになる。次いで、新しい薬物発注によって特定の薬物が中断されることが想定される。場所−ｂ  ５０１５−ｂにおける新しい病室に患者が物理的に転送５０３５される前または後のいずれかに、分配機器−ａ  ５０１０−ａにおけるＰＳＢに保管される薬物は、新しい場所に関連付けられる新しい分配機器（より具体的には、場所−ｂ  ５０１５−ｂにおける転送病室に関連付けられる分配機器−ｂ  ５０１０−ｂ）に転送５０４５される。転送のために分配機器−ａ  ５０１０−ａにおけるＰＳＢに保管される薬物を使用者が物理的に除去する５０４０ことを試行するため、一掃が始動させられる。中断された薬物は、薬局分配ユニット５０２０への返却５０３０のために識別され得る。
【０２００】
前述のように、薬物発注は、薬物の送達途中に変更し、転送途中の特定の薬物を中断する。使用者が分配機器−ｂ  ５０１０−ｂにおける転送された薬物の保管５０５５を試行すると、一掃が始動され、中断薬物が識別および返却される（例えば、中央分配ユニット５０２０へ返却５０３０される）。次いで、残りの転送薬物は、分配機器−ｂ  ５０１０−ｂに保管される。
【０２０１】
転送された薬物が保管されると、分配機器−ｂ  ５０１０−ｂにおいて患者のために定期的な再補給が発生することが想定される。次いで、再補給される薬物は、分配機器−ａ
５０１０−ａへの送達５０６０のために、薬局分配ユニット５０２０においてカートに配置され得る。しかしながら、前述のように、薬物発注は、薬物の送達途中に変更し、再補給するように現在設定される特定の薬物を中断する。使用者が分配機器−ｂ  ５０１０−ｂへの再補給を試行すると、前述のように一掃が始動され、現在再補給中の中断薬物が、中央分配ユニット５０２０への返却５０６０のために識別される。また、分配機器−ｂ
５０１０−ｂに保管される残りの中断薬物が、除去および中央分配ユニット５０２０へ返却のために識別される。
【０２０２】
次いで、患者は、退院することになり、退院通知が中央サーバコンピュータシステム５００５において受信される。退院時に患者に提供される薬物が識別される（例えば、患者自身の薬物、または他の進行中の薬物）。患者が退院５０７０するため、これらの識別された薬物が患者に提供５０６５される。
【０２０３】
図３０を参照すると、患者に割り当てられたＰＳＢから中断薬物を識別する方法５１００に関する一実施形態について図示される。本方法５１００は、例えば、図１Ａまたは図２の中央サーバコンピュータシステム１０５あるいは図１Ａ、図１Ｂ、または図２の分配機器１２０または２２０のコンピュータによって、全体的または部分的に実行され得る。また、本実施形態および他の実施形態では、種々のステップを排除してもよく、また順番を変更してもよいことに留意されたい。
【０２０４】
ブロック５１０５において、始動事象の通知を含む始動データの組が受信される。ブロック５１１０において、患者に割り当てられたＰＳＢに保管される薬物が識別される。ブロック５１１５において、患者に関連付けられる薬物発注が識別される。ブロック５１２０において、始動データの組に応答して、保管された薬物であって、薬物発注に従って中断された薬物うちのこのような薬物が自動的に識別される。
【０２０５】
図３１を参照すると、患者に割り当てられたＰＳＢに補給する細目を返却する方法５２００に関する一実施形態について図示される。本方法５２００は、例えば、中央サーバコンピュータシステム１０５、分配機器１２０または２２０に関連するコンピュータ、あるいは任意のそれらの組み合わせによって、全体的または部分的に実行され得る。
【０２０６】
ブロック５２０５において、始動事象の通知を含む始動データの組が受信される。ブロック５２１０において、患者に割り当てられたＰＳＢに補給または再補給される薬物が識別される。ブロック５２１５において、患者に関連付けられる薬物発注が識別される。ブロック５２２０において、始動データの組に応答して、補給または再補給される薬物であって、薬物発注に従って中断された薬物が自動的に識別される。
【０２０７】
図３２を参照すると、ＰＳＢを備える分配機器の一掃を管理する方法５３００に関する一実施形態について図示される。本方法５３００は、例えば、中央サーバコンピュータシステム１０５、分配機器１２０または２２０に関連するコンピュータ、あるいは任意のそれらの組み合わせによって、全体的または部分的に実行され得る。
【０２０８】
ブロック５３０５において、特定の患者のＰＳＢの一掃を始動させるデータの組が受信される。ブロック５３１０において、患者が退院するか否かに関する決定が行なわれる。退院する場合、ブロック５３１５において、患者自身の薬物（例えば、患者により医療施設に持ち込まれた薬物、および進行中もしくは今後の薬物発注に基づく薬物）が、患者への返却のために識別され得る。ブロック５３２０において、患者別ビン（および、おそらくＰＳＢに補給または再補給された他の細目）に残る細目が、その目的地とともに識別される。
【０２０９】
患者が退院しない場合、分配機器に関連付けられる病室または範囲から患者が転送されることになる（または、転送された）か否かに関する決定が、ブロック５３２５において行なわれる。転送される場合、ブロック５３３０において、その除去先とともに、中断薬物（例えば、ＰＳＢに位置する薬物またはＰＳＢに補給もしくは再補給される薬物）が識別される。ブロック５３３５において、残りの細目およびその現在のビン構成が識別および保管され得る。ブロック５３４０において、残りの細目の転送が指示される（および、おそらく分配機器に送信される）。
【０２１０】
患者が退院または転送されない場合、ＰＳＢにおいて患者のために保管される（または、その中に補給または再補給される）任意の薬物が中断されるか否かに関する決定が、ブロック５３４５において行なわれる。中断される場合、ブロック５３５０において、その除去先とともに、非進行中の細目が識別される。ブロック５３５５において、任意の除去細目が、継続的または定期的に追跡される。
【０２１１】
図３３を参照すると、ＰＳＢを備える分配機器の一掃を管理する代替方法５４００について図示される。本方法５４００は、例えば、中央サーバコンピュータシステム１０５、分配機器１２０または２２０に関連するコンピュータ、あるいは任意のそれらの組み合わせによって、全体的または部分的に実行され得る。
【０２１２】
ブロック５４０５において、使用者が、補給機器に細目を補給、再補給または補給機器から除去することを試行し得るか、薬物を分配機器に転入または転出し得るか、または患者を退院させ得る。一実施形態では、この動作によって、始動事象の通知を提供する始動データの組が送信され得る。ブロック５４１０において、特定の患者のＰＳＢのための一掃を開始する始動データの組が受信される。ブロック５４１５において、患者が退院するか否かに関する決定が行なわれる。退院する場合、ブロック５４２０において、薬物（例えば、ＰＯＭまたは患者に提供される医療施設から補給される他の薬物）が、患者への返却のために識別され得る。ブロック５４２５において、患者別ビンに残る細目（および、おそらくＰＳＢに補給または再補給された他の細目）が、その目的地ともに識別される。
【０２１３】
患者が退院しない場合、分配機器に関連付けられる病室または範囲から患者が転送されることになる（または、転送された）か否かに関する決定が、ブロック５４３０において行なわれる。転送される場合、ブロック５４３５において、ＰＳＢに位置する患者のための中断薬物が、除去先とともに識別される。ブロック５４４０において、残りの進行中の細目およびその現在のビン構成が識別および格納され得る。ブロック５４４５において、残りの細目の転送が指示される（および、おそらく分配機器に送信される）。次いで、使用者は、新しい病室または範囲に関連付けられる新しい分配機器に、転送された薬物を補給することを試行し得る。ブロック５４５０において、転送された薬物のうちの中断薬物が、その目的地とともに識別される。したがって、薬物発注が転送中に修正される場合、中断あるいは非進行中または過剰供給の細目が、補給される前に識別および返却され得る（例えば、薬局に）。ブロック５４５５において、残りの転送細目が、新しい分配機器に補給され得る。
【０２１４】
患者が退院または転送されない場合、ＰＳＢにおいて患者のために保管される（または、その中に補給または再補給される）任意の薬物が中断されるか否かに関する決定が、ブロック５４６０において行なわれる。中断される場合、ブロック５４６５において、その除去先とともに、中断細目が識別される。ブロック５４７０において、任意の除去または返却細目が、継続的または定期的に追跡される。
【０２１５】
（ＶＩ．ＰＯＭの取り扱い）：別の組の実施形態では、患者により医療施設に持ち込まれる薬物（しばしば、患者自身の薬物、つまり「ＰＯＭ（ｐａｔｉｅｎｔ’ｓ  ｏｗｎ  ｍｅｄｉｃａｔｉｏｎ）」）のための種々の手順について説明する。一実施形態では、これらは、患者により持ち込まれ、かつ入院中に処方者によって投与が認可される薬物である。これらの手順は、図１Ａまたは図２の中央サーバコンピュータシステム１０５、図１Ａ、図１Ｂ、または図２の分配機器１２０または２２０のコンピュータ、あるいは任意のそれらの組み合わせによって実行され得る。
【０２１６】
一実施形態では、薬物は、患者によって、患者のために、または患者の代わりに医療施設に持ち込まれる。これらの薬物は、使用者による分配機器における薬物の保管の試行によって、または受け入れ時に患者から薬物を収集する際に他の医療施設の職員によって、ＰＯＭとして指定され得る。一例として、図１Ａを考察すると、分配機器１２０における使用者または中央分配ユニット１１５における薬剤師が、薬物をシステム１００に入力する際に指定を入力し得ることに留意されたい。薬物の種類のための指定および識別子を含むデータの組が、入力機器から中央サーバコンピュータシステム１０５へ送信され得る。以下により詳細に記載するように、新規の保管および除去手順が、ＰＳＢにおいてＰＯＭ指定薬物のために使用され得る。
【０２１７】
上述のように、患者は、おそらく患者の病室の場所に基づいて、または他の要因に基づいて、分配機器１２０に関連付けられ得る。分配機器１２０は、ＰＳＢおよび／またはＩＳＢとして配分される多数のビンを含み得る。関連付けらる患者の識別子、ＰＳＢ、ならびに薬物の量および種類の情報とともに、ＰＯＭ指定が、中央サーバコンピュータシステム１０５によってデータストア１１０に格納され得る。また、情報は、分配機器１２０のコンピュータに格納されてもよい。中央サーバコンピュータシステム１０５は、分配機器１２０に保管される薬物の使用を監視、追跡、および指示し得る。このような機能の一部または全部を、分配機器１２０のコンピュータにオフロードしてもよいことに留意されたい。
【０２１８】
細目がＰＯＭ指定を有する場合、中央サーバコンピュータシステム１０５は、再補給工程から細目を除外するように構成され得る。例えば、一実施形態では、ＰＯＭ指定を有する細目は、使い果たすまで再補給されない。このような場合、再補給命令（例えば、中央サーバコンピュータシステム１０５により生成される）は、医療用品を使い果たす場合にのみ実行され、使い果たす際に、細目のＰＯＭ指定が削除される。したがって、細目の再補給は、手元の量に関する情報がゼロに同等になるまで中断または禁止され得る。ＰＯＭ指定を有する薬物を使い果たすと、通常の再補給が発生し得る。
【０２１９】
ゆえに、システム１００は、ＰＳＢにおける薬物および他の医療用品とは別に、ＰＯＭ指定を有する細目を管理および保持するように構成され得る。指定された薬物が、医療施設から補給された薬物と同一のＰＳＢに保管されることを防止するための機能性が存在し得る。ＰＯＭ指定細目を保持するＰＳＢのためのビンは、他の細目を保持するビンとは区別され得る。
【０２２０】
別の実施形態では、ＰＯＭ指定を有する細目は、代わりに、閾値未満に低下する場合に再補給され得る。この閾値レベルは、医療施設から補給される薬物に適用されるものとは異なるレベルであり得るが、必須ではない。例えば、再補給の規則では、ＰＯＭ指定を有する所定の薬物では、２日分未満に低下する場合に再補給が発生し、一方、所定の薬物では、３日分未満に低下する場合に発生することが指示され得る。再補給規則が異なってもよいが、医療施設から補給される薬物と、指定された薬物との両方に関する他の規則が同一であってもよい。例えば、アレルギー規則、禁忌規則、保管セキュリティ要件規則等が同一であってもよい。
【０２２１】
したがって、上記を考慮して、同一（または、類似の）種類の薬物が、同時に、２つの異なるＰＳＢにおいて患者のために保管されてもよく、一方の薬物はＰＯＭ指定を含み、別の薬物はＰＯＭ指定を含まない。中央サーバコンピュータシステム１０５または分配機器１２０のコンピュータは、同一または類似の再補給細目を使用する前に、ＰＯＭ指定される細目の全部の使用を指示するように構成され得る（例えば、ＰＯＭ指定される細目を使い果たすまで再補給細目の使用を中断する）。
【０２２２】
ＰＯＭ細目を含む患者が転送される場合、ＰＯＭ指定は、患者の転送中および転送後に保持され得る。一実施形態では、医療施設における第１の場所から第２の場所へ患者が転送するという通知が受信され得る。通知に応答して、第１の場所に関連付けられる第１の分配機器から第２の場所に関連付けられる第２の分配機器への指定された薬物の移動を指示するデータの組が送信され得る（例えば、中央サーバコンピュータシステムから）。指定は、移動中に自動的に保持され得る。したがって、ＰＯＭ指定は、移動の際、新しい分配機器および新しく割り当てられたＰＳＢに転送され得る。ＰＯＭ指定は、患者転送の前、後、または重複時間に薬物転送が発生するか否かにかかわらず保持され得る。
【０２２３】
患者が退院することになると、中央サーバコンピュータシステム１０５は、患者が退院するという通知を受信し得る。この通知は、分配機器１２０または他の接続機器（例えば、中央サーバコンピュータシステム１０５と通信する機器）から送信されるデータの組であってもよく、このデータの組は、患者が退院することを表示し、かつおそらく時間または時間帯を特定し得る。患者が退院する場合、中央サーバコンピュータシステム１０５は、患者のためにＰＳＢに保管されるＰＯＭ指定を含む任意の細目を自動的に識別するように構成され得るため、使用者は、ＰＯＭ細目を患者に返却し得る。一実施形態では、中央サーバコンピュータシステム１０５は、指定された薬物が進行中または今後の薬物発注に基づくか否かについて決定し、このような発注に基づいて残るこれらの薬物の返却を指示だけし得る。指定された薬物（および割り当てられたＰＳＢ）が、患者への返却または保持のために識別されると、指定された薬物の返却または保持を指示するデータの組が送信され得る（例えば、分配機器１２０のコンピュータへ）。
【０２２４】
図３４を参照すると、ＰＳＢを含む分配機器に保管されるＰＯＭを指定するためのシステム６０００の例が図示される。図示するシステム６０００は、２つの分配機器、つまり分配機器−ａ  ６０１０−ａおよび分配機器−ｂ  ６０１０−ｂを含む。各機器は、例えば、図１Ａ、図１Ｂ、または図２の分配機器１２０または２２０であり得るため、医療用品（例えば、調合薬、他の薬物、または医療施設における患者のための他の医療用品）を分配するための多数のビンを備えるキャビネットであり得る。ビンは、ＰＳＢまたはＩＳＢとして配分または割り当てされ得るか、または他の指定を有し得る。本例において、細目が薬物であることが想定される。
【０２２５】
また、システム６０００は、各分配機器６０１０に通信可能に接続される中央サーバコンピュータシステム６００５も含む。中央サーバコンピュータシステム６００５は、図１Ａまたは図２の中央サーバコンピュータシステム１０５であり得る。システムは、任意の他の数の接続された分配機器（図示せず）を含んでもよいため、図示する実施形態は、例示目的のみのものである。さらに、以下は、例示目的のみのための機能性を示し、多くの他の構成が可能である。
【０２２６】
分配機器−ａ  ６０１０−ａは、場所−ａ  ６０１５−ａに関連付けられ得る。この関連付けは、分配機器−ａ  ６０１０−ａが、場所−ａ  ６０１５−ａを含む病室の組を担当する看護ステーションにおけるキャビネットであることを表示し得る。本例において、患者が医療施設に到着し、場所−ａ  ６０１５−ａの病室のうちの１つに物理的に移動し６０２０、また、中央サーバコンピュータシステム６００５が、この関連付けを反映し得ることが想定される。
【０２２７】
場所−ａ  ６０１５−ａにおける患者の到着前または後のある時点において、ＰＯＭが、分配機器−ａ  ６０１０−ａにおけるＰＳＢにおいて患者のために保管６０２５され得る。ＰＯＭが保管されるＰＳＢは、医療施設から補給される薬物を保管する患者のためのＰＳＢとは別々に設定され得る。別々のＰＳＢに保管されるこのような薬物を維持し、ＰＯＭおよび医療施設から補給される薬物が同一のビンに保管されることを防止する方針が存在し得る。患者の処方は、ＰＯＭを構成する薬物の種類を含んでもよく、ＰＯＭは、医療施設において投与されてもよい。一実施形態では、患者のためのこの種類の薬物は、ＰＯＭを使い果たすまで再補給されず、他の実施形態では、ＰＯＭの再補給レベルは、医療施設から補給される同一の薬物の再補給レベルとは異なり得る。特定の再補給レベルは、薬物の種類、使用率、再補給に必要な時間、および他の関連要因に依存し得る。
【０２２８】
次いで、患者は、場所−ａ  ６０１５−ａから場所−ｂ  ６０１５−ｂへ転送６０３０されることになり得る。場所−ｂ  ６０１５−ｂにおける新しい病室への患者の物理的転送６０３０前または転送後のいずれかに、分配機器−ａ  ６０１０−ａにおけるＰＳＢに保管されるＰＯＭは、新しい場所に関連付けられる新しい分配機器（より具体的には、場所−ｂ  ６０１５−ｂにおける転送病室に関連付けられる分配機器−ｂ  ６０１０−ｂ）に転送６０３５される。転送されたＰＯＭは、医療施設から補給された薬物とともに転送され得る。ＰＯＭ毎の指定は、転送中に保持され得るか、および／または転送後に再適用され得る。
【０２２９】
使用者が、分配機器−ｂ  ６０１０−ｂにおいて転送された薬物を保管すると、中央サーバコンピュータシステム６００５は、前述のように、医療施設から補給された薬物とは別々に（例えば、別々のビンにおいて）ＰＯＭを保管することを指示し得る。次いで、転送された薬物は、分配機器−ｂ  ６０１０−ｂに保管される。前述のように、再補給は、転送された薬物（ＰＯＭを含む）のために発生し得るが、医療施設の再補給方針および転送されるＰＯＭの種類に応じて異なり得る。
【０２３０】
次いで、患者は、退院することになり、退院通知が中央サーバコンピュータシステム６００５において受信される。退院時に患者に提供される薬物が識別され（例えば、ＰＯＭ、または他の進行中の薬物）、ＰＯＭが、識別に基づいて返却のために識別され得る。これらの薬物を識別するデータの組が、分配機器６０１０−ｂに送信され得る。患者の退院６０４５前に、患これらの識別された薬物を患者に提供６０４０する。
【０２３１】
図３５を参照すると、患者自身の薬物として薬物を指定する方法６１００に関する一実施形態について図示される。本方法６１００は、例えば、図１Ａまたは図２の中央サーバコンピュータシステム１０５によって、全体的または部分的に実行され得る。代替として、方法６１００は、図１Ａ、図１Ｂ、または図２の分配機器１２０または２２０に関連するコンピュータによって、全体的または部分的に実行され得る。また、本実施形態および他の実施形態では、種々のステップを排除してもよく、また順番を変更してもよいことに留意されたい。
【０２３２】
ブロック６１０５において、患者により医療施設に持ち込まれた薬物を識別するデータの組が受信される。ブロック６１１０において、薬物が、患者自身の薬物として指定される。ブロック６１１５において、薬物の指定は、薬物が医療施設における分配機器間で転送される際に自動的に保持される。
【０２３３】
図３６を参照すると、患者に返却される薬物を指定する方法６２００に関する例について示される。一例として、本方法６２００は、例えば、中央サーバコンピュータシステム１０５、分配機器１２０または２２０に関連するコンピュータ、あるいは任意のそれらの組み合わせによって、全体的または部分的に実行され得る。
【０２３４】
ブロック６２０５において、患者により医療施設に持ち込まれた薬物を識別するデータの組が受信される。ブロック６２１０において、薬物が、ＰＯＭとして指定される。ブロック６２１５において、患者が医療施設から退院する際に患者に返却される細目として薬物が自動的に識別され、識別は、指定に少なくとも部分的に基づく。
【０２３５】
図３７を参照すると、ＰＳＢの割り当てにおける特定の薬物を区別する方法６３００に関する例について示される。本方法６３００は、例えば、中央サーバコンピュータシステム１０５、分配機器１２０または２２０に関連するコンピュータ、あるいは任意のそれらの組み合わせによって、全体的または部分的に実行され得る。
【０２３６】
他の実施形態のように、ブロック６３０５において、患者により医療施設に持ち込まれた薬物を識別するデータの組が受信される。ブロック６３１０において、薬物が、患者のためのＰＯＭとして指定される。ブロック６３１５において、患者が、分配機器に関連付けられる（例えば、病室と分配機器との間の関連付けに基づいて）。分配機器は、医療施設から補給された薬物のための患者の排他的使用のために割り当てられた第１の組の１つ以上のＰＳＢを含む。ブロック６３２０において、分配機器における第２の組の１つ以上のＰＳＢは、ＰＯＭ指定薬物の保管のために患者に割り当てられ、第２の組は、第１の組とは異なる。したがって、医療施設から補給される標準の細目とは異なるＰＳＢに、ＰＯＭ指定された細目を割り当てる規則が存在し得る。規則は、自動化され得るか、または使用者もしくは医療施設によって実行され得る。
【０２３７】
図３８を参照すると、患者自身の薬物として薬物を指定する方法６４００に関する代替実施形態について示される。他の実施形態のように、本方法６４００は、例えば、中央サーバコンピュータシステム１０５、分配機器１２０または２２０に関連するコンピュータ、あるいは任意のそれらの組み合わせによって、全体的または部分的に実行され得る。
【０２３８】
ブロック６４０５において、患者が、第１の分配機器に関連付けられる。ブロック６４１０において、患者により医療施設に持ち込まれた薬物を識別するデータの組が受信される。ブロック６４１５において、薬物が、患者のためのＰＯＭとして指定される。ブロック６４２０において、分配機器における第１の組の１つ以上のＰＳＢが、ＰＯＭ指定薬物のための患者に割り当てられる。ブロック６４２５において、第２の組の１つ以上のＰＳＢが、医療施設から補給された薬物のための患者の排他的使用に割り当てられる。
【０２３９】
ブロック６４３０において、ＰＯＭ指定薬物とは異なる組の再補給規則が、医療施設からの薬物に適用される。ブロック６４３５において、特定の規則が、医療施設から補給された薬物と、ＰＯＭ指定薬物との両方に適用され、同一の組の規則は、アレルギー規則、禁忌規則、保管セキュリティ要件規則等を含む。
【０２４０】
ブロック６４４０において、医療施設における第１の場所から第２の場所に患者が転送するという通知が受信される。ブロック６４４５において、通知に応答して、第１の分配機器から第２の場所に関連付けられる第２の分配機器へのＰＯＭ指定薬物の移動を指示するデータが送信される。ブロック６４５０において、薬物のＰＯＭ指定が、移動中、自動的に保持される。ブロック６４５５において、ＰＯＭ指定薬物が、患者が医療施設から退院する際に患者に返却される細目として自動的に識別され、識別は、指定および薬物が進行中の発注に基づき残るという決定に少なくとも部分的に基づく。
【０２４１】
図３９を参照すると、患者自身の薬物として薬物を指定する方法６５００に関するさらに別の代替例について示される。他の実施形態のように、本方法６５００は、例えば、中央サーバコンピュータシステム１０５、分配機器１２０または２２０に関連するコンピュータ、あるいは任意のそれらの組み合わせによって、全体的または部分的に実行され得る。
【０２４２】
ブロック６５０５において、患者により医療施設に持ち込まれた第１および第２の薬物を識別するデータの組が受信される。ブロック６５１０において、第１および第２の薬物の各々が、ＰＯＭとして指定される。ブロック６５１５において、分配機器における第１の組の１つ以上のＰＳＢが、ＰＯＭ指定薬物のために患者に割り当てられる。ブロック６５２０において、第２の組の１つ以上のＰＳＢが、医療施設から補給された薬物の排他的使用のために患者に割り当てられる。規則により、医療施設から補給された薬物が、指定薬物に割り当てられたビンに補給されることが防止される。
【０２４３】
ブロック６５２５において、第１の薬物は、細目を使い果たすまで再補給されることが防止される。ブロック６５３０において、第１の薬物の再補給は、使い果たしたという決定に基づいて開始される。ブロック６５３５において、指定が、再補給された第１の薬物から除去される。
【０２４４】
他の再補給規則が、第２の薬物に適用される（例えば、薬物の種類、使用の規則性等に基づいて）。ブロック６５４０において、第２の薬物の再補給は、第２の薬物が使い果たされていない時に開始され、医療施設から補給された薬物のものとは異なる再補給規則（例えば、再補給前に薬物をさらも使い切るまで待機する）が、第２の薬物に適用される。ブロック６５４５において、医療施設から再補給された第２の薬物の使用（例えば、使用者クセスまたは患者使用）は、ＰＯＭ指定補給を使い果たすまで中断される。
【０２４５】
（ＶＩＩ．多数回使用細目の取り扱い）：別の組の実施形態では、多数回使用細目の取り扱いのための種々の手順について説明する。多数回使用細目は、典型的には、同一患者に対する複数回投与のために構成される薬物の分配器であり、薬物と、患者のための薬物を分配するように構成される容器との両方を含み得る。例として、塗り薬、点眼薬、および吸入器が挙げられ得る。
【０２４６】
一実施形態では、未使用の多数回使用細目が、最初に、分配機器における多数の患者に利用可能であるＩＳＢに保管される。前に未使用の多数回使用細目を患者が最初に使用した通知を受信すると、使用済みの多数回使用細目の返却が、分配機器における患者のためのＰＳＢに指示される。一旦使用すると、多数回使用細目は、患者の排他的使用のためにわ割り当てられ、適宜管理される。いくつかの実施形態では、システムは、多数回使用細目を、複数の患者で使用または共有する多数回投与量を含む容器または分配器と区別する。多数回使用細目のために説明する以下の手順は、図１Ａまたは図２の中央サーバコンピュータシステム１０５、図１Ａ、図１Ｂ、または図２の分配機器１２０または２２０に関連するコンピュータ、あるいは任意のそれらの組み合わせによって、全体的または部分的に実行され得る。
【０２４７】
一実施形態では、多数回使用細目（例えば、塗り薬のチューブ、点眼薬、または吸入器等の薬物の分配器）が識別される。薬物の分配器（または、例えば、データストア１１０において格納される分配器の識別子）が、細目が多数回使用細目であることを表示する指定に関連付けられる。多数回使用細目は、分配機器における細目の保管を使用者が試行することによって（例えば、分配機器１２０または２２０のコンピュータにおける入力を介する指定を表示することによって）、または医療施設において薬物を保管または受領する際に他の医療施設職員によって、上述のように指定され得る。一例として、図１Ａを考察すると、分配機器１２０における使用者または中央分配ユニット１１５における薬剤師が、薬物をシステム１００に入力する際に指定を入力し得ることに留意されたい。
【０２４８】
薬物の種類のための指定および識別子を含むデータの組が、入力機器（例えば、分配機器１２０のコンピュータ）から中央サーバコンピュータシステム１０５へ処理および送信され、データストア１１０に格納され得る。代替として、細目は、多数回使用細目として自動的に認識され（例えば、中央サーバコンピュータシステム１０５において受信した細目の識別子の検索を介して）、指定は、自動的に行なわれ得る。したがって、未使用の多数回使用細目は、任意の数のソースから受信する情報によって、識別および指定され得る。
【０２４９】
上述のように、中央サーバコンピュータシステム１０５は、多数の分配機器１２０と通信し得る。患者は、他の要因の中でもおそらく患者の病室または範囲の場所に基づき、分配機器１２０に関連付けられ得る。分配機器１２０は、ＰＳＢおよびＩＳＢとして配分される多数のビンを含み得る。関連付けらる患者の識別子、ＰＳＢ識別子、ならびに薬物の量および種類の情報とともに、多数回使用指定が、中央サーバコンピュータシステム１０５によってデータストア１１０に格納され得る。中央サーバコンピュータシステム１０５は、分配機器１２０に保管される薬物の使用を監視、追跡、および指示し得る。このような機能の一部または全部を、分配機器１２０のコンピュータにオフロードしてもよいことに留意されたい。
【０２５０】
未使用の細目が多数回使用指定を有する場合、未使用の細目は、ＩＳＢに補給され得るため、分配機器１２０に関連付けられるいずれの患者にも利用可能であり得る。例えば、点眼薬の未使用の分配器は、機器に関連付けられるいずれの患者の使用のためにＩＳＢに保管され得る。中央サーバコンピュータシステム１０５は、未使用の細目が分配機器１２０において保管されることを表示するデータを受信し、細目の保管のためのＩＳＢを識別し得る。中央サーバコンピュータシステム１０５は、識別されたＩＳＢにおける未使用の細目の保管を指示する第１の組の命令データを送信し得るか、またはＩＳＢは、分配機器１２０のコンピュータによって識別され得る。代替として、多数回使用細目は、中央分配ユニット１１５から直接的または間接的に提供され、最初にＩＳＢに配置され得ない。
【０２５１】
ゆえに、使用者は、薬物を入手するための要求に応答して、中央サーバコンピュータシステム１０５または分配機器１２０のコンピュータによってＩＳＢに指示され得る。使用者（例えば、看護師または患者自身）は、ＩＳＢに保管される前に未使用の多数回使用細目を使用し得る。使用に関する情報は、分配機器１２０のコンピュータまたは他の入力機器に入力され、また、それによって処理され得る。次いで、患者による初回使用を表示するメッセージが送信され得る（例えば、分配機器１２０のコンピュータから）。分配機器１２０における患者に割り当てられたＰＳＢにおける使用済みの多数回使用細目の保管を指示する第２の組の命令データが生成され、おそらく送信され得る。したがって、受信した使用入力またはメッセージに応答して、多数回使用細目は、排他的使用のために最初の患者に割り当てられ得る。細目が保管されるＰＳＢが、初回使用を表示するメッセージの受信後に識別され、この識別は、分配機器１２０における使用者によって受信され得る。使用済みの多数回使用細目の保管のためのＰＳＢは、医療施設から保管された単回使用の薬物とは異なり、多数回使用細目を一緒に保管することを防止する論理が存在し得る。
【０２５２】
したがって、最初の患者に投与するための薬物を入手するための要求を含むデータの組が受信され得る（例えば、分配機器１２０において、または分配機器１２０における使用者から中央サーバコンピュータシステム１０５において）。要求に応答して、中央サーバコンピュータシステム１０５または分配機器１２０のコンピュータは、次いで、多数回使用細目の場所を自動的に識別し得る。例えば、データストア１１０または他のメモリは、分配機器１２０における薬物の使用済み分配器に患者が関連付けられるか否かを決定するために問い合わせを受け得る（例えば、患者が既に薬物を使用した場合）。患者に割り当てられた薬物の使用済み分配器が利用不可能である場合（例えば、使い果たした）、薬物の未使用分配器を保管するＩＳＢが自動的に識別され得る。
【０２５３】
多数回使用細目の使用後および／または薬物を入手するための要求に応答して、患者のためのＰＳＢに保管される薬物の分配器を使い果たしたか否かに関する決定が行なわれ得る。この決定は、使用者に対する問い合わせおよび問い合わせに対して結果として生じる応答により実行され得る。追加の薬物が患者の分配器に残っていることが決定される場合、薬物は、ＰＳＢにおける再補給から除外され得る。追加の薬物が患者の分配器に残っていないことが決定される場合、薬物の追加の未使用分配器を含むＩＳＢが識別され得る。
【０２５４】
多数回使用細目に指定される薬物の使用済み分配器毎に、薬物の使用が追跡され得る。したがって、使用は、１つ以上の分配機器における１つ以上の指定された多数回使用細目について、１人以上の患者のために追跡され得る。このように、特定の再補給閾値は、必要に応じて、各種類の未使用薬物がＩＳＢに十分格納されるこように設定され得る。この追跡および事前再補給は、多数の病室を担当する分配機器、より定期的に使用する薬物、および／または所定の組の患者により決定的な重要性を有する薬物により適合し得る。これらの要因の各々を使用して、閾値再補給レベルを制御し得る。
【０２５５】
閾値再補給レベルは、個人またはグループの決定に基づいて修正され得る。例えば、患者の健康のために決定的な重要性を有すると見なされるが、他の患者があまり頻繁に使用しない多数回使用細目を使用する患者について考察する。患者による細目の使用は、監視され、細目の使い切り時に追加の補給が利用可能であることを確実にする残りの量が閾値レベル（例えば、２５％残量）未満に低下する場合に、細目がＩＳＢに再補給され得る。これを、他の患者が極めて定期的に使用する多数回使用細目を各々が使用する患者と比較する。患者の各々による細目の使用は監視され、グループ閾値特徴に基づいて、細目がＩＳＢに再補給され得る。例えば、異なる時間に細目を使い果たす３人の患者が居ることが想定される。３つの異なる時間に再補給する代わりに、３つの細目（おそらく、異なる閾値を有する）の単一の再補給が存在し得る。
【０２５６】
多数回使用細目の指定は、患者が医療施設内で転送される場合に薬物の分配器に保持され、さらに、薬物を使い果たすまで保持され得る。また、患者が医療施設から退院することを表示する（おそらく、退院の時間または時間帯を表示する）データの組も受信され得る（例えば、中央サーバコンピュータシステム１０５または分配機器１２０のコンピュータにおいて）。薬物が進行中の（または、今後の）薬物発注に基づいて残るか否かに関する決定が行なわれ得る。決定に基づいて、使用者（例えば、看護師または他の退院担当職員）は、退院時に、薬物の使用済み分配器を患者に提供するように指示され得る。
【０２５７】
次に図４０を参照すると、多数回使用細目の保管を管理する方法７０００に関する一実施形態が図示される。本方法７０００は、例えば、図１Ａまたは図２の中央サーバコンピュータシステム１０５によって全体的または部分的に実行され得る。代替として、方法７０００は、図１Ａ、図１Ｂ、または図２の分配機器１２０または２２０に関連するコンピュータによって全体的または部分的に実行され得る。また、本実施形態および他の実施形態では、種々のステップを排除してもよく、また順番を変更してもよいことに留意されたい。
【０２５８】
ブロック７００５において、多数回使用薬物として指定され、かつ分配機器において多数の患者に利用可能である細目別ビンにおいて保管される薬物の未使用分配器が識別される。ブロック７０１０において、薬物の前に未使用の分配器の患者による最初の使用に関する通知が受信される。ブロック７０１５において、使用済みの薬物の分配器の返却が、分配機器におけるＰＳＢに指示され、分配器は、患者の排他的使用のために割り当てられる。
【０２５９】
図４１を参照すると、多数回使用細目を指定および保管する方法７１００に関する例が図示される。本方法７１００は、例えば、中央サーバコンピュータシステム１０５、分配機器１２０または２２０に関連するコンピュータ、あるいは任意のそれらの組み合わせによって全体的または部分的に実行され得る。
【０２６０】
ブロック７１０５において、同一患者に対する複数回投与のための薬物の未使用分配器を識別するデータの組が受信される。ブロック７１１０において、薬物の分配器が、薬物の分配器が多数回使用細目であることを表示する指定に関連付けられる。ブロック７１１５において、分配機器のＩＳＢにおける薬物の分配器の保管を指示する第１の組の命令データが送信される。ブロック７１２０において、患者による薬物の分配器の使用を表示する使用データの組が受信される。ブロック７１２５において、受信された使用データの組に応答して、分配機器において最初の患者に割り当てられるＰＳＢにおける薬物の使用済み分配器の保管を指示する第２の組の命令データが送信される。
【０２６１】
図４２を参照すると、多数回使用細目を区別および管理する方法７２００に関する例が示される。本方法７２００は、例えば、中央サーバコンピュータシステム１０５、分配機器１２０または２２０に関連するコンピュータ、あるいは任意のそれらの組み合わせによって全体的または部分的に実行され得る。
【０２６２】
ブロック７２０５において、薬物の分配器は、多数回使用細目として指定される。この指定は、使用者により入力され得るか、または細目の特徴の検索に基づいて自動的に行なわれ得る。ブロック７２１０において、ＩＳＢに保管される多数回使用細目が患者のために使用されるという情報が受信される。この使用情報は、明示的であり得るか、または使用者（例えば、看護師）による分配機器へのデータ入力から推測され得る。次いで、多数回使用細目が、ブロック７２１５において患者に関連付けられる。
【０２６３】
ブロック７２２０において、使用者（例えば、前に未使用の多数回細目を患者に投与した看護婦）は、多数回使用細目の保管のために自動的にＰＳＢに指示され、ＰＳＢは、患者に割り当てられる。その患者のためのその薬物に関する後続の要求のために、使用者は、ブロック７２２５においてＰＳＢに指示される。
【０２６４】
２回目の使用の後、ブロック７２３０において、薬物を使い果たしたか否かに関する決定が行なわれ得る。薬物を使い果たしていないことが決定されると、工程は、ブロック７２２０に戻り、本ブロックにおいて、使用者は、薬物を返却するように指示される。薬物に関する後続の要求および返却は、薬物を使い果たすという決定が行なわれるまでＰＳＢに指示される。薬物を使い果たしたという決定が行なわれると、使用者は、ブロック７２３５において、空の分配器を破棄するように指示され得る。次いで、患者のための薬物に関する後続の要求は、ブロック７２４０において、薬物の未使用分配器を保管するＩＳＢに自動的に指示され、工程は、ブロック７２１０に戻り得る。
【０２６５】
次に図４３を参照すると、多数回使用指定を有する薬物を管理する方法７３００に関する代替実施形態が示される。他の実施形態のように、本方法７３００は、中央サーバコンピュータシステム１０５、分配機器１２０または２２０のコンピュータ、あるいは任意のそれらの組み合わせによって実行され得る。ステップの順番を変更してもよく、また特定の実施形態では、ステップを削除または追加してもよいことを強調されたい。
【０２６６】
ブロック７３０５において、未使用の塗り薬の分配器が識別される（例えば、補給または再補給手順中）。ブロック７３１０において、分配器は、多数回使用細目として指定される。指定は、自動的であり得るか、または使用者により選択され得る（例えば、キャビネットと一体型のコンピュータのための使用者インターフェースを介して）。ブロック７３１５において、分配器の保管は、キャビネット（例えば、医療施設における多数の病室を担当するキャビネット）におけるＩＳＢに指示される。
【０２６７】
ブロック７３２０において、キャビネットに関連付けられる患者のための塗り薬を入手するための要求が、使用者（例えば、看護師）から受信される。例えば、受信された要求は、キャビネットにおける使用者による入力の形式であり得るか、またはキャビネットから受信した要求を表示するデータの組の形式であり得る。ブロック７３２５において、使用者は、未使用の分配器を保管するＩＳＢに自動的に指示される。
【０２６８】
ブロック７３３０において、前に未使用の塗り薬の分配器を患者のために使用するという通知が受信される。この通知は、機器から受信したデータの組の形式であり得るか、または使用者からの入力であり得る。通知は、暗示的または明示的であり得る。ブロック７３３５において、塗り薬の使用済み分配器は、患者の排他的使用のために割り当てられる。ブロック７３４０において、キャビネットにおけるＰＳＢが、分配器の保管のために患者に割り当てられ、ＰＳＢは、患者に対して割り当てられた単回使用細目を除外する。多数回使用指定を有する細目は、単回使用細目として同一のＰＳＢにおいて保管されないように防止され得る。使用者は、使用済み分配器の返却のためにＰＳＢに指示され得る。
【０２６９】
ブロック７３４５において、多数回使用指定は、キャビネット間の分配器の転送中に保持され得る（例えば、患者転送の場合）。ブロック７３５０において、患者のために塗り薬を入手するための要求が、キャビネットにおいて使用者から受信される。前述のように、受信した要求は、キャビネットにおける使用者からの受信した入力の形式であり得るか、またはキャビネットから受信した要求を含むデータの組の形式であり得る。ブロック７３５５において、使用者は、使用済み分配器を保管するＰＳＢに自動的に指示される。これは、命令の組をキャビネットに送信することによって実行され得る（例えば、中央サーバコンピュータシステムから送信される）か、またはキャビネットによって実行され得る。
【０２７０】
ブロック７３６０において、塗り薬を使い果たしていないという決定が行なわれ、保管は、ＰＳＢに指示される。この決定および指示は、キャビネットに一体型であるコンピュータによって局所的に実行され得るか、または遠隔ソース（例えば、中央サーバコンピュータシステム）から受信され得る。ブロック７３６５において、キャビネットのための再補給手順が発生すると、塗り薬は、多数回使用指定に基づいて、ＰＳＢにおける再補給から除外される。
【０２７１】
ブロック７３７０において、塗り薬の分配器の患者による使用は、ＰＳＢにおいて追跡される。ブロック７３７５において、塗り薬の使用が閾値（例えば、薬物が７５％使い果たされる、薬物が９０％使い果たされる、１日分の供給残量未満、２日分の供給残量未満等）を上回ると決定される。ブロック７３８０において、未使用の塗り薬の分配器の再補給がＩＳＢにおいて命令される。この再補給は、患者の塗り薬を使い尽くす場合にＩＳＢにおいて利用可能な患者の未使用の分配器が存在することを確実にするために行なわれ得る。
【０２７２】
しかしながら、ブロック７３８５において、塗り薬の分配器を使い果たす前に退院通知が受信される。この通知は、使用者により入力され得るか、またはおそらく使用者が退院する時間または時間帯を表示するデータの組であり得る。使用者が進行中の薬物発注に基づくか否かに関する決定が行なわれ得る。ブロック７３９０において、使用者は、退院時に患者に使用済み分配器を提供するように指示される。
【０２７３】
一実施形態では、多数回使用細目は、初回使用時のみに患者に請求され、適用毎に請求され得ない。
【０２７４】
（ＶＩＩＩ．ビン配分）：分配機器においてＰＳＢと他のビンとの配分を管理するための種々のシステム、方法、および機器構成について説明する。説明する機能が、図１Ａまたは図２の中央サーバコンピュータシステム１０５、図１Ａ、図１Ｂ、または図２の分配機器１２０または２２０のコンピュータ、あるいは任意のそれらの組み合わせによって実行され得る。
【０２７５】
一実施形態では、キャビネットにおける現在のビン配分が識別される。これは、ＰＳＢおよびＩＳＢとして配分されたキャビネットにおけるこれらのビンを識別することによって実行され得る。ＰＳＢに関連付けられる占有率が決定される。これらの占有率は、キャビネットにおける現在のＰＳＢの占有率を反映し得るが、現在のビン配分に調整された過去および今後の占有データにも基づき得る。これらのＰＳＢ占有率が増加すると、ＰＳＢにおいて薬物を保管する使用者の能力に悪影響を及ぼし得る。特定の占有率は、機器におけるビンの再配分を始動し、ＰＳＢの配分が増加し得る。代替として、このような占有率は、使用者またはキャビネットに対する再配分を勧告する１つ以上のメッセージを自動的に始動し得る。他の実施形態では、メッセージは、スケジュールに基づいて送信され得るか、または使用者の問い合わせに応答して提供され得る。
【０２７６】
本明細書に説明する査定および再配分工程は、特定の分配機器、分配機器の組、または医療施設において発生し得る。したがって、以下の説明の大部分が特定の分配機器におけるＰＳＢおよびＩＳＢの配分に関連するが、分配機器の組または施設全体のために類似の分析および配分を行なってもよい。また、本明細書において再配分工程を自動ビン再配分として説明し得るが、他の実施形態では、自動化再配分のステップを、再配分を勧告または指示するメッセージの自動化送信と置換してもよい。ゆえに、工程において異なるレベルの自動化、つまり、自動化再配分、自動化再配分勧告メッセージ、または使用者の問い合わせに応答する自動化メッセージが存在してもよい。
【０２７７】
特定の分配機器（例えば、図１Ａまたは図１Ｂの分配機器１２０）において、ＩＳＢおよびＰＳＢの既存配分が存在することが想定される。機器における現在のビン配分に関する情報は、中央サーバコンピュータシステム１０５、分配機器１２０、または任意のそれらの組み合わせによって収集および格納され得る。例えば、中央サーバコンピュータシステム１０５は、分配機器１２０に問い合わせを行なうことによって、またはデータストア１１０に格納されるこのような配分に関するデータにアクセスすることによって、ＰＳＢおよびＩＳＢとして割り当てられたビンを識別してもよい。本データは、リアルタイムベースまたは遅延ベースにおける現在のビン配分を反映し得る。また、現在のビン配分データは、機器におけるビンの各々の種類指定も反映し得る（例えば、大きさ、保管容量、制御レベル、保護されたビン、冷蔵能力、ＰＯＭ、または多数回使用指定、セキュリティレベル等に応じて）。
【０２７８】
分配機器１２０およびそのビン（例えば、ＰＳＢおよびＩＳＢ）は、現在の占有率を決定するために監視または問い合わせを受け得る（例えば、中央サーバコンピュータシステム１０５による遠隔監視を介して）。また、分配機器１２０は、機器における占有変更を表示するデータを中央サーバコンピュータシステム１０５に送信し得る（例えば、使用者が細目を補給または再補給する際）。占有データは、分配機器１２０における種々のビン種類についてカテゴリ化され得るが、必須ではない。一実施形態では、占有率は、１つ以上の細目を保管するビンの割合を分析することによって計算される。
【０２７９】
ビンは、ＰＳＢまたはＩＳＢとして再配分され得るか、現在の占有率に基づいてこのような再配分を勧告するメッセージが送信され得る。例えば、閾値（例えば、８０％または９０％）を上回る現在のＰＳＢ占有率は、この再配分またはメッセージングを始動し得る。再配分または再配分命令は、具体的には、ＰＳＢの各種類について実行または勧告されてもよく、ビンの種類が異なると始動閾値が異なってもよい。典型的には、所定の種類のＩＳＢは、同一の種類のＰＳＢとして再配分され、その逆も同様である。しかしながら、別の実施形態では、再配分に利用可能なビンにおける種類指定（例えば、不十分な利用に起因する）は、異なる指定種類のビンに関する現在のより高い占有率に基づいて修正される。例えば、高セキュリティビンは、より低いセキュリティビンとして再配分され、セキュリティ特徴を一時的に有効にし得る。
【０２８０】
また、所定の現在の占有率の拒否率を推定するために分析を実行し得る。一実施形態では、拒否率は、分配機器のＰＳＢにおいて薬物を使用者が保管不可能である率である。現在の占有率データは、占有率の影響を推定するために、過去の拒否データを考慮して分析され得る。拒否データは、各種類のＰＳＢについて収集され得るか、または概して全ＰＳＢにおいて収集され得る。拒否データを使用して、メッセージングまたは再配分を始動させる閾値レベルを設定してもよい。ゆえに、再配分のためのビンのタイミングおよび選択は、拒否率に少なくとも部分的に基づき得る。
【０２８１】
リアルタイム監視に加え、ビン占有を経時的に監視して（例えば、中央サーバコンピュータシステムによって）、分配機器１２０におけるＰＳＢおよびＩＳＢのための過去の占有率を評価してもよい。次いで、この過去の占有率データは、データストア１１０および／または分配機器１２０に格納され得る。過去の占有率データを使用して、ＰＳＢにおける平均占有率を計算してもよい。この平均占有率データは、異なるビン種類に関する占有率を反映し得る。また、平均の過去の占有率は、１つ以上の過去の期間について計算されてもよく、また、季節調整平均、日または週の特定の時期における平均、キャビネット別平均、施設全体の平均、あるいは計算された平均占有率を示し得る。
【０２８２】
過去の占有率を分析して、ＰＳＢの占有率の変動を決定してもよい。この変動は、平均占有率の変動、日々の変動、季節的変動、期間内の変動、または他の変動測定値であり得る。平均の過去の占有率および変動測定値を別々にまたは組み合わせて使用して、分配機器においてビンを再配分する時間および方法を決定してもよい。
【０２８３】
また、この過去の占有率データは、異なる占有率に関連付けられる拒否率（例えば、ビンの種類に従って、またはキャビネット全体について）を表示するデータも含み得る。また、過去の占有率データは、拒否の影響（例えば、別のキャビネットへの再命令に関する問題、分配機器におけるビンの再配分における時間遅延等）を査定し得る。この範囲の過去の占有率データは、分配機器１２０におけるＰＳＢおよびＩＳＢの過去の配分に関する問い合わせを可能にするように構造化され得る。
【０２８４】
一実施形態では、ＰＳＢまたはＩＳＢは、過去の占有率データに基づいて再配分され得る（または、再配分が勧告される）。例えば、現在のビン配分は、過去の占有率を考慮して評価され得る。これは、現在のビン配分を過去の占有率と相関させることによって達成され、おそらく担当する患者の数、その患者の特徴、および利用可能なビンの数の違いを考慮して調整され得る。当業者は、過去の占有率が多数の方式で表現され得ることを認識する（例えば、患者毎に使用するＰＳＢの率として）。
【０２８５】
一実施形態では、これらの過去のＰＳＢ占有率が閾値を上回る場合に、自動的再配分または再配分メッセージが始動させられる。ビンの種類が異なると、閾値は異なり得る。したがって、過去の占有率に基づく再配分が、概してＰＳＢについて実行され得るが、特定の種類のＰＳＢに指示されてもよい。一例として、過去の占有率を使用して、過去に不十分に利用されたＩＳＢを識別し、ＰＳＢとして再配分してもよい。
【０２８６】
現在および過去の占有率データに加え、今後の患者または薬物情報も、ＰＳＢまたはＩＳＢの再配分（または、提案される再配分）に使用してもよい。分配機器１２０が担当する病室を占有する予定の新しい患者、転送された患者、または既存の患者に関する情報が分析され得る。患者の既知の薬物発注に関する情報は、保管必要性を決定するために分析され得る（例えば、今後の期間中に進行中になる薬物発注からの薬物を分析する）。加えて、薬物および／または保管必要性は、患者の病状を前提としてこのような患者について推定され得る。今後の占有率は、予定の患者について収集した情報に基づいて決定され得る。
【０２８７】
加えて、分配機器が担当する今後予定外の患者の薬物および保管必要性に関する推定が行なわれ得る。例えば、このような推定は、機器が担当する予定外の患者の平均数または推定数の典型的な必要性に基づき得る。今後の占有率は、予定外の患者に関するこれらの推定に基づいて決定され得る。
【０２８８】
過去および現在の占有率データについて上述するように、ＰＳＢまたはＩＳＢは、今後の占有率データにも基づいて再配分され得る。例えば、現在のビン配分は、今後の占有率を考慮して評価され得る。一実施形態では、これらの今後のＰＳＢ占有率が閾値（ビンの種類が異なると異なり得る）を上回る場合に、自動の再配分が始動させられる。
【０２８９】
本明細書に説明する再配分および提案された再配分は、任意の時間制限を適用せずに即時に行なわれ得る。しかしながら、一実施形態では、再配分は、今後の時間において発生するように予定または勧告される（例えば、混雑する週末におけるＥＲの分配機器について発生するように予定される）。別の実施形態では、再配分は、多数の今後の時期において再発生するように予定される。
【０２９０】
上述の多数の例において、ＩＳＢは、ＰＳＢとして再配分される。しかしながら、上述の原理が、逆方向にも適用され得ることに留意されたい。例えば、ＰＳＢが不十分に利用され、一方ＩＳＢが過度に利用されることを現在のビン配分に起因する占有率が表示する場合、ＰＳＢをＩＳＢとして再配分してもよい。
【０２９１】
図４４を参照すると、ブロック図は、ビンを再配分するように構成されるシステム８０００の例示的実装を示す。一実施形態では、機能構成要素は、図１のデータストア１１０−ａおよび中央コンピュータシステム１０５−ａに一体型である。
【０２９２】
データストア１１０−ａは、分配機器１２０−ｃまたは機器の組のための現在のビン構成データを保持するデータストア８００５−ａを含む。また、データストア１１０−ａは、分配機器１２０−ｃまたは機器の組のための占有率データを保持するデータストア８００５−ｂも含み得る。占有率データを格納しているデータストア８００５−ｂは、過去の占有率データ８００５−ｂ−ｌ、現在の占有率データ８００５−ｂ−２、および今後の占有率データ８００５−ｂ−３のためのデータストアを含む。データストア１１０−ａは、ビン構成データおよび占有データを分配機器１２０−ｃから受信し得る。
【０２９３】
データストア１１０−ａは、中央サーバコンピュータシステム１０５−ａと通信する。データストア８００５−ｂからの占有データ（例えば、特定の分配機器１２０またはその中のビンの種類に関する）は、中央サーバコンピュータシステム１０５に送信され得るか、またはそこからアクセスされ得る。中央サーバコンピュータシステム１０５内の調停ユニット８０１０は、受信した占有データを処理してもよく、異なる重み付けが過去、現在、今後の占有データに起因する。データの特定の側面は、フィルタリングされてもよく、一方、他の側面は、より重く重み付けされてもよい。
【０２９４】
調停ユニット８０１０による処理の後に、占有データは、中央サーバコンピュータシステム１０５内の再配分ユニット８０１５に転送され得る。データストア８００５−ａからのビン構成データ（例えば、特定の分配機器１２０またはその中のビンの種類のための）は、中央サーバコンピュータシステム１０５に送信され得るか、またはそこからアクセスされ得る。再配分ユニット８０１５は、重み付けされた占有率データと併用して、受信したビン構成データを使用して、タイミングを決定し、かつ再配分のためのビンを識別し得る。
【０２９５】
現在のビン構成データストア８００５−ａ、過去の占有率データストア８００５−ｂ−ｌ、現在の占有率データストア８００５−ｂ−２、および今後の占有率データストア８００５−ｂ−３は、データストア１１０−ａの構成要素として示されるが、他の実施形態では、このデータの任意の部分集合を、分配機器１２０または他の場所に局所的に格納してもよい。同様に、調停ユニット８０１０および再配分ユニット８０１５が、中央サーバコンピュータシステム１０５の構成要素として示されるが、他の実施形態では、この機能性の任意の部分集合を、分配機器１２０または他の場所において局所的に実行してもよい。したがって、データ格納機能および処理機能は、システムを通過し得る。
【０２９６】
次に図４５を参照すると、分配機器においてビンを配分する方法８１００に関する一実施形態について説明する。本方法８１００は、例えば、中央サーバコンピュータシステム１０５あるいは図１Ａ、図１Ｂ、または図２の分配機器１２０または２２０のコンピュータによって全体的または部分的に実行され得る。本実施形態および他の実施形態では、種々のステップを排除してもよく、また順番を変更してもよいことに留意されたい。
【０２９７】
ブロック８１０５において、ＰＳＢとして配分されたビンおよびＩＳＢとして配分されたビンを識別することによって、分配機器の現在のビン配分が識別される。ブロック８１１０において、分配機器におけるＰＳＢに関連付けられる占有率が決定される。ブロック８１１５において、細目別ビンが、識別された現在のビン配分および決定された占有率に基づいて、ＰＳＢとして自動的に再配分される。
【０２９８】
次に図４６を参照すると、現在の占有率に基づいて分配機器においてビンを再配分する方法８２００の例が図示される。本方法８２００は、例えば、中央サーバコンピュータシステム１０５、分配機器１２０または２２０のコンピュータ、あるいは任意のそれらの組み合わせによって実行され得る。本方法８２００は、図４５に関して実行した方法８１００の実施形態であり得る。
【０２９９】
ブロック８２０５において、ＰＳＢとして配分されたビンを識別することによって、分配機器の現在のビン配分が識別される。ブロック８２１０において、分配機器におけるＰＳＢに関連付けられる現在の占有率が、多数の種類のＰＳＢの各々について決定される。ブロック８２１５において、選択された種類のＰＳＢの現在の占有率が、選択された種類に設定された閾値を上回る場合に、自動再配分が始動させられる。閾値占有レベルは、異なる種類のＰＳＢによって変動し得る。
【０３００】
ブロック８２２０において、分配機器における他のビンは、選択された種類のＰＳＢとして自動的に再配分される。この再配分は、選択された種類の指定の非ＰＳＢからであってもよい（つまり、同一の種類のビンであってもよい）。この再配分は、占有率の低いビンの種類（ＰＳＢまたは非ＰＳＢ）を標的としてもよいが、必須ではない。一実施形態では、所定の種類のビンの占有率が比較的高いまたは低い場合に、特定のビンの種類は変更され得る（例えば、高セキュリティオプションを有するビンは、低セキュリティ細目を保管し得る）。
【０３０１】
次に図４７を参照すると、過去の占有率に基づいて分配機器においてビンを配分する方法８３００の例が図示される。本方法８３００は、例えば、中央サーバコンピュータシステム１０５、分配機器１２０または２２０のコンピュータ、あるいは任意のそれらの組み合わせによって実行され得る。本方法８３００は、図４５に関して実行した方法８１００の実施形態であり得る。
【０３０２】
ブロック８３０５において、ＰＳＢとして配分されたビンを識別することによって、分配機器の現在のビン配分が識別される。ブロック８３１０において、多数の過去の期間に関する過去の占有率を分析して、ＰＳＢの平均占有率を決定する（例えば、現在のビン構成に適用されるように）。ブロック８３１５において、過去の期間に関する過去の占有率を分析して、ＰＳＢの占有率の変動を決定する。この変動は、平均占有率の変動、日々の変動、季節的変動、期間内の変動、または他の変動測定値であり得る。
【０３０３】
ブロック８３２０において、分配機器のＰＳＢにおいて薬物を使用者が保管不可能である推定拒否率が分析される。一実施形態では、拒否率は、平均占有率および変動に基づく。ブロック８３２５において、ビンは、機器における現在のビン配分を考慮して、平均占有率、変動、および拒否率に基づいてＰＳＢとして自動的に再配分される。他の実施形態では、各要因の重み付けは、キャビネット、ビン、または患者の特徴に応じて変動し得る。さらに、いくつかの実施形態において、これらの要因の部分集合のみを使用することに留意されたい。
【０３０４】
図４８を参照すると、今後の占有率に基づいて分配機器においてビンを配分する方法８４００の例が図示される。本方法８４００は、例えば、中央サーバコンピュータシステム１０５、分配機器１２０または２２０のコンピュータ、あるいは任意のそれらの組み合わせによって実行され得る。本方法８４００は、図４５に関して実行した方法８１００の実施形態であり得る。
【０３０５】
ブロック８４０５において、ＰＳＢとして配分されたビンを識別することによって、分配機器１２０の現在のビン配分が識別される。ブロック８４１０において、今後の期間において分配機器が担当する予定の新しい患者、既存の患者、および／または転送患者が識別される。ブロック８４１５において、今後の期間中に予定される患者について進行中であるように設定される薬物発注が識別される。ブロック８４２０において、患者別保管必要性は、進行中の薬物発注に基づいて、予定される患者について推定される。予定される患者のための追加の患者別保管必要性が推定され得る（例えば、予定される患者に類似する患者の典型的な必要性に基づいて）。
【０３０６】
ブロック８４２５において、患者別保管必要性が、今後の期間に分配機器が担当する可能性のある予定外患者について推定される（例えば、機器が担当する可能性のある平均数または推定数の予定外患者のための典型的な必要性に基づく）。ブロック８４３０において、分配機器におけるＰＳＢのための今後の占有率が、予定および予定外患者の推定された患者別保管必要性に基づいて推定される。ブロック８４３５において、ビンは、今後の占有率に基づいて、ＰＳＢとして自動的に再配分される。
【０３０７】
図４９を参照すると、過去、現在、または今後の占有率の組み合わせに基づいて分配機器においてビンを配分する方法８５００の例が図示される。本方法８５００は、例えば、中央サーバコンピュータシステム１０５、分配機器１２０または２２０のコンピュータ、あるいは任意のそれらの組み合わせによって実行され得る。本方法８５００は、図４５に関して実行した方法８１００の実施形態であり得る。
【０３０８】
ブロック８５０５において、ＰＳＢとして配分されたビンを識別し、かつビンの種類を識別することによって、分配機器の現在のビン配分が識別される。次いで、本方法８５００は、機器のＰＳＢに関する過去、現在、および／または今後の占有率の任意の部分集合または重み付けの組み合わせを利用し得る。
【０３０９】
ブロック８５１０において、過去の占有率を分析して、ＰＳＢの平均占有率を決定する。これは、ある期間における平均、季節調整平均、日または週の特定の時期における平均、キャビネット別平均、施設全体の平均、あるいは計算された平均占有率であり得る。ブロック８５１５において、過去の占有率を分析して、ＰＳＢのための平均占有率からの変動を決定する。
【０３１０】
ブロック８５２０において、ＰＳＢの現在の占有率が分析される。これは、リアルタイムの問い合わせに基づき得るか、または最近のポーリングデータに基づき得る。ブロック８５２５において、ＰＳＢの拒否率が、現在の占有率を考慮して推定される。拒否率は、ＰＳＢにおける細目の保管を試行する使用者が、分配機器におけるＰＳＢに薬物を保管不可能である率である。
【０３１１】
ブロック８５３０において、今後の期間中に機器が担当することを現在予定する患者のＰＳＢの今後の占有率が推定される。ブロック８５３５において、今後の占有率が、今後の期間中に機械が担当するが、現在予定外の患者の推定の保管必要性に基づいて、ＰＳＢについて推定される。
【０３１２】
ブロック８５４０において、過去、現在、および今後の占有率に関連付けられる要因を異なる重み付けで使用して、異なるＰＳＢの種類の占有率を決定する。ブロック８５４５において、今後の時間に開始する有限期間に、第１の種類のＰＳＢとして、ビンが自動的に再配分される。ブロック８５５０において、再発ベースで第２の種類のＰＳＢとしてビンが自動的に再配分される（例えば、１日の特定の時間におけるＰＳＢおよびＩＳＢの配分のフリップフロップ）。図４５〜図４９を参照して説明したように、自動化再配分のいずれかは、代わりに、使用者、分配機器、または中央サーバコンピュータシステムへ再配分を指示するように、再配分メッセージの自動化送信であってもよい。
【０３１３】
図１Ａまたは図２の中央サーバコンピュータシステム１０５、図１Ａ、図１Ｂ、または図２の患者分配機器１２０または２２０のコンピュータ、図１Ａまたは図１Ｂの中央分配ユニット１１５のコンピュータ、あるいは他のコンピューティング機器または機能もしくは処理ユニットのために使用され得る機器構造９０００を、図５０の略図により図示する。本図面は、概して、分離型または一体型にかかわらず、上述の機器の各々の個々のシステム要素が実装され得る方法を図示する。
【０３１４】
例示的構造は、バス９００５を介して電気的に連結されるハードウェア要素から構成されるように示され、プロセッサ９０１０（ＤＳＰまたは特殊用途プロセッサであり得るか、またはそれを含み得る）、記憶装置９０１５、入力機器９０２０、および出力機器９０２５を含む。記憶装置９０１５は、任意の機械可読記憶媒体に接続される機械可読記憶媒体読み取り器であり、その組み合わせは、コンピュータ可読情報を一時的またはより永続的に含むために、遠隔、局所、固定、または取り外し可能な記憶装置または記憶媒体を包括的に表す。通信システムインターフェース９０４５は、他の機器とのデータの交換を可能にする有線、無線、または他の種類のインターフェース接続にインターフェース接続し得る。通信システム９０４５は、ネットワークとのデータの交換を可能にし得る。また、ＧＰＳまたは他の位置ベースの受信機９０５０であって、種々の目的に活用し得る機器に関する位置情報を送信するように構成される受信機９０５０も存在し得る。
【０３１５】
また、構造９０００は、ワーキングメモリ９０３０内に現在位置するように図示する追加のソフトウェア要素も含み、本発明の方法を実装するように設計されるプログラムまたはアプリケーション等のオペレーティングシステム９０３５および他のコード９０４０を含む。特定の必要性に応じて相当な変化を使用してもよいことが当業者に明白であり得る。例えば、カスタマイズされたハードウェアを使用してもよく、または特定の要素をハードウェア、ソフトウェア（アプレット等のポータブルソフトウェアを含む）、またはその両方において実装してもよい。したがって、本明細書に説明する任意の機能性は、ハードウェアにおける適用可能な機能の一部または全部に適合される１つ以上の特定用途向け集積回路（ＡＳＩＣ）により実装され得る。代替として、機能は、１つ以上の集積回路上の１つ以上の他の処理ユニット（または、コア）によって実行され得る。他の実施形態では、当技術分野において既知である任意の方式でプログラミングされ得る他の種類の集積回路を使用してもよい（例えば、構造化／プラットフォームＡＳＩＣ、フィールドプログラマブルゲートアレイ（ＦＰＧＡ）、および他のセミカスタムＩＣ）。
【０３１６】
上述の方法、システム、および機器は、例のみとして解釈されるように意図されることに留意されたい。種々の実施形態が、種々の手順または構成要素を必要に応じて省略、置換、または追加してもよいことが強調されたい。例えば、代替実施では、記載の順番とは異なる順番で本方法を実行してもよく、種々のステップを追加、省略、または組み合わせてもよいことを理解されたい。また、特定の実施形態に関連して説明した特徴を、種々の他の実施形態において組み合わせてもよい。実施形態の異なる側面および要素を、類似の方式で組み合わせてもよい。また、技術が進展するため、要素の多くが例であり、かつ本発明の範囲を限定するように解釈されないことを強調されたい。
【０３１７】
実施形態の徹底的な理解を提供するために、説明において具体的な詳細が提供される。しかしながら、これらの具体的な詳細を提示せずに実施形態が実践され得ることを当業者によって理解されたい。例えば、既知の回路、工程、アルゴリズム、構造、および手法は、実施形態の曖昧化を回避するために、不必要な詳細を提示せずに示されている。
【０３１８】
また、フローチャート、フロー図、構造図、またはブロック図として図示する工程として実施形態を説明し得ることに留意されたい。フローチャートは、順次的工程として動作を説明し得るが、動作の多くは、並行してまたは同時に実行可能である。加えて、動作の順番を変更してもよい。その動作が完了すると、工程は終了するが、図面に含まれない追加のステップを有してもよい。
【０３１９】
さらに、本明細書に開示するように、用語の「メモリ」は、データを格納するための１つ以上の機器を表し、読み取り専用メモリ（ＲＯＭ）、ランダムアクセスメモリ（ＲＡＭ）磁気ＲＡＭ、コアメモリ、磁気ディスク記憶媒体、光学式記憶媒体、フラッシュメモリ機器、または情報を格納するための他の機械可読媒体を含む。用語の「機械可読媒体」は、移動式または固定式記憶装置、光学式記憶装置、無線チャネル、ｓｉｍカード、他のスマートカード、および命令またはデータを格納、含有、または所持可能な種々の他の媒体を含むが、これらに限定されない。
【０３２０】
さらに、ハードウェア、ソフトウェア、ファームウェア、ミドルウェア、マイクロコード、ハードウェア記述言語、または任意のそれらの組み合わせによって、実施形態を実装してもよい。ソフトウェア、ファームウェア、ミドルウェア、またはマイクロコードにおいて実装する場合、必要なタスクを実行するためのプログラムコードまたはコードセグメントは、記憶媒体等の機械可読媒体に格納され得る。プロセッサは、必要なタスクを実行し得る。
【０３２１】
いくつかの実施形態について説明したが、本発明の精神を逸脱することなく、種々の修正、代替構造、および同等物を使用してもよいことを当業者は認識するだろう。例えば、上記要素は、単に、より大きなシステムの構成要素であってもよく、この場合、他の規則が本発明のアプリケーションに優先し得るか、または本発明のアプリケーションを修正し得る。また、上記要素を考慮する前に多数のステップを必要としてもよい。したがって、上記説明は、本発明の範囲を限定するものとして解釈されるべきではない。
【図１】
0005577244.tif 000004
【図２】
0005577244.tif 000005
【図３】
0005577244.tif 000006
【図４】
0005577244.tif 000007
【図５】
0005577244.tif 000008
【図６】
0005577244.tif 000009
【図７】
0005577244.tif 000010
【図８】
0005577244.tif 000011
【図９】
0005577244.tif 000012
【図１０】
0005577244.tif 000013
【図１１】
0005577244.tif 000014
【図１２】
0005577244.tif 000015
【図１３】
0005577244.tif 000016
【図１４】
0005577244.tif 000017
【図１５】
0005577244.tif 000018
【図１６】
0005577244.tif 000019
【図１７】
0005577244.tif 000020
【図１８】
0005577244.tif 000021
【図１９】
0005577244.tif 000022
【図２０】
0005577244.tif 000023
【図２１】
0005577244.tif 000024
【図２２】
0005577244.tif 000025
【図２３】
0005577244.tif 000026
【図２４】
0005577244.tif 000027
【図２５】
0005577244.tif 000028
【図２６】
0005577244.tif 000029
【図２７】
0005577244.tif 000030
【図２８】
0005577244.tif 000031
【図２９】
0005577244.tif 000032
【図３０】
0005577244.tif 000033
【図３１】
0005577244.tif 000034
【図３２】
0005577244.tif 000035
【図３３】
0005577244.tif 000036
【図３４】
0005577244.tif 000037
【図３５】
0005577244.tif 000038
【図３６】
0005577244.tif 000039
【図３７】
0005577244.tif 000040
【図３８】
0005577244.tif 000041
【図３９】
0005577244.tif 000042
【図４０】
0005577244.tif 000043
【図４１】
0005577244.tif 000044
【図４２】
0005577244.tif 000045
【図４３】
0005577244.tif 000046
【図４４】
0005577244.tif 000047
【図４５】
0005577244.tif 000048
【図４６】
0005577244.tif 000049
【図４７】
0005577244.tif 000050
【図４８】
0005577244.tif 000051
【図４９】
0005577244.tif 000052
【図５０】
0005577244.tif 000053